(57)【要約】  ＯＦＤＭ復調部１３は時間領域の伝送信号を周波数領域の復調ベクトルＹに変換し、等化部１４は復調ベクトルＹに基づいて伝送路応答ベクトルＨ’を推定し、推定した伝送路応答ベクトルＨ’に基づいて復調ベクトルＹを等化して等化ベクトルＸ’を算出し、干渉除去部１５は、復調ベクトルＹに関するシンボル間干渉及びキャリア間干渉に係る誤差成分を表す誤差成分ベクトルを等化ベクトルＸ’及び伝送路応答ベクトルＨ’に基づいて算出し、復調ベクトルＹから誤差成分ベクトルを除去して復調ベクトルＹ’を生成して出力する。
2009107347.tif 000002
【特許請求の範囲】
【請求項１】
変調処理が施された複数のキャリアを多重した伝送信号を受信し、当該伝送信号を復調する受信装置であって、
受信した時間領域の前記伝送信号をシンボル毎に周波数領域の復調データに変換する変換部と、
前記復調データに基づいて周波数領域の伝送路応答データを推定し、推定した前記伝送路応答データに基づいて前記復調データを等化して周波数領域の等化データを算出する等化部と、
シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去部と、
を備える受信装置。
【請求項２】
前記干渉除去部は、
Ｎは１より大きい数であり、Ｔｕは有効シンボル期間の時間幅であるとし、一のシンボルに対応する前記等化データに対して遅延処理及びアップサンプル処理を施して離散周波数間隔が１／（Ｎ×Ｔｕ）の第１等化データを生成して出力する遅延アップサンプル部と、
前記一のシンボルに対応する前記伝送路応答データに対してアップサンプル処理を施して離散周波数間隔が１／（Ｎ×Ｔｕ）の第１伝送路応答データを生成するアップサンプル部と、
前記第１等化データと前記第１伝送路応答データとをキャリア毎に乗算して第１復調データを生成する乗算部と、
前記第１復調データに対して所定の通過特性に基づくフィルタ処理を施して当該第１復調データから遅延波によるシンボル間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データから前記干渉データを減算する除去部と、
を備える請求項１記載の受信装置。
【請求項３】
前記干渉成分生成部は、前記第１干渉データに対して前記ダウンサンプル処理に加え、キャリア毎にガードインターバル期間の時間幅に−1を乗算した値に基づく位相回転処理を施す
請求項２記載の受信装置。
【請求項４】
前記干渉除去部は、
Ｎは１より大きい数であり、Ｔｕは有効シンボル期間の時間幅であるとし、一のシンボルに対応する前記等化データに対してアップサンプル処理を施して離散周波数間隔が１／（Ｎ×Ｔｕ）の第１等化データを生成する第１アップサンプル部と、
前記一のシンボルに対応する前記伝送路応答データに対してアップサンプル処理を施して離散周波数間隔が１／（Ｎ×Ｔｕ）の第１伝送路応答データを生成する第２アップサンプル部と、
前記第１等化データと前記第１伝送路応答データとをキャリア毎に乗算して第１復調データを生成する乗算部と、
前記第１復調データに対して所定の通過特性に基づくフィルタ処理を施して当該第１復調データから遅延波によるキャリア間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データに前記干渉データを加算する除去部と、
を備える請求項１記載の受信装置。
【請求項５】
前記干渉除去部は、
前記一のシンボルに対応する前記等化データ又は前記第１等化データに対してキャリア毎にガードインターバル期間の時間幅に基づく位相回転処理を施して第２等化データを生成する位相回転部
を更に備え、
前記位相回転部が前記等化データに対して位相回転処理を施す場合には、前記第１アップサンプル部は前記等化データの代わりに前記第２等化データに対してアップサンプル処理を施して前記第１等化データを生成し、
前記位相回転部が前記第１等化データに対して位相回転処理を施す場合には、前記乗算部は前記第１等化データの代わりに前記第２等化データと前記第１伝送路応答データとをキャリア毎に乗算して前記第１復調データを生成し、
前記干渉成分生成部は、前記第１干渉データに対して前記ダウンサンプル処理に加え、キャリア毎にガードインターバル期間の時間幅に−1を乗算した値に基づく位相回転処理を施す
請求項４記載の受信装置。
【請求項６】
前記干渉除去部は、
一のシンボルに対応する前記等化データに対して遅延処理を施して遅延等化データを出力する遅延部と、
前記遅延等化データから前記一のシンボルに対応する前記等化データを減算し、減算結果を表す差分等化データを生成する差分部と、
Ｎは１より大きい数であり、Ｔｕは有効シンボル期間の時間幅であるとし、前記差分等化データに対してアップサンプル処理を施して離散周波数間隔が１／（Ｎ×Ｔｕ）の第１差分等化データを生成する第１アップサンプル部と、
前記一のシンボルに対応する前記伝送路応答データに対してアップサンプル処理を施して離散周波数間隔が１／（Ｎ×Ｔｕ）の第１伝送路応答データを生成する第２アップサンプル部と、
前記第１差分等化データと前記第１伝送路応答データとをキャリア毎に乗算して差分復調データを生成する乗算部と、
前記差分復調データに対して所定の通過特性に基づくフィルタ処理を施して当該差分復調データから遅延波によるシンボル間干渉及び遅延波によるキャリア間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データから前記干渉データを減算する除去部と、
を備える請求項１記載の受信装置。
【請求項７】
前記干渉除去部は、
前記一のシンボルに対応する前記等化データに対してキャリア毎にガードインターバル期間の時間幅に基づく位相回転処理を施して第１等化データを生成する位相回転部
を更に備え、
前記差分部は、前記一のシンボルに対応する前記等化データの代わりに前記第１等化データを用いて、前記遅延等化データから前記第１等化データを減算し、減算結果を表す前記差分等化データを生成し、
前記干渉成分生成部は、前記第１干渉データに対して前記ダウンサンプル処理に加え、キャリア毎にガードインターバル期間の時間幅に−1を乗算した値に基づく位相回転処理を施す
請求項６記載の受信装置。
【請求項８】
前記干渉除去部は、
前記差分復調データに対して所定の通過特性に基づくフィルタ処理を施して当該差分復調データから先行波によるシンボル間干渉及び先行波によるキャリア間干渉に係る第２干渉成分を抽出し、当該第２干渉成分を表す第２干渉データを生成する第１抽出部と、
前記第２干渉データに対してダウンサンプル処理を施して先行波によるシンボル間干渉及び先行波によるキャリア間干渉に係る第３干渉成分を表す前記第３干渉データを生成する第１干渉成分生成部と、
前記除去部による処理の結果得られた第１復調データに対して遅延処理を施して第１遅延復調データを出力する第１遅延部と、
前記第１遅延復調データと前記第３干渉データとを加算する第１除去部と、
を更に備える請求項６記載の受信装置。
【請求項９】
前記一のシンボルに対応する前記伝送路応答データに対して遅延処理及びアップサンプル処理を施して離散周波数間隔が１／（Ｎ×Ｔｕ）の第２伝送路応答データを生成して出力する遅延アップサンプル部と、
前記第１差分等化データと前記第２伝送路応答データとをキャリア毎に乗算して第１差分復調データを生成する第１乗算部と、
前記第１差分復調データに対して所定の通過特性に基づくフィルタ処理を施して当該第１差分復調データから先行波によるシンボル間干渉及び先行波によるキャリア間干渉に係る第２干渉成分を抽出し、当該第２干渉成分を表す第２干渉データを生成する第１抽出部と、
前記第２干渉データに対してダウンサンプル処理を施して先行波によるシンボル間干渉及び先行波によるキャリア間干渉に係る第３干渉成分を表す前記第３干渉データを生成する第１干渉成分生成部と、
前記除去部による処理の結果得られた第１復調データに対して遅延処理を施して第１遅延復調データを出力する第１遅延部と、
前記第１遅延復調データと前記第３干渉データとを加算する第１除去部と、
を更に備える請求項６記載の受信装置。
【請求項１０】
前記干渉除去部は、
供給される第１遅延復調データを一のシンボルに対応する前記伝送路応答データで除算して第１等化データを生成する除算部と、
前記第１等化データ及び前記一のシンボルに対応する前記伝送路応答データに基づいて遅延波によるシンボル間干渉に係る第１干渉成分を算出し、前記一のシンボルに対応する前記等化データ及び前記一のシンボルに対応する前記伝送路応答データに基づいて遅延波によるキャリア間干渉に係る第２干渉成分を算出し、当該第１干渉成分から当該第２干渉成分を減算して前記干渉成分を算出して前記干渉データを生成する干渉成分生成部と、
前記一のシンボルに対応する前記復調データから前記干渉データを減算して第１復調データを出力する減算部と、
前記第１復調データに対して遅延処理を施して次シンボル用の前記第１遅延復調データを前記除算部へ供給する遅延部と、
を備える請求項１記載の受信装置。
【請求項１１】
前記干渉除去部は、周波数領域の前記等化データを時間領域の等化信号に変換し、周波数領域の前記伝送路応答データを時間領域の伝送路信号に変換し、前記等化信号及び前記伝送路信号に基づいて前記干渉成分を表す干渉信号を算出し、前記干渉信号に基づいて前記復調データに対して前記干渉成分の除去処理を施す
請求項１記載の受信装置。
【請求項１２】
前記復調データと前記干渉除去部による前記除去処理によって得られた第１復調データとの受信品質を比較し、受信品質の良い方を選択して出力する選択部
を更に備える請求項１記載の受信装置。
【請求項１３】
前記干渉除去部は、
前記等化データに対して硬判定処理を施して前記除去処理を行う
請求項１記載の受信装置。
【請求項１４】
直列に多段接続されている前記等化部及び前記干渉除去部を有する処理ブロックを有する
請求項１記載の受信装置。
【請求項１５】
変調処理が施された複数のキャリアを多重した伝送信号を受信し、当該伝送信号を復調する受信装置であって、
受信した時間領域の前記伝送信号をシンボル毎に周波数領域の復調データに変換する変換部と、
シンボル毎に、前記復調データを供給される遅延伝送路応答データで除算して等化データを生成する除算部と、
シンボル毎に、前記等化データ及び供給される前記遅延伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施して第１復調データを生成する干渉除去部と、
前記第１復調データに基づいて周波数領域の伝送路応答データを推定し、推定した前記伝送路応答データに基づいて前記復調データを等化して周波数領域の等化データを算出する等化部と、
前記伝送路応答データに対して遅延処理を施して次シンボル用の前記遅延伝送路応答データを前記除算部及び前記干渉除去部へ供給する遅延部と、
を備える受信装置。
【請求項１６】
変調処理が施された複数のキャリアを多重した伝送信号を受信し、当該伝送信号を復調する受信装置であって、
受信した時間領域の前記伝送信号をシンボル毎に周波数領域の復調データに変換する変換部と、
シンボル毎に、前記復調データから、供給される遅延波によるシンボル間干渉に係る干渉成分を表す遅延干渉データを減算して第１復調データを生成する第１干渉除去部と、
前記第１復調データに基づいて周波数領域の伝送路応答データを推定し、推定した前記伝送路応答データに基づいて前記第１復調データを等化して周波数領域の等化データを算出する等化部と、
シンボル毎に、前記等化データ及び前記伝送路応答データに基づいて遅延波によるシンボル間干渉に係る干渉成分を算出し、当該干渉成分を表す干渉データを生成するとともに、前記第１復調データに対して干渉除去処理を施す第２干渉除去部と、
前記干渉データに対して遅延処理を施して次シンボル用の前記遅延干渉データを第１干渉除去部へ供給する遅延部と、
を備える受信装置。
【請求項１７】
変調処理が施された複数のキャリアを多重した伝送信号を受信し、当該伝送信号を復調する集積回路であって、
受信した時間領域の前記伝送信号をシンボル毎に周波数領域の復調データに変換する変換回路と、
前記復調データに基づいて周波数領域の伝送路応答データを推定し、推定した前記伝送路応答データに基づいて前記復調データを等化して周波数領域の等化データを算出する等化回路と、
シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去回路と、
を備える集積回路。
【請求項１８】
変調処理が施された複数のキャリアを多重した伝送信号を受信し、当該伝送信号を復調する受信装置において行われる受信方法であって、
受信した時間領域の前記伝送信号をシンボル毎に周波数領域の復調データに変換する変換ステップと、
前記復調データに基づいて周波数領域の伝送路応答データを推定し、推定した前記伝送路応答データに基づいて前記復調データを等化して周波数領域の等化データを算出する等化ステップと、
シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去ステップと、
を有する受信方法。
【発明の詳細な説明】
【技術分野】
【０００１】
本発明は、変調処理が施された複数のキャリアを周波数分割多重した伝送信号からシンボル間干渉及びキャリア間干渉の少なくとも一方に起因する誤差を除去する技術に関する。
【背景技術】
【０００２】
地上デジタル放送や無線ＬＡＮ（Local Area Network）の伝送方式として、直交周波数分割多重（ＯＦＤＭ）方式が採用されている。ＯＦＤＭ方式は、複数の搬送波を直交性を保ちながら密に並べる方式であることから、周波数利用効率の高い方式である。また、ＯＦＤＭ方式では、シンボル長を長く設定できることから、複数の到来波によって生じるシンボル間干渉に強い方式である。【０００３】
また、ＯＦＤＭ方式の技術として、ガードインターバル技術が広く用いられている。これは、有効シンボルの後ろの一部分を、ガードインターバルとして有効シンボルの前に付加し、主波に対する遅延波の遅延時間がガードインターバルの時間幅以内であれば、遅延波によるシンボル間干渉に係る干渉成分を避けて高速フーリエ変換（Fast Fourier Transform：ＦＦＴ）を施すことを可能にする。これによって、受信装置は受信したＯＦＤＭ伝送信号を劣化なく復調できる。【０００４】
しかしながら、遅延波の遅延時間がガードインターバルの時間幅を超える場合、シンボル間干渉（Inter-Symbol-Interference：ＩＳＩ）及びキャリア間干渉（Inter-Carrier-Interference：ＩＣＩ）が発生することにより、受信装置は受信したＯＦＤＭ伝送信号を正確に復調することが困難となり、受信品質が劣化する。【０００５】
ところで、地上デジタル放送方式では、単一周波数ネットワーク（Single Frequency Network：ＳＦＮ）が用いられており、遅延波の遅延時間がガードインターバルの時間幅以内に収まるように送信局の設置が行われる。しかし、山岳やビルなどでの反射により、遅延時間がガードインターバルの時間幅を超える遅延波が到来する環境もある。このような環境では、シンボル間干渉及びキャリア間干渉のために、受信装置は受信したＯＦＤＭ伝送信号を正しく復調することが困難となり、受信品質が著しく劣化する。【０００６】
このため、上記の環境においてＯＦＤＭ伝送信号を正確に復調するためには、ＯＦＤＭ伝送信号から遅延波によるシンボル間干渉及びキャリア間干渉に係る干渉成分を除去する技術が必須となり、例えば特許文献１に以下の手法が提案されている。【０００７】
時間領域のＯＦＤＭ伝送信号にＦＦＴを施すことによって周波数領域の復調データを算出し、復調データに基づいて周波数領域の伝送路応答データを推定し、周波数領域の伝送路応答データに逆高速フーリエ変換（Inverse Fast Fourier Transform：ＩＦＦＴ）を施すことによって時間領域の伝送路応答信号を算出する。時間領域の伝送路応答信号に基づいて時間領域のＯＦＤＭ伝送信号に波形等化を施し、シンボル間干渉及びキャリア間干渉に係る干渉成分を推定して、ＯＦＤＭ伝送信号から干渉成分を除去する。【０００８】
なお、その他にも特許文献２に開示された手法があるが、主波より先行して到来する先行波によるシンボル間干渉及びキャリア間干渉に係る干渉成分を推定して除去できないというものである。
【特許文献１】特開２００７−００６０６７号公報
【特許文献２】特開２００４−２８９４７５号公報
【発明の開示】
【発明が解決しようとする課題】
【０００９】
しかしながら、特許文献１に開示された手法では、ＦＦＴより前段の時間領域でフィルタを用いてシンボル間干渉及びキャリア間干渉に係る干渉成分を推定しており、干渉成分の推定精度を上げるためには、タップ数の多いフィルタが必要になり、回路規模が増大してしまうという課題がある。【００１０】
そこで、本発明は、変調処理が施された複数のキャリアを周波数分割多重した伝送信号からシンボル間干渉及びキャリア間干渉の少なくとも一方に係る誤差成分の除去を小さい回路規模で可能にする受信装置、集積回路及び受信方法を提供することを目的とする。
【課題を解決するための手段】
【００１１】
上記目的を達成するために本発明の受信装置は、変調処理が施された複数のキャリアを多重した伝送信号を受信し、当該伝送信号を復調する受信装置であって、受信した時間領域の前記伝送信号をシンボル毎に周波数領域の復調データに変換する変換部と、前記復調データに基づいて周波数領域の伝送路応答データを推定し、推定した前記伝送路応答データに基づいて前記復調データを等化して周波数領域の等化データを算出する等化部と、シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去部と、を備える。【００１２】
また、本発明の集積回路は、変調処理が施された複数のキャリアを多重した伝送信号を受信し、当該伝送信号を復調する集積回路であって、受信した時間領域の前記伝送信号をシンボル毎に周波数領域の復調データに変換する変換回路と、前記復調データに基づいて周波数領域の伝送路応答データを推定し、推定した前記伝送路応答データに基づいて前記復調データを等化して周波数領域の等化データを算出する等化回路と、シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去回路と、を備える。【００１３】
さらに、本発明の受信方法は、変調処理が施された複数のキャリアを多重した伝送信号を受信し、当該伝送信号を復調する受信装置において行われる受信方法であって、受信した時間領域の前記伝送信号をシンボル毎に周波数領域の復調データに変換する変換ステップと、前記復調データに基づいて周波数領域の伝送路応答データを推定し、推定した前記伝送路応答データに基づいて前記復調データを等化して周波数領域の等化データを算出する等化ステップと、シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去ステップと、を有する。
【発明の効果】
【００１４】
上記受信装置、集積回路、及び受信方法によれば、時間領域の伝送信号を周波数領域の復調データに変換する変換部より後段の周波数領域において干渉成分の算出及び除去を行っているため、回路規模の増大を抑えつつ、シンボル間干渉及びキャリア間干渉の影響を除去することによる受信品質の向上が図られる。【００１５】
上記の受信装置において、前記干渉除去部は、Ｎは１より大きい数であり、Ｔｕは有効シンボル期間の時間幅であるとし、一のシンボルに対応する前記等化データに対して遅延処理及びアップサンプル処理を施して離散周波数間隔が１／（Ｎ×Ｔｕ）の第１等化データを生成して出力する遅延アップサンプル部と、前記一のシンボルに対応する前記伝送路応答データに対してアップサンプル処理を施して離散周波数間隔が１／（Ｎ×Ｔｕ）の第１伝送路応答データを生成するアップサンプル部と、前記第１等化データと前記第１伝送路応答データとをキャリア毎に乗算して第１復調データを生成する乗算部と、前記第１復調データに対して所定の通過特性に基づくフィルタ処理を施して当該第１復調データから遅延波によるシンボル間干渉に係る第１干渉成分を抽出し、当該第１干渉成分を表す第１干渉データを生成する抽出部と、前記第１干渉データに対してダウンサンプル処理を施して前記干渉成分を表す前記干渉データを生成する干渉成分生成部と、前記一のシンボルに対応する前記復調データから前記干渉データを減算する除去部と、を備えるようにしてもよい。【００１６】
これによれば、第１復調データを時間領域でみた場合における隣接する信号成分が重複しなくなるので、遅延波によるシンボル間干渉に係る第１干渉成分を独立して抽出することが可能になり、遅延波によるシンボル間干渉の除去能力の向上が図られる。【００１７】
上記の受信装置において、前記干渉成分生成部は、前記第１干渉データに対して前記ダウンサンプル処理に加え、キャリア毎にガードインターバル期間の時間幅に−1を乗算した値に基づく位相回転処理を施すようにしてもよい。【００１８】
これによれば、受信する伝送信号にガードインターバル期間が付加されている場合にも、復調データから干渉成分の除去を効果的に行うことが可能になる。【００１９】
上記の受信装置において、前記干渉除去部は、Ｎは１より大きい数であり、Ｔｕは有効シンボル期間の時間幅であるとし、一のシンボルに対応する前記等化データに対してアップサンプル処理を施して離散周波数間隔が１／（Ｎ×Ｔｕ）の第１等化データを生成する第１アップサンプル部と、前記一のシンボルに対応する前記伝送路応答データに対してアップサンプル処理を施して離散周波数間隔が１／（Ｎ×Ｔｕ）の第１伝送路応答データを生成する第２アップサンプル部と、前記第１等化データと前記第１伝送路応答データとをキャリア毎に乗算して第１復調データを生成する乗算部と、前記第１復調データに対して所定の通過特性に基づくフィルタ処理を施して当該第１復調データから遅延波によるキャリア間干渉に係る第１干渉成分を抽出し、当該第１干渉成分を表す第１干渉データを生成する抽出部と、前記第１干渉データに対してダウンサンプル処理を施して前記干渉成分を表す前記干渉データを生成する干渉成分生成部と、前記一のシンボルに対応する前記復調データに前記干渉データを加算する除去部と、を備えるようにしてもよい。【００２０】
これによれば、第１復調データを時間領域でみた場合における隣接する信号成分が重複しなくなるので、遅延波によるキャリア間干渉に係る第１干渉成分を独立して抽出することが可能になり、遅延波によるシンボル間干渉の除去能力の向上が図られる。【００２１】
上記の受信装置において、前記干渉除去部は、前記一のシンボルに対応する前記等化データ又は前記第１等化データに対してキャリア毎にガードインターバル期間の時間幅に基づく位相回転処理を施して第２等化データを生成する位相回転部を更に備え、前記位相回転部が前記等化データに対して位相回転処理を施す場合には、前記第１アップサンプル部は前記等化データの代わりに前記第２等化データに対してアップサンプル処理を施して前記第１等化データを生成し、前記位相回転部が前記第１等化データに対して位相回転処理を施す場合には、前記乗算部は前記第１等化データの代わりに前記第２等化データと前記第１伝送路応答データとをキャリア毎に乗算して前記第１復調データを生成し、前記干渉成分生成部は、前記第１干渉データに対して前記ダウンサンプル処理に加え、キャリア毎にガードインターバル期間の時間幅に−1を乗算した値に基づく位相回転処理を施すようにしてもよい。【００２２】
これによれば、受信する伝送信号にガードインターバル期間が付加されている場合にも、復調データから干渉成分の除去を効果的に行うことが可能になる。【００２３】
上記の受信装置において、前記干渉除去部は、一のシンボルに対応する前記等化データに対して遅延処理を施して遅延等化データを出力する遅延部と、前記遅延等化データから前記一のシンボルに対応する前記等化データを減算し、減算結果を表す差分等化データを生成する差分部と、Ｎは１より大きい数であり、Ｔｕは有効シンボル期間の時間幅であるとし、前記差分等化データに対してアップサンプル処理を施して離散周波数間隔が１／（Ｎ×Ｔｕ）の第１差分等化データを生成する第１アップサンプル部と、前記一のシンボルに対応する前記伝送路応答データに対してアップサンプル処理を施して離散周波数間隔が１／（Ｎ×Ｔｕ）の第１伝送路応答データを生成する第２アップサンプル部と、前記第１差分等化データと前記第１伝送路応答データとをキャリア毎に乗算して差分復調データを生成する乗算部と、前記差分復調データに対して所定の通過特性に基づくフィルタ処理を施して当該差分復調データから遅延波によるシンボル間干渉及び遅延波によるキャリア間干渉に係る第１干渉成分を抽出し、当該第１干渉成分を表す第１干渉データを生成する抽出部と、前記第１干渉データに対してダウンサンプル処理を施して前記干渉成分を表す前記干渉データを生成する干渉成分生成部と、前記一のシンボルに対応する前記復調データから前記干渉データを減算する除去部と、を備えるようにしてもよい。【００２４】
これによれば、遅延波によるシンボル間干渉及びキャリア間干渉に係る干渉成分の除去に一部の構成要素を用いているため、回路規模の削減を図りつつ、復調データから遅延波によるシンボル間干渉及びキャリア間干渉に係る双方の干渉成分の除去を行うことが可能になる。【００２５】
上記の受信装置において、前記干渉除去部は、前記一のシンボルに対応する前記等化データに対してキャリア毎にガードインターバル期間の時間幅に基づく位相回転処理を施して第１等化データを生成する位相回転部を更に備え、前記差分部は、前記一のシンボルに対応する前記等化データの代わりに前記第１等化データを用いて、前記遅延等化データから前記第１等化データを減算し、減算結果を表す前記差分等化データを生成し、前記干渉成分生成部は、前記第１干渉データに対して前記ダウンサンプル処理に加え、キャリア毎にガードインターバル期間の時間幅に−1を乗算した値に基づく位相回転処理を施すようにしてもよい。【００２６】
これによれば、受信する伝送信号にガードインターバル期間が付加されている場合にも、復調データから干渉成分の除去を行うことが可能になる。【００２７】
上記の受信装置において、前記干渉除去部は、前記差分復調データに対して所定の通過特性に基づくフィルタ処理を施して当該差分復調データから先行波によるシンボル間干渉及び先行波によるキャリア間干渉に係る第２干渉成分を抽出し、当該第２干渉成分を表す第２干渉データを生成する第１抽出部と、前記第２干渉データに対してダウンサンプル処理を施して先行波によるシンボル間干渉及び先行波によるキャリア間干渉に係る第３干渉成分を表す前記第３干渉データを生成する第１干渉成分生成部と、前記除去部による処理の結果得られた第１復調データに対して遅延処理を施して第１遅延復調データを出力する第１遅延部と、前記第１遅延復調データと前記第３干渉データとを加算する第１除去部と、を更に備えるようにしてもよい。【００２８】
これによれば、復調データから先行波によるシンボル間干渉及びキャリア間干渉に係る干渉成分の除去を行うことが可能になり、更なる受信品質の向上が期待できる。【００２９】
上記の受信装置において、前記一のシンボルに対応する前記伝送路応答データに対して遅延処理及びアップサンプル処理を施して離散周波数間隔が１／（Ｎ×Ｔｕ）の第２伝送路応答データを生成して出力する遅延アップサンプル部と、前記第１差分等化データと前記第２伝送路応答データとをキャリア毎に乗算して第１差分復調データを生成する第１乗算部と、前記第１差分復調データに対して所定の通過特性に基づくフィルタ処理を施して当該第１差分復調データから先行波によるシンボル間干渉及び先行波によるキャリア間干渉に係る第２干渉成分を抽出し、当該第２干渉成分を表す第２干渉データを生成する第１抽出部と、前記第２干渉データに対してダウンサンプル処理を施して先行波によるシンボル間干渉及び先行波によるキャリア間干渉に係る第３干渉成分を表す前記第３干渉データを生成する第１干渉成分生成部と、前記除去部による処理の結果得られた第１復調データに対して遅延処理を施して第１遅延復調データを出力する第１遅延部と、前記第１遅延復調データと前記第３干渉データとを加算する第１除去部と、を更に備えるようにしてもよい。【００３０】
これによれば、送信局間の周波数偏差や伝送路変動による影響を抑えつつ、復調データから先行波によるシンボル間干渉及びキャリア間干渉に係る干渉成分の除去を行うことが可能になり、更なる受信品質の向上が期待できる。【００３１】
上記の受信装置において、前記干渉除去部は、供給される第１遅延復調データを一のシンボルに対応する前記伝送路応答データで除算して第１等化データを生成する除算部と、前記第１等化データ及び前記一のシンボルに対応する前記伝送路応答データに基づいて遅延波によるシンボル間干渉に係る第１干渉成分を算出し、前記一のシンボルに対応する前記等化データ及び前記一のシンボルに対応する前記伝送路応答データに基づいて遅延波によるキャリア間干渉に係る第２干渉成分を算出し、当該第１干渉成分から当該第２干渉成分を減算して前記干渉成分を算出して前記干渉データを生成する干渉成分生成部と、前記一のシンボルに対応する前記復調データから前記干渉データを減算して第１復調データを出力する減算部と、前記第１復調データに対して遅延処理を施して次シンボル用の前記第１遅延復調データを前記除算部へ供給する遅延部と、を備えるようにしてもよい。【００３２】
これによれば、シンボル間干渉及びキャリア間干渉に係る干渉成分が除去された前シンボルの復調データを用いて遅延波によるシンボル間干渉の除去処理を行うことが可能になって、更なる受信品質の向上が図られる。【００３３】
上記の受信装置において、前記干渉除去部は、周波数領域の前記等化データを時間領域の等化信号に変換し、周波数領域の前記伝送路応答データを時間領域の伝送路信号に変換し、前記等化信号及び前記伝送路信号に基づいて前記干渉成分を表す干渉信号を算出し、前記干渉信号に基づいて前記復調データに対して前記干渉成分の除去処理を施すようにしてもよい。【００３４】
これによれば、時間領域で干渉成分を表す干渉信号の算出による干渉成分の除去処理が可能になる。【００３５】
上記の受信装置において、前記復調データと前記干渉除去部による前記除去処理によって得られた第１復調データとの受信品質を比較し、受信品質の良い方を選択して出力する選択部を更に備えるようにしてもよい。【００３６】
これによれば、干渉成分を除去することによって第１復調データの受信品質が低下するような場合には干渉成分が除去されていない復調データが選択され、干渉除去に起因する受信品質の劣化を回避できる。【００３７】
上記の受信装置において、前記干渉除去部は、前記等化データに対して硬判定処理を施して前記除去処理を行うようにしてもよい。【００３８】
これによれば、等化データの推定誤差を小さくすることができるので、受信品質の更なる向上が図られる。【００３９】
上記の受信装置において、直列に多段接続されている前記等化部及び前記干渉除去部を有する処理ブロックを有するようにしてもよい。【００４０】
これによれば、干渉除去処理が複数回繰り返されるので、受信品質の更なる向上が図られる。【００４１】
また、本発明の受信装置は、変調処理が施された複数のキャリアを多重した伝送信号を受信し、当該伝送信号を復調する受信装置であって、受信した時間領域の前記伝送信号をシンボル毎に周波数領域の復調データに変換する変換部と、シンボル毎に、前記復調データを供給される遅延伝送路応答データで除算して等化データを生成する除算部と、シンボル毎に、前記等化データ及び供給される前記遅延伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施して第１復調データを生成する干渉除去部と、前記第１復調データに基づいて周波数領域の伝送路応答データを推定し、推定した前記伝送路応答データに基づいて前記復調データを等化して周波数領域の等化データを算出する等化部と、前記伝送路応答データに対して遅延処理を施して次シンボル用の前記遅延伝送路応答データを前記除算部及び前記干渉除去部へ供給する遅延部と、を備える。【００４２】
これによれば、時間領域の伝送信号を周波数領域の復調データに変換する変換部より後段の周波数領域において干渉成分の算出及び除去を行っているため、回路規模の増大を抑えつつ、シンボル間干渉及びキャリア間干渉の影響を除去することによる受信品質の向上が図られる。また、干渉成分の除去処理を施して生成された第１復調データを用いて伝送路応答データを推定し、この伝送路応答データをフィードバックして干渉データを算出して算出した干渉データに基づいて復調データに対して干渉成分の除去処理を施して第１復調データを生成しているため、伝送路応答データには干渉成分の繰り返し除去の効果が得られ、受信品質の向上が図られる。【００４３】
さらに、本発明の受信装置は、変調処理が施された複数のキャリアを多重した伝送信号を受信し、当該伝送信号を復調する受信装置であって、受信した時間領域の前記伝送信号をシンボル毎に周波数領域の復調データに変換する変換部と、シンボル毎に、前記復調データから、供給される遅延波によるシンボル間干渉に係る干渉成分を表す遅延干渉データを減算して第１復調データを生成する第１干渉除去部と、前記第１復調データに基づいて周波数領域の伝送路応答データを推定し、推定した前記伝送路応答データに基づいて前記第１復調データを等化して周波数領域の等化データを算出する等化部と、シンボル毎に、前記等化データ及び前記伝送路応答データに基づいて遅延波によるシンボル間干渉に係る干渉成分を算出し、当該干渉成分を表す干渉データを生成するとともに、前記第１復調データに対して干渉除去処理を施す第２干渉除去部と、前記干渉データに対して遅延処理を施して次シンボル用の前記遅延干渉データを第１干渉除去部へ供給する遅延部と、を備える。【００４４】
これによれば、時間領域の伝送信号を周波数領域の復調データに変換する変換部より後段の周波数領域において干渉成分の算出及び除去を行っているため、回路規模の増大を抑えつつ、シンボル間干渉及びキャリア間干渉の影響を除去することによる受信品質の向上が図られる。
【図面の簡単な説明】
【００４５】
【図１】ＯＦＤＭ伝送信号を模式的に表した図。
【図２】（ａ）〜（ｇ）は遅延波によるシンボル間干渉及びキャリア間干渉の概要を説明するための図。
【図３】第１の実施の形態の受信装置１の構成図。
【図４】（ａ）〜（ｇ）は図３の受信装置１の処理内容を説明するための図。
【図５】図３の等化部１４の構成図。
【図６】図３の干渉除去部１５の構成図。
【図７】（ａ）〜（ｓ）は図６の干渉除去部１５の処理内容を説明するための図。
【図８】（ａ）は図６の抽出部５７のフィルタの通過帯域を説明するための図であり、（ｂ）は図１４の抽出部８４のフィルタの通過帯域を説明するための図。
【図９】第２の実施の形態の干渉除去部１５ａの構成図。
【図１０】（ａ）〜（ｎ）は図９の干渉除去部１５ａの処理内容を説明するための図。
【図１１】（ａ）〜（ｇ）は先行波によるシンボル間干渉及びキャリア間干渉の概要を説明するための図。
【図１２】第３の実施の形態の受信装置１ｂの構成図。
【図１３】（ａ）〜（ｇ）は図１２の受信装置１ｂの処理内容を説明するための図。
【図１４】図１２の干渉除去部１５ｂの構成図。
【図１５】（ａ）〜（ｏ）は図１４の干渉除去部１５ｂの処理内容を説明するための図。
【図１６】第４の実施の形態の干渉除去部１５ｃの構成図。
【図１７】第５の実施の形態の干渉除去部１５ｄの構成図。
【図１８】第６の実施の形態の干渉除去部１５ｅの構成図。
【図１９】第７の実施の形態の干渉除去部１５ｆの構成図。
【図２０】第８の実施の形態の干渉除去部１５ｇの構成図。
【図２１】第９の実施の形態の受信装置１ｈの構成図。
【図２２】第１０の実施の形態の受信装置１ｉの構成図。
【図２３】第１１の実施の形態の受信装置１ｊの構成図。
【図２４】図２３の干渉除去部２１の構成図。
【図２５】図２３の干渉除去部２３の構成図。
【図２６】第１２の実施の形態の干渉除去部１５ｋの構成図。
【符号の説明】
【００４６】
１  受信装置
１１  アンテナ
１２  チューナ
１３  ＯＦＤＭ復調部
１４  等化部
１５  干渉除去部
１６  等化部
１７  復号部
５１  遅延部
５２，５４，５５  アップサンプル部
５３  位相回転部
５６，６０  乗算部
５７，６１  抽出部
５８，６２  ダウンサンプル部
５９，６３  位相回転部
６４，６５  減算部
【発明を実施するための最良の形態】
【００４７】
≪第１の実施の形態≫
以下、本発明の第１の実施の形態について図面を参照しつつ説明する。但し、本実施の形態及び後述する実施の形態では、ＯＦＤＭ伝送方式に基づいて生成され、無線伝送されたＯＦＤＭ伝送信号を受信する受信装置を例に説明する。なお、ＯＦＤＭ伝送信号は、マルチキャリア伝送方式の一方式であり、地上デジタル放送（ＤＶＢ−Ｔ／Ｈ、ＩＳＤＢ−Ｔなど）や無線ＬＡＮ（ＩＥＥＥ８０２．１１ａ／ｇなど）、Ｗｉ−ＭＡＸ（ＩＥＥＥ８０２．１６）、次世代移動通信など幅広い製品分野で用いられ、或いは、用いられる予定である。【００４８】
＜ＯＦＤＭ伝送信号の概要＞
本実施の形態の受信装置１の構成及び動作を説明する前に、ＯＦＤＭ伝送方式で利用されるＯＦＤＭ伝送信号の概要について図１を参照しつつ説明する。図１は１シンボル分のＯＦＤＭ伝送信号を模式的に表したものであり、図１において横軸は時間を示す。【００４９】
１シンボルの時間幅をＴｓとし、この時間幅Ｔｓを「シンボル期間」と称する。シンボル期間Ｔｓは、「有効シンボル期間」と称する時間幅Ｔｕの期間と、「ガードインターバル期間」と称する時間幅Ｔｇの期間とからなる。【００５０】
ＯＦＤＭ伝送信号は、シンボル毎に、複数のキャリアにデジタル変調を施して多重した信号である。複数のキャリアの周波数は有効シンボル期間Ｔｕで互いに直交する周波数関係にある。この周波数関係は、任意の２つのキャリアの周波数間隔が有効シンボル期間Ｔｕの逆数（１／Ｔｕ）の整数倍になる、関係である。従って、ＯＦＤＭ伝送信号は有効シンボル期間Ｔｕで周期性を有する信号となり、ガードインターバル期間Ｔｇで伝送されるＯＦＤＭ伝送信号は有効シンボル期間Ｔｕの後部の時間幅Ｔｇ分で伝送されるＯＦＤＭ伝送信号をコピーしたものとなる。ガードインターバル期間Ｔｇで伝送されるＯＦＤＭ伝送信号は、サイクリックプレフィックスと呼ばれている。【００５１】
マルチパス伝搬やＳＦＮなどのために複数の到来波が時間差を持って受信装置に到来した場合でも、その時間差がガードインターバル期間Ｔｇ以内であれば、ガードインターバルの作用によってシンボル間干渉の発生を防ぐことが可能である。これとともに、サイクリックプレフィックスの作用によって同一シンボル内の複数のキャリア間の直交性を保持し、キャリア間干渉の発生を防ぐことが可能である。しかしながら、複数の到来波が到来した時間差がガードインターバル期間Ｔｇより大きくなった場合は、シンボル間干渉及びキャリア間干渉が発生する。【００５２】
なお、以下において、適宜、受信レベルが最大の到来波を「主波」と称し、主波より先行して到来する到来波を「先行波」と称し、主波より遅れて到来する到来波を「遅延波」と称する。【００５３】
＜遅延波によるシンボル間干渉及びキャリア間干渉の概要＞
以下、遅延波によるシンボル間干渉及びキャリア間干渉の概要について、１つの遅延波が主波に対してガードインターバル期間Ｔｇより大きい時間遅れて受信装置に到来する場合を例に挙げて、図２（ａ）から図２（ｇ）を参照しつつ説明する。図２（ａ）から図２（ｇ）は遅延波によるシンボル間干渉及びキャリア間干渉の概要を説明するための図であり、図２（ａ）から図２（ｇ）の各図において横軸は時間を示す。【００５４】
図２（ａ）は連続して送信された複数シンボル分のＯＦＤＭ伝送信号ｓ（ｔ）を模式的に表したものであり、送信局は複数シンボル連続してＯＦＤＭ伝送信号を送信しているものとする。ここでは、ｎ番目のシンボルに着目して説明する。なお、図２（ａ）では、着目したｎ番目のシンボルのＯＦＤＭ伝送信号ｓn（ｔ）を隣接する（ｎ−１）番目のシンボルのＯＦＤＭ伝送信号ｓ(n-1)（ｔ）及び（ｎ＋１）番目のシンボルのＯＦＤＭ伝送信号ｓ(n+1)（ｔ）と区別するために、（ｎ−１）番目のシンボルのＯＦＤＭ伝送信号ｓ(n-1)（ｔ）に左斜線（右肩下がりの斜線）の模様を、（ｎ＋１）番目のシンボルのＯＦＤＭ伝送信号ｓ(n+1)（ｔ）に右斜線（右肩上がりの斜線）の模様を施して表している。【００５５】
図２（ｂ）は、伝送路応答を示す伝送路応答信号ｈ（ｔ）を模式的に表したものであり、受信装置に到来する複数の到来波の相対的な時間差と受信レベルとで表している。図２（ｂ）で表した伝送路応答信号ｈ（ｔ）は遅延プロファイルと呼ばれることもある。図２（ｂ）に一例を示す伝送路応答信号ｈ（ｔ）は、受信装置に２つの到来波が到来し、最初に到来した受信レベルが最大の到来波（主波）の到来時刻ｔを０にし（ｔ＝０）、２番目に到来した到来波（遅延波）が主波よりｔｄ時間遅れて到来する様子を表している。なお、２つの到来波が到来した時間差ｔｄがガードインターバル期間Ｔｇより大きい場合を対象としている。【００５６】
図２（ｃ）は、受信装置が受信するＯＦＤＭ伝送信号ｒ（ｔ）を模式的に表したものである。但し、最初に到来した到来波（主波）を上段に、主波よりｔｄ時間遅れて到来した到来波（遅延波）を下段に重ねて表しているが、実際はそれらが加法的に重畳された状態で受信される。なお、図２（ｅ）、図２（ｇ）についても同様にそれらを重ねて表示している。また、図２（ｃ）では、ＯＦＤＭ伝送信号ｓ(n-1)（ｔ）に由来する信号成分に左斜線の模様を、ＯＦＤＭ伝送信号ｓ(n+1)（ｔ）に由来する信号成分に右斜線の模様を施して表している。また、図２（ｅ）及び図２（ｆ）についても同様に模様を施して表している。【００５７】
ＯＦＤＭ伝送信号を受信する受信装置は、シンボル毎に、受信したＯＦＤＭ伝送信号ｒ（ｔ）から有効シンボル期間の時間幅Ｔｕ分のＯＦＤＭ伝送信号を切り出して復調する。ｎ番目のシンボルでは、受信装置は、図２（ｃ）に示すＯＦＤＭ伝送信号ｒ（ｔ）から図２（ｄ）に示す有効シンボル期間の時間幅Ｔｕ分の図２（ｅ）に示すＯＦＤＭ伝送信号ｒn（ｔ）を切り出す。【００５８】
図２（ｆ）は、図２（ｅ）に示すＯＦＤＭ伝送信号ｒn（ｔ）に含まれる（ｎ−１）番目のシンボルのＯＦＤＭ伝送信号ｓ(n-1)（ｔ）に由来する信号成分を表している。この（ｎ−１）番目のシンボルのＯＦＤＭ伝送信号ｓ(n-1)（ｔ）に由来する信号成分がｎ番目のシンボルのＯＦＤＭ伝送信号ｒn（ｔ）における遅延波によるシンボル間干渉に係る干渉成分である。ｎ番目のシンボルのＯＦＤＭ伝送信号ｒn（ｔ）における遅延波によるシンボル間干渉に係る干渉成分は、（ｎ−１）番目のシンボルのＯＦＤＭ伝送信号ｓ(n-1)（ｔ）に関する遅延波の最後から時間をさかのぼった（ｔｄ−Ｔｇ）期間の信号成分である。【００５９】
図２（ｇ）は、図２（ｅ）に示すＯＦＤＭ伝送信号ｒn（ｔ）に含まれるｎ番目のシンボルのＯＦＤＭ伝送信号ｓn（ｔ）に由来する信号成分を表す。図２（ｇ）から、ＯＦＤＭ伝送信号ｒn（ｔ）に含まれるｎ番目のシンボルのＯＦＤＭ伝送信号ｓn（ｔ）に由来する遅延波の信号成分の時間幅は有効シンボル期間の時間幅Ｔｕに満たないことが分かる。この遅延波の信号成分の時間幅が有効シンボル期間の時間幅Ｔｕに満たないことから、ＯＦＤＭ伝送信号ｒn（ｔ）を形成する複数のキャリア間の直交性を保持できず、複数のキャリアの各々を復調する際にキャリア間干渉が生じてしまう。このｎ番目のシンボルのＯＦＤＭ伝送信号ｓn（ｔ）に由来する遅延波の信号成分の不足している信号成分がｎ番目のシンボルのＯＦＤＭ伝送信号ｒn（ｔ）における遅延波によるキャリア間干渉に係る干渉成分である。ｎ番目のシンボルのＯＦＤＭ伝送信号ｒn（ｔ）における遅延波によるキャリア間干渉に係る干渉成分は、ｎ番目のシンボルのＯＦＤＭ伝送信号ｓn（ｔ）に関する遅延波の最後よりｔｄ時間前の時間位置から（ｔｄ−Ｔｇ）期間の信号成分である。【００６０】
＜受信装置１の構成及び動作＞
以下、本実施の形態の受信装置１の構成及び動作について図３及び図４（ａ）から図４（ｇ）を参照しつつ説明する。図３は本実施の形態の受信装置１の構成図であり、図４（ａ）から図４（ｇ）は図３の受信装置１の処理内容を説明するための図である。【００６１】
受信装置１は、アンテナ１１と、チューナ１２と、ＯＦＤＭ復調部１３と、等化部１４と、干渉除去部１５と、等化部１６と、復号部１７とを備える。【００６２】
アンテナ１１は、図示しない送信局から発せられたＯＦＤＭ伝送信号を受信し、受信したＯＦＤＭ伝送信号をチューナ１２へ供給する。チューナ１２は、アンテナ１１から供給されたＯＦＤＭ伝送信号から所望のチャネルのＯＦＤＭ伝送信号ｒ（ｔ）を選択し、選択したＯＦＤＭ伝送信号ｒ（ｔ）をＯＦＤＭ復調部１３へ出力する。【００６３】
図４（ａ）は送信局から発せられたＯＦＤＭ伝送信号ｓ（ｔ）を模式的に表したものである。図４（ｂ）は伝送路応答信号ｈ（ｔ）を模式的に表したものである。図４（ｃ）は受信装置１が受信し、選択したＯＦＤＭ伝送信号ｒ（ｔ）を模式的に表したものである。【００６４】
但し、図４（ａ）中のＸ(n-1)、Ｘn及びＸ(n+1)は、夫々、（ｎ−１）番目のシンボル、ｎ番目のシンボル及び（ｎ＋１）番目のシンボルにおいて、送信側で複数のキャリアに変調を施した変調ベクトルを表す。なお、（ｎ−１）番目のシンボルのＯＦＤＭ伝送信号ｓ(n-1)（ｔ）に左斜線の模様を、（ｎ＋１）番目のシンボルのＯＦＤＭ伝送信号ｓ(n+1)（ｔ）に右斜線の模様を施して表している。また、図４（ｃ）では、ＯＦＤＭ伝送信号ｓ(n-1)（ｔ）に由来する信号成分に左斜線の模様を、ＯＦＤＭ伝送信号ｓ(n+1)（ｔ）に由来する信号成分に右斜線の模様を施して表している。【００６５】
ＯＦＤＭ復調部１３は、図示しないシンボル同期部が生成したシンボル同期信号に従って、シンボル毎に、チューナ１２から供給された図４（ｃ）に示すＯＦＤＭ伝送信号ｒ（ｔ）から図４（ｄ）に示した有効シンボル期間の時間幅Ｔｕ分のＯＦＤＭ伝送信号を切り出し、切り出したＯＦＤＭ伝送信号に離散フーリエ変換を施す。そして、ＯＦＤＭ復調部１３は離散フーリエ変換の結果得られた周波数領域の復調ベクトルＹを等化部１４及び干渉除去部１５へ供給する。なお、離散フーリエ変換は高速フーリエ変換を使って高速に計算可能である。図４（ｅ）は、ＯＦＤＭ復調部１３が出力する周波数領域の復調ベクトルＹを時間領域の信号に変換して模式的に表したものである。但し、図４（ｅ）中の記号Ｙ(n-1)、Ｙn及びＹ(n+1)は、夫々、（ｎ−１）番目のシンボル、ｎ番目のシンボル及び（ｎ＋１）番目のシンボルにおいて、ＯＦＤＭ復調部１３が出力する復調ベクトルＹを表す。なお、（ｎ−１）番目のシンボルのＯＦＤＭ伝送信号ｓ(n-1)（ｔ）に由来する信号成分に左斜線の模様を、（ｎ＋１）番目のシンボルのＯＦＤＭ伝送信号ｓ(n+1)（ｔ）に由来する信号成分に右斜線の模様を施して表している。【００６６】
上述したアンテナ１１からＯＦＤＭ復調部１３までの構成は一般的なＯＦＤＭ伝送信号を受信する受信装置に利用されている構成と同じであり、これ以上の詳細説明は行わない。【００６７】
なお、ＯＦＤＭ復調部１３より後の各部の処理は周波数領域で行われるが、説明を簡単にするために、適宜、時間領域で表した信号を用いて説明を行う。【００６８】
等化部１４は、ＯＦＤＭ復調部１３から供給された復調ベクトルＹから伝送路応答ベクトルＨ’を推定し、推定した伝送路応答ベクトルＨ’に基づいて復調ベクトルＹを等化して等化ベクトルＸ’を算出し、伝送路応答ベクトルＨ’と等化ベクトルＸ’とを干渉除去部１５へ供給する。図４（ｆ）は、等化部１４が出力する周波数領域の伝送路応答ベクトルＨ’を時間領域の信号に変換して模式的に表したものであり、図４（ｇ）は、等化部１４が出力する周波数領域の等化ベクトルＸ’を時間領域の信号に変換して模式的に表したものである。但し、図４（ｆ）中のＨ’(n-1)、Ｈ’n及びＨ’(n+1)は、夫々、（ｎ−１）番目のシンボル、ｎ番目のシンボル及び（ｎ＋１）番目のシンボルにおいて、等化部１４が出力する伝送路応答ベクトルＨ’を表す。また、図４（ｇ）中のＸ’(n-1)、Ｘ’n及びＸ’(n+1)は、夫々、（ｎ−１）番目のシンボル、ｎ番目のシンボル及び（ｎ＋１）番目のシンボルにおいて、等化部１４が出力する等化ベクトルＸ’を表す。なお、（ｎ−１）番目の等化ベクトルＸ’(n-1)に左斜線の模様を、（ｎ＋１）番目のシンボルの等化ベクトルＸ’(n+1)に右斜線の模様を施して表している。【００６９】
等化部１４から出力される等化ベクトルＸ’は、伝送路等化の処理によって、送信側で変調を行った変調ベクトルＸを再生したものである。しかしながら、ガードインターバル期間Ｔｇを超える遅延波が存在する環境下では、等化部１４から出力される等化ベクトルＸ’は、変調ベクトルＸに対して遅延波によるシンボル間干渉及びキャリア間干渉に係る干渉成分を含む。【００７０】
干渉除去部１５は、等化部１４から供給された伝送路応答ベクトルＨ’と等化ベクトルＸ’とを用いて、ＯＦＤＭ復調部１３から供給された復調ベクトルＹに含まれる遅延波によるシンボル間干渉に係る干渉成分を表す干渉ベクトル及び復調ベクトルＹに不足する遅延波によるキャリア間干渉に係る干渉成分を表す干渉ベクトルを算出する。そして、干渉除去部１５は、復調ベクトルＹに対して、遅延波によるシンボル間干渉に係る干渉成分を表す干渉ベクトルを差し引く処理及び遅延波によるキャリア間干渉に係る干渉成分を表す干渉ベクトルを足し込む処理を行い、これらの処理の結果得られた復調ベクトルＹ’を等化部１６へ供給する。【００７１】
等化部１６は、干渉除去部１５から供給された復調ベクトルＹ’から伝送路応答ベクトルＨ”を推定し、推定した伝送路応答ベクトルＨ”に基づいて復調ベクトルＹ’を等化して等化ベクトルＸ”を算出し、等化ベクトルＸ”を復号部１７へ供給する。復号部１７は、等化部１６から供給された等化ベクトルＸ”にデマッピング処理を施して変調ベクトルＸを判定し、判定結果に誤り訂正などの復号処理を施すことによって伝送された情報を判定して出力する。【００７２】
［等化部１４の構成及び動作］
以下、図３の等化部１４の構成及び動作について図５を参照しつつ説明する。図５は、図３の等化部１４の構成図である。但し、図５に示す等化部１４の構成は地上デジタル放送方式において伝送路等化に一般に用いられている既知の構成である。なお、図３の等化部１６は図５に示した構成と実質的に同じ構成を利用することができる。【００７３】
等化部１４は、ＳＰ抽出部３１と、ＳＰ生成部３２と、除算部３３と、シンボル補間フィルタ３４と、キャリア補間フィルタ３５と、除算部３６とを備える。【００７４】
ＯＦＤＭ復調部１３から出力された復調ベクトルＹは、等化部１４内のＳＰ抽出部３１及び除算部３６に供給される。なお、等化部１４の説明における各ベクトルに付記する（Ｎ１，Ｎ２）のＮ１はシンボル番号を、Ｎ２はキャリア番号を表す。【００７５】
ＳＰ抽出部３１は、ＯＦＤＭ復調部１３から供給された復調ベクトルＹ（ｎ，ｋ）から分散パイロットに対応する復調ベクトルＹ（ｎ，ｋsp（ｎ））を抽出し、抽出した復調ベクトルＹ（ｎ，ｋsp（ｎ））を除算部３３へ供給する。なお、ｋsp（ｎ）は、シンボル番号ｎにおける分散パイロットに対応するキャリアのキャリア番号を表す。ＳＰ生成部３２は、送信側で生成された変調ベクトルＸ（ｎ，ｋsp（ｎ））と同じ振幅及び同じ位相の参照ベクトルＳＰ（ｎ，ｋsp（ｎ））を生成し、生成した参照ベクトルＳＰ（ｎ，ｋsp（ｎ））を除算部３３へ供給する。除算部３３は、ＳＰ抽出部３１から供給された復調ベクトルＹ（ｎ，ｋsp（ｎ））をＳＰ生成部３２から供給された参照ベクトルＳＰ（ｎ，ｋsp（ｎ））で除算し、除算結果を伝送路応答ベクトルＨ’（ｎ，ｋsp（ｎ））としてシンボル補間フィルタ３４へ供給する。【００７６】
シンボル補間フィルタ３４は、除算部３３から供給された伝送路応答ベクトルＨ’（ｎ，ｋsp（ｎ））を用いてシンボル−キャリア平面上でシンボル方向に補間処理を行い、キャリア補間フィルタ３５は、シンボル補間フィルタ３４によるシンボル方向の補間処理の結果を用いてシンボル−キャリア平面上でキャリア方向に補間処理を行う。キャリア補間フィルタ３５は、キャリア方向の補間処理の結果得られた伝送路応答ベクトルＨ’（ｎ，ｋ）を除算部３６及び干渉除去部１５へ供給する。なお、キャリア補間フィルタ３５から出力される伝送路応答ベクトルＨ’は、シンボル毎でキャリア毎の伝送路応答ベクトルである。【００７７】
除算部３６は、ＯＦＤＭ復調部１３から供給された復調ベクトルＹ（ｎ、ｋ）をキャリア補間フィルタ３５から供給された伝送路応答ベクトルＨ’（ｎ，ｋ）で除算し、除算結果を等化ベクトルＸ’（ｎ，ｋ）として干渉除去部１５へ供給する。なお、除算部３６から出力される等化ベクトルＸ’は、シンボル毎でキャリア毎の等化ベクトルである。【００７８】
［干渉除去部１５の構成及び動作］
図３の干渉除去部１５の構成及び動作について図６及び図７（ａ）から図７（ｓ）を参照しつつ説明する。図６は図３の干渉除去部１５の構成図であり、図７（ａ）から図７（ｓ）は図６の干渉除去部１５の処理内容を説明するための図である。【００７９】
干渉除去部１５は、遅延部５１と、アップサンプル部５２と、位相回転部５３と、アップサンプル部５４と、アップサンプル部５５と、乗算部５６と、抽出部５７と、ダウンサンプル部５８と、位相回転部５９と、乗算部６０と、抽出部６１と、ダウンサンプル部６２と、位相回転部６３と、減算部６４と、減算部６５とを備える。【００８０】
ＯＦＤＭ復調部１３から出力された復調ベクトルＹは干渉除去部１５内の減算部６５に供給される。等化部１４から出力された等化ベクトルＸ’は干渉除去部１５内の遅延部５１及び位相回転部５３に供給され、等化部１４から出力された伝送路応答ベクトルＨ’は干渉除去部１５内のアップサンプル部５５に供給される。図７（ａ）は、ｎ番目のシンボルにおいて、ＯＦＤＭ復調部１３が出力する周波数領域の復調ベクトルＹnを時間領域の信号に変換して模式的に表したものであり、（ｎ−１）番目のシンボルのＯＦＤＭ伝送信号ｓ(n-1)（ｔ）に由来する信号成分に左斜線の模様を施して表している。図７（ｂ）は、ｎ番目のシンボルにおいて、等化部１４が出力する周波数領域の等化ベクトルＸ’nを時間領域の信号に変換して模式的に表したものである。図７（ｃ）は、ｎ番目のシンボルにおいて、等化部１４が出力する周波数領域の伝送路応答ベクトルＨ’nを時間領域の信号に変換して模式的に表したものである。【００８１】
復調ベクトルＹn、等化ベクトルＸ’n及び伝送路応答ベクトルＨ’nは、夫々、ＯＦＤＭ伝送で用いられた複数のキャリアの離散周波数毎に得られている。ＯＦＤＭ伝送で用いられる複数のキャリアの周波数は、有効シンボル期間の時間幅をＴｕとした場合、（１／Ｔｕ）間隔の離散周波数である。このため、周波数領域の復調ベクトルＹn、等化ベクトルＸ’n及び伝送路応答ベクトルＨ’nを時間領域の信号で表すと、図７（ａ）、図７（ｂ）及び図７（ｃ）に示すように、有効シンボル期間の時間幅Ｔｕを周期とする繰り返し信号で表される。【００８２】
以下、干渉除去部１５の構成及び動作の説明を、遅延波によるシンボル間干渉に係る干渉成分（以下、「遅延波シンボル間干渉成分」と言う。）の計算と、遅延波によるキャリア間干渉に係る干渉成分（以下、「遅延波キャリア間干渉成分」と言う。）の計算と、復調ベクトルから遅延波シンボル間干渉成分及び遅延波キャリア間干渉成分を除去する干渉除去処理の３つに分けて説明する。但し、遅延波又は後述する先行波によるシンボル間干渉に係る干渉成分を除去する処理は復調ベクトルからそれを差し引く処理であり、遅延波又は先行波によるキャリア間干渉に係る干渉成分を除去する処理は復調ベクトルにそれを足し込む処理である。なお、ｎ番目のシンボルに対応する復調ベクトルＹn、等化ベクトルＸ’n及び伝送路応答ベクトルＨ’nが干渉除去部１５に供給されるときの干渉除去部１５内の各部の処理内容を例に挙げて説明する。【００８３】
（遅延波シンボル間干渉成分の計算）
遅延部５１は、等化部１４から供給された等化ベクトルＸ’を１シンボルの処理期間に相当する時間分、つまり１シンボル分遅延させて出力する。これによって、ｎ番目のシンボルに対応する復調ベクトルＹn、等化ベクトルＸ’n及び伝送路応答ベクトルＨ’nが干渉除去部１５に供給されて干渉除去部１５が処理を行うとき、遅延部５１からアップサンプル部５２に（ｎ−１）番目のシンボルに対応する等化ベクトルＸ’(n-1)が供給される。図７（ｄ）は、遅延部５１が出力する周波数領域の等化ベクトルＸ’(n-1)を時間領域の信号に変換して模式的に表したものである。なお、図７（ｄ）、図７（ｅ）、図７（ｇ）、図７（ｉ）、図７（ｊ）及び図７（ｋ）では、等化ベクトルＸ’(n-1)に関する信号成分であることを示すために左斜線の模様を施して表している。【００８４】
アップサンプル部５２は、遅延部５１から供給された等化ベクトルＸ’(n-1)を２倍にアップサンプリングし、アップサンプリングの結果得られた等化ベクトルＸ’2(n-1)を乗算部５６へ供給する。図７（ｅ）は、アップサンプル部５２が出力する周波数領域の等化ベクトルＸ’2(n-1)を時間領域の信号に変換して模式的に表したものである。等化ベクトルＸ’2(n-1)は離散周波数の間隔が１／Ｔｕの等化ベクトルＸ’(n-1)を２倍にアップサンプリングして作成したものであることから、等化ベクトルＸ’2(n-1)の離散周波数の間隔は１／（２×Ｔｕ）となる。図７（ｅ）に示すように、周波数領域の等化ベクトルＸ’2(n-1)を時間領域の信号で表すと、有効シンボル期間の時間幅Ｔｕの２倍を周期とする繰り返し信号で表される。【００８５】
但し、２倍のアップサンプリングは、例えば、等化ベクトルＸ’(n-1)に対してキャリアとキャリアとの間に０を挿入した後にＦＩＲ（Finite Impulse Response）フィルタで生成したハーフバンドフィルタを通過させることによって実現できる。また、他の構成要素で行われる２倍のアップサンプリングも同様にして実現することができる。なお、アップサンプリングは既知の技術であるので、これ以上の詳細説明は行わない。【００８６】
アンプサンプル部５５は、等化部１４から供給されたｎ番目のシンボルに対応する伝送路応答ベクトルＨ’nを２倍にアップサンプリングし、アップサンプリングの結果得られた伝送路応答ベクトルＨ’2nを乗算部５６へ供給する。図７（ｆ）は、アップサンプル部５５が出力する周波数領域の伝送路応答ベクトルＨ’2nを時間領域の信号に変換して模式的に表したものである。伝送路応答ベクトルＨ’2nは離散周波数の間隔が１／Ｔｕの伝送路応答ベクトルＨ’nを２倍にアップサンプリングして作成したものであることから、伝送路応答ベクトルＨ’2nの離散周波数の間隔は１／（２×Ｔｕ）となる。図７（ｆ）に示すように、周波数領域の伝送路応答ベクトルＨ’2nを時間領域の信号で表すと、有効シンボル期間の時間幅Ｔｕの２倍を周期とする繰り返し信号で表される。【００８７】
乗算部５６は、アップサンプル部５２から供給された等化ベクトルＸ’2(n-1)とアップサンプル部５５から供給された伝送路応答ベクトルＨ’2nとをキャリア毎に乗算し、乗算の結果得られた復調ベクトルＹ１’2(n-1)を抽出部５７へ供給する。図７（ｇ）は、乗算部５６が出力する周波数領域の復調ベクトルＹ１’2(n-1)を時間領域の信号に変換して模式的に表したものであり、上段は主波に関する信号成分であり、下段は遅延波に関する信号成分である。図７（ｇ）に示す時間領域の信号は、時間領域で図７（ｅ）に示す信号と図７（ｆ）に示す信号とを畳みこんだものである。【００８８】
図７（ｇ）から分かる通り、等化ベクトルＸ’(n-1)と伝送路応答ベクトルＨ’nとを２倍にアップサンプリングしてから乗算することによって、主波に対する遅延波の遅延時間ｔｄが有効シンボル期間の時間幅Ｔｕ以内の場合には、２×Ｔｕ離れた左右の繰り返し成分が互いに干渉することがない。この結果、復調ベクトルＹnに含まれる遅延波シンボル間干渉成分を復調ベクトルＹ１’2(n-1)を利用することによって独立して観測可能になる。【００８９】
抽出部５７は、例えばＦＩＲフィルタで構成され、下記に説明する通過帯域の通過特性を有している。抽出部５７は、乗算部５６から供給された復調ベクトルＹ１’2(n-1)にフィルタ処理を施すことによって、復調ベクトルＹ１’2(n-1)から、復調ベクトルＹnに関係する遅延波シンボル間干渉成分を抽出し、抽出した遅延波シンボル間干渉成分を表す干渉ベクトルＥ１’2nを生成し、生成した干渉ベクトルＥ１’2nをダウンサンプル部５８へ供給する。抽出部５７によって抽出される遅延波シンボル間干渉成分は、復調ベクトルＹ１’2(n-1)に含まれる信号成分のうちの、（ｎ−１）番目のシンボルにおける主波に対してｔｄ時間遅延した遅延波の最後から時間をさかのぼった（ｔｄ−Ｔｇ）期間の信号成分であり、復調ベクトルＹ’nに含まれる遅延波シンボル間干渉成分に関係する信号成分である。図７（ｈ）は、抽出部５７のフィルタの通過帯域を時間領域で表した模式図である。図７（ｉ）は、抽出部５７が出力する周波数領域の干渉ベクトルＥ１’2nを時間領域の信号に変換して模式的に表したものである。【００９０】
以下に、抽出部５７のフィルタの通過帯域について図８（ａ）を参照しつつ説明する。図８（ａ）は図６の抽出部５７のフィルタの通過帯域を説明するための図であり、抽出部５７のフィルタの通過帯域を時間領域で表した模式図である。但し、図８（ａ）では、有効シンボル期間をＴｕ、ガードインターバル期間をＴｇとし、アップサンプリングのアップレートを２としている。【００９１】
抽出部５７が（Ｔｕ／Ｔｇ）／２を超える信号成分を抽出できれば干渉成分の除去が可能である。このことから、時間領域でみた場合のフィルタの通過帯域の左端は、（Ｔｕ／Ｔｇ）／２を超える信号成分を抽出できるように設定する。但し、通過帯域の右端は、折り返し成分が入ると劣化を起こすので、折り返し成分がフィルタの通過帯域に入らないように設定することが好ましい。【００９２】
なお、抽出部５７は周波数領域で信号処理を行うものであるので、上述した内容を踏まえて、抽出部５７のフィルタの周波数領域でのフィルタ係数を決定すればよい。【００９３】
ダウンサンプル部５８は、抽出部５７から供給された干渉ベクトルＥ１’2nを１／２倍にダウンサンプリングし、ダウンサンプリングの結果得られた干渉ベクトルＥ１’nを位相回転部５９へ供給する。図７（ｊ）は、ダウンサンプル部５８が出力する周波数領域の干渉ベクトルＥ１’nを時間領域の信号に変換して模式的に表したものである。図７（ｊ）に示すように、周波数領域の干渉ベクトルＥ１’nを時間領域の信号で表すと、有効シンボル期間の時間幅Ｔｕを周期とする繰り返し信号で表される。【００９４】
位相回転部５９は、ダウンサンプル部５８から供給された干渉ベクトルＥ１’nを時間領域で−Ｔｇ時間シフトするようにキャリア毎に位相回転させ、位相回転の結果得られた干渉ベクトルＥ１’rotnを減算部６４へ供給する。図７（ｋ）は、位相回転部５９が出力する周波数領域の干渉ベクトルＥ１’rotnを時間領域の信号に変換して模式的に表したものである。図７（ａ）と図７（ｋ）とから、干渉ベクトルＥ１’rotnに含まれる遅延波シンボル間干渉成分の時間位置が復調ベクトルＹnに含まれる遅延波シンボル間干渉成分の時間位置に一致していることが分かる。【００９５】
なお、干渉ベクトルＥ１’nを時間領域で−Ｔｇ時間シフトするようにキャリア毎に位相回転させる処理は、信号の繰り返し周期がＴｕの場合、つまり、離散周波数間隔が１／Ｔｕの場合、周波数領域におけるキャリア番号をｆ（ｆは０以上ＮFFT未満の整数であり、ＮFFTはＯＦＤＭ復調部１３における離散フーリエ変換のサンプル数）とすると、周波数領域で干渉ベクトルＥ１’nをキャリア毎に２π×（−Ｔｇ／Ｔｕ）×ｆ分位相回転させる処理である。なお、他のベクトルを時間領域で−Ｔｇ時間シフトするようにキャリア毎に位相回転させる場合についても同様のことが言える。【００９６】
（遅延波キャリア間干渉成分の計算）
位相回転部５３は、等化部１４から供給されたｎ番目のシンボルに対応する等化ベクトルＸ’nを時間領域でＴｇ時間シフトするようにキャリア毎に位相回転させ、位相回転の結果得られた等化ベクトルＸ’rotnをアップサンプル部５４へ供給する。図７（ｌ）は、位相回転部５３が出力する周波数領域の等化ベクトルＸ’rotnを時間領域の信号に変換して模式的に表したものである。【００９７】
なお、等化ベクトルＸ’nを時間領域でＴｇ時間シフトするようにキャリア毎に位相回転させる処理は、信号の繰り返し周期がＴｕの場合、つまり、離散周波数間隔が１／Ｔｕの場合、周波数領域におけるキャリア番号をｆ（ｆは０以上ＮFFT未満の整数であり、ＮFFTはＯＦＤＭ復調部１３における離散フーリエ変換のサンプル数）とすると、周波数領域で等化ベクトルＸ’nをキャリア毎に２π×（Ｔｇ／Ｔｕ）×ｆ分位相回転させる処理である。なお、他のベクトルを時間領域でＴｇ時間シフトするようにキャリア毎に位相回転させる場合についても同様のことが言える。【００９８】
アップサンプル部５４は、位相回転部５３から供給された等化ベクトルＸ’rotnを２倍にアップサンプリングし、アップサンプリングの結果得られた等化ベクトルＸ’rot2nを乗算部６０へ供給する。図７（ｍ）は、アップサンプル部５４が出力する周波数領域の等化ベクトルＸ’rot2nを時間領域の信号に変換して模式的に表したものである。等化ベクトルＸ’rot2nは離散周波数の間隔が１／Ｔｕの等化ベクトルＸ’rotnを２倍にアップサンプリングして作成したものであることから、等化ベクトルＸ’rot2nの離散周波数の間隔は１／（２×Ｔｕ）となる。図７（ｍ）に示すように、周波数領域の等化ベクトルＸ’rot2nを時間領域の信号で表すと、有効シンボル期間の時間幅Ｔｕの２倍を周期とする繰り返し信号で表される。【００９９】
アンプサンプル部５５は、等化部１４から供給されたｎ番目のシンボルに対応する伝送路応答ベクトルＨ’nを２倍にアップサンプリングし、アップサンプリングの結果得られた伝送路応答ベクトルＨ’2nを乗算部６０へ出力する（図２（ｆ）参照）。なお、この処理は、遅延波シンボル間干渉成分の計算と共用され、それと別個に行われるものではない。【０１００】
乗算部６０は、アップサンプル部５４から供給された等化ベクトルＸ’rot2nとアップサンプル部５５から供給された伝送路応答ベクトルＨ’2nとをキャリア毎に乗算し、乗算の結果得られた復調ベクトルＹ２’2nを抽出部６１へ供給する。図７（ｎ）は、乗算部６０が出力する周波数領域の復調ベクトルＹ２’2nを時間領域の信号に変換して模式的に表したものであり、上段は主波に関する信号成分であり、下段は遅延波に関する信号成分である。図７（ｎ）に示す時間領域の信号は、時間領域で図７（ｍ）に示す信号と図７（ｆ）に示す信号とを畳みこんだものである。【０１０１】
図７（ｎ）から分かる通り、等化ベクトルＸ’rotnと伝送路応答ベクトルＨ’nとを２倍にアップサンプリングしてから乗算することによって、主波に対する遅延波の遅延時間ｔｄが有効シンボル期間の時間幅Ｔｕ以内の場合には、２×Ｔｕ離れた左右の繰り返し成分が互いに干渉することがない。この結果、復調ベクトルＹnに不足する遅延波キャリア間干渉成分を復調ベクトルＹ２’2n利用することによって独立して観測可能になる。【０１０２】
抽出部６１は、例えばＦＩＲフィルタで構成され、抽出部５７と同じ通過帯域の通過特性を有している。抽出部６１は、乗算部６０から供給された復調ベクトルＹ２’2nにフィルタ処理を施すことによって、復調ベクトルＹ２’2nから、復調ベクトルＹnに関係する遅延波キャリア間干渉成分を抽出し、抽出した遅延波キャリア間干渉成分を表す干渉ベクトルＥ２’2nを生成し、生成した干渉ベクトルＥ２’2nをダウンサンプル部６２へ供給する。抽出部６１によって抽出される遅延波キャリア間干渉成分は、復調ベクトルＹ２’2nに含まれる信号成分のうちの、ｎ番目のシンボルにおける主波に対してｔｄ時間遅延した遅延波の最後よりｔｄ時間前の時間位置から（ｔｄ−Ｔｇ）期間の信号成分であり、復調ベクトルＹ’nに不足する遅延波キャリア間干渉成分に関係する信号成分である。この信号成分の抽出はガードインターバル期間を考慮した位相回転を等化ベクトルＸ’に施すことによって可能になる。図７（ｏ）は、抽出部６１のフィルタの通過帯域を時間領域で表した模式図である。図７（ｐ）は、抽出部６１が出力する周波数領域の干渉ベクトルＥ２’2nを時間領域の信号に変換して模式的に表したものである。【０１０３】
ダウンサンプル部６２は、抽出部６１から供給された干渉ベクトルＥ２’2nを１／２倍にダウンサンプリングし、ダウンサンプリングの結果得られた干渉ベクトルＥ２’nを位相回転部６３へ供給する。図７（ｑ）は、ダウンサンプル部６２が出力する周波数領域の干渉ベクトルＥ２’nを時間領域の信号に変換して模式的に表したものである。図７（ｑ）に示すように、周波数領域の干渉ベクトルＥ２’nを時間領域の信号で表すと、有効シンボル期間の時間幅Ｔｕを周期とする繰り返し信号で表される。【０１０４】
位相回転部６３は、ダウンサンプル部６２から供給された干渉ベクトルＥ２’nを時間領域で−Ｔｇ時間シフトするようにキャリア毎に位相回転させ、位相回転の結果得られた干渉ベクトルＥ２’rotnを減算部６４へ供給する。図７（ｒ）は、位相回転部６３が出力する周波数領域の干渉ベクトルＥ２’rotnを時間領域の信号に変換して模式的に表したものである。図７（ａ）と図７（ｒ）とから、干渉ベクトルＥ２’rotnに含まれる遅延波キャリア間干渉成分の時間位置が復調ベクトルＹnに含まれる遅延波キャリア間干渉成分の時間位置に一致していることが分かる。【０１０５】
（干渉除去処理）
減算部６４は、位相回転部５９から供給された干渉ベクトルＥ１’rotnから位相回転部６３から供給された干渉ベクトルＥ２’rotnを減算し、減算の結果得られた干渉ベクトルＥ１’rotn−Ｅ２’rotnを減算部６５へ供給する。減算部６５は、ＯＦＤＭ復調部１３から供給されたｎ番目のシンボルに対応する復調ベクトルＹnから減算部６４から供給された干渉ベクトルＥ１’rotn−Ｅ２’rotnを減算し、減算の結果得られた復調ベクトルＹ’n（＝Ｙn−Ｅ１’rotn＋Ｅ２’rotn）を等化部１６へ供給する。図７（ｓ）は、減算部７７が出力する周波数領域の復調ベクトルＹ’nを時間領域の信号に変換して模式的に表したものである。【０１０６】
上記の受信装置１によれば、ガードインターバル期間を超える遅延波が存在する環境下でも、復調ベクトルＹから遅延波によるシンボル間干渉及びキャリア間干渉に係る各干渉成分を除去できるので、それらによる受信品質の劣化を効果的に抑えることができる。また、受信装置の到来波の数は３以上であっても、復調ベクトルＹから遅延波によるシンボル間干渉及びキャリア間干渉に係る各干渉成分を除去可能である。【０１０７】
また、上記の受信装置１によれば、復調ベクトルＹに対する遅延波によるシンボル間干渉及びキャリア間干渉に係る各干渉成分の除去処理を周波数領域で行っているので、それを時間領域で行う場合と比較して回路規模及び演算量を大幅に削減できる。【０１０８】
更に、上記の受信装置１によれば、復調ベクトルＹから遅延波によるシンボル間干渉及びキャリア間干渉による誤差を除去した後、再度伝送路等化を行う構成になっている。このため、復調ベクトルＹに対する干渉除去処理を復調ベクトルＹと同時刻の伝送路応答ベクトルを用いることができ、伝送路の時間変動による影響を受けず、送信局間の周波数偏差などによる変動に対する耐性が強い。【０１０９】
なお、上記の受信装置１は、ＯＦＤＭ伝送信号ｒ（ｔ）に対するフーリエ変換窓の切り出し位置が適切に設定されない場合にもシンボル間干渉及びキャリア間干渉が発生するが、このようなシンボル間干渉及びキャリア間干渉の夫々に係る干渉成分の除去も可能である。なお、フーリエ変換窓の切り出し位置がシンボル間で変化する場合は、その変化値に基づいてキャリア毎に位相回転を施すことにより補正が可能である。【０１１０】
≪第２の実施の形態≫
以下、本発明の第２の実施の形態について図面を参照しつつ説明する。但し、本実施の形態の受信装置は、第１の実施の形態の干渉除去部１５の内部構成を変更した干渉除去部１５ａを有し、それ以外の構成要素は受信装置１と実質的に同じであることから、干渉除去部１５ａについてのみ説明する。なお、本実施の形態において、第１の実施の形態の構成要素と実質的に同じ構成要素には同じ符号を付し、その説明が適用できるためその説明を省略する。【０１１１】
［干渉除去部１５ａの構成及び動作］
本実施の形態の干渉除去部１５ａの構成及び動作について図９及び図１０（ａ）から図１０（ｎ）を参照しつつ説明する。図９は本実施の形態の干渉除去部１５ａの構成図であり、図１０（ａ）から図１０（ｎ）は図９の干渉除去部１５ａの処理内容を説明するための図である。【０１１２】
干渉除去部１５ａは、遅延部５１と、位相回転部５３と、減算部７１と、アップサンプル部７２と、アップサンプル部５５と、乗算部７３と、抽出部７４と、ダウンサンプル部７５と、位相回転部７６と、減算部７７とを備える。但し、干渉除去部１５は遅延波シンボル間干渉成分及び遅延波キャリア間干渉成分を別個に処理している。これに対して、干渉除去部１５ａは遅延波シンボル間干渉成分及び遅延波キャリア間干渉成分を一体として処理し、回路規模及び演算量の削減を図っている。【０１１３】
ＯＦＤＭ復調部１３から出力された復調ベクトルＹは干渉除去部１５ａ内の減算部７７に供給される。等化部１４から出力された等化ベクトルＸ’は干渉除去部１５ａ内の遅延部５１及び位相回転部５３に供給され、等化部１４から出力された伝送路応答ベクトルＨ’は干渉除去部１５ａ内のアップサンプル部５５に供給される。図１０（ａ）は、ｎ番目のシンボルにおいて、ＯＦＤＭ復調部１３が出力する周波数領域の復調ベクトルＹnを時間領域の信号に変換して模式的に表したものであり、（ｎ−１）番目のシンボルのＯＦＤＭ伝送信号ｓ(n-1)（ｔ）に由来する信号成分に左斜線の模様を施して表している。図１０（ｂ）は、ｎ番目のシンボルにおいて、等化部１４が出力する周波数領域の等化ベクトルＸ’nを時間領域の信号に変換して模式的に表したものである。図１０（ｃ）は、ｎ番目のシンボルにおいて、等化部１４が出力する周波数領域の伝送路応答ベクトルＨ’nを時間領域の信号に変換して模式的に表したものである。なお、周波数領域の復調ベクトルＹn、等化ベクトルＸ’n及び伝送路応答ベクトルＨ’nを時間領域の信号で表すと、図１０（ａ）、図１０（ｂ）及び図１０（ｃ）に示すように、有効シンボル期間の時間幅Ｔｕを周期とする繰り返し信号で表される。【０１１４】
なお、以下では、ｎ番目のシンボルに対応する復調ベクトルＹn、等化ベクトルＸ’n及び伝送路応答ベクトルＨ’nが干渉除去部１５ａに供給されるときの干渉除去部１５ａ内の各部の処理内容を例に挙げて説明する。【０１１５】
遅延部５１は、等化部１４から供給された等化ベクトルＸ’を１シンボルの処理期間に相当する時間分遅延させて出力する。これによって、ｎ番目のシンボルに対応する復調ベクトルＹn、等化ベクトルＸ’n及び伝送路応答ベクトルＨ’nが干渉除去部１５ａに供給されて干渉除去部１５ａが処理を行うとき、遅延部５１から減算部７１に（ｎ−１）番目のシンボルに対応する等化ベクトルＸ’(n-1)が供給される。図１０（ｄ）は、遅延部５１が出力する周波数領域の等化ベクトルＸ’(n-1)を時間領域の信号に変換して模式的に表したものである。なお、図１０（ｄ）、図１０（ｆ）、図１０（ｇ）、図１０（ｉ）、図１０（ｋ）、図１０（ｌ）及び図１０（ｍ）では、等化ベクトルＸ’(n-1)に関する信号成分に左斜線の模様を施して表している。【０１１６】
位相回転部５３は、等化部１４から供給されたｎ番目のシンボルに対応する等化ベクトルＸ’nを時間領域でＴｇ時間シフトするようにキャリア毎に位相回転させ、位相回転の結果得られた等化ベクトルＸ’rotnを減算部７１へ供給する。図１０（ｅ）は、位相回転部５３が出力する周波数領域の等化ベクトルＸ’rotnを時間領域の信号に変換して模式的に表したものである。【０１１７】
減算部７１は、遅延部５１から供給された等化ベクトルＸ’(n-1)から位相回転部５３から供給された等化ベクトルＸ’rotnを減算し、減算の結果得られた差分等化ベクトルＸＡ’(n-1),n（＝Ｘ’(n-1)−Ｘ’rotn）をアップサンプル部７２へ供給する。図１０（ｆ）は、減算部７１が出力する周波数領域の差分等化ベクトルＸＡ’(n-1),nを時間領域の信号に変換して模式的に表したものである。図１０（ｆ）では、等化ベクトルＸ’(n-1)に対応した信号成分（左斜線の模様を施して表した部分）と等化ベクトルＸ’rotnに対応した信号成分（模様を施さずに表した部分）とを重ねて模式的に表しているが、実際は差分等化ベクトルＸＡ’(n-1),nによって表わされる信号成分は上段の信号成分から下段の信号成分を減算した信号成分である。【０１１８】
アップサンプル部７２は、減算部７１から供給された差分等化ベクトルＸＡ’(n-1),nを２倍にアップサンプリングし、アップサンプリングの結果得られた差分等化ベクトルＸＡ’2(n-1),nを乗算部７３へ供給する。図１０（ｇ）は、アップサンプル部７２が出力する周波数領域の差分等化ベクトルＸＡ’2(n-1),nを時間領域の信号に変換して模式的に表したものである。【０１１９】
アップサンプル部５５は、等化部１４から供給されたｎ番目のシンボルに対応する伝送路応答ベクトルＨ’nを２倍にアップサンプリングし、アップサンプリングの結果得られた伝送路応答ベクトルＨ’2nを乗算部７３へ供給する。図１０（ｈ）は、アップサンプル部５５が出力する周波数領域の伝送路応答ベクトルＨ’2nを時間領域の信号に変換して模式的に表したものである。【０１２０】
乗算部７３は、アップサンプル部７２から供給された差分等化ベクトルＸＡ’2(n-1),nとアップサンプル部５５から供給された伝送路応答ベクトルＨ’2nとを乗算し、乗算の結果得られた差分復調ベクトルＹＡ’2(n-1),nを抽出部７４へ供給する。図１０（ｉ）は、乗算部７３が出力する周波数領域の差分復調ベクトルＹＡ’2(n-1),nを時間領域の信号に変換して模式的に表したものであり、上段は主波に関する信号成分であり、下段は遅延波に関する信号成分である。【０１２１】
抽出部７４は、例えばＦＩＲフィルタで構成され、抽出部５７と同じ通過帯域の通過特性を有している。抽出部７４は、乗算部７３から供給された差分復調ベクトルＹＡ’2(n-1),nにフィルタ処理を施すことによって、差分復調ベクトルＹＡ’2(n-1),nから、復調ベクトルＹnに関係する遅延波シンボル間干渉成分及びそれに関係する遅延波キャリア間干渉成分を抽出し、抽出した遅延波シンボル間干渉成分および遅延波キャリア間干渉成分を表す干渉ベクトルＥＡ’2nを生成し、生成した干渉ベクトルＥＡ’2nをダウンサンプル部７５へ供給する。図１０（ｊ）は、抽出部７４のフィルタの通過帯域を時間領域で表した模式図である。図１０（ｋ）は、抽出部７４が出力する周波数領域の干渉ベクトルＥＡ’2nを時間領域の信号に変換して模式的に表したものである。【０１２２】
ダウンサンプル部７５は、抽出部７４から供給された干渉ベクトルＥＡ’2nを１／２倍にダウンサンプリングし、ダウンサンプリングの結果得られた干渉ベクトルＥＡ’nを位相回転部７６へ供給する。図１０（ｌ）は、ダウンサンプル部７５が出力する干渉ベクトルＥＡ’nを時間領域の信号に変換して模式的に表したものである。【０１２３】
位相回転部７６は、ダウンサンプル部７５から供給された干渉ベクトルＥＡ’nを時間領域で−Ｔｇ時間シフトするようにキャリア毎に位相回転させ、位相回転の結果得られた干渉ベクトルＥＡ’rotnを減算部７７へ供給する。図１０（ｍ）は、位相回転部７６が出力する周波数領域の干渉ベクトルＥＡ’rotnを時間領域の信号に変換して模式的に表したものである。図１０（ａ）と図１０（ｍ）とから、干渉ベクトルＥＡ’rotnに含まれる遅延波シンボル間干渉成分及び遅延波キャリア間干渉成分の時間位置が復調ベクトルＹnに含まれる遅延波シンボル間干渉成分及び遅延波キャリア間干渉成分の時間位置に一致していることが分かる。【０１２４】
減算部７７は、ＯＦＤＭ復調部１３から供給されたｎ番目のシンボルに対応する復調ベクトルＹnから位相回転部７６から供給された干渉ベクトルＥＡ’rotnを減算し、減算の結果得られた復調ベクトルＹ’n（＝Ｙn−ＥＡ’rotn）を等化部１６へ供給する。図１０（ｎ）は、減算部７７が出力する周波数領域の復調ベクトルＹ’nを時間領域の信号に変換して模式的に表したものである。【０１２５】
なお、遅延部５１、減算部７１、アップサンプル部７２、アップサンプル部５５、乗算部７３、抽出部７４、ダウンサンプル部７５、位相回転部７６、及び減算部７７が、遅延波によるシンボル間干渉の除去を行う機能を実現する。また、位相回転部５３、減算部７１、アップサンプル部７２、アップサンプル部５５、乗算部７３、抽出部７４、ダウンサンプル部７５、位相回転部７６、及び減算部７７が、遅延波によるキャリア間干渉の除去を行う機能を実現する。【０１２６】
≪第３の実施の形態≫
以下、本発明の第３の実施の形態について図面を参照しつつ説明する。上記の各実施の形態の受信装置は、遅延波によるシンボル間干渉及びキャリア間干渉のみを除去対象としている。これに対して、本実施の形態の受信装置１ｂは、遅延波によるシンボル間干渉及びキャリア間干渉に加えて、先行波によるシンボル間干渉及びキャリア間干渉も除去対象とする。なお、本実施の形態において、上記の各実施の形態の構成要素と実質的に同じ構成要素には同じ符号を付し、その説明が適用できるためその説明を省略する。【０１２７】
＜先行波によるシンボル間干渉及びキャリア間干渉の概要＞
以下、本実施の形態の受信装置１ｂの構成及び動作を説明する前に、先行波によるシンボル間干渉及びキャリア間干渉の概要について、１つの先行波が主波に対してガードインターバル期間Ｔｇより大きい時間先行して受信装置に到来する場合を例に挙げて、図１１（ａ）から図１１（ｇ）を参照しつつ説明する。図１１（ａ）から図１１（ｇ）は先行波によるシンボル間干渉及びキャリア間干渉の概要を説明するための図であり、図１１（ａ）から図１１（ｇ）の各図において横軸は時間を示す。【０１２８】
図１１（ａ）は連続して送信された複数シンボル分のＯＦＤＭ伝送信号ｓ（ｔ）を模式的に表したものであり、送信局は複数シンボル連続してＯＦＤＭ伝送信号を送信しているものとする。ここでは、ｎ番目のシンボルに着目して説明する。なお、図１１（ａ）では、着目したｎ番目のシンボルのＯＦＤＭ伝送信号ｓn（ｔ）を隣接する（ｎ−１）番目のシンボルのＯＦＤＭ伝送信号ｓ(n-1)（ｔ）及び（ｎ＋１）番目のシンボルのＯＦＤＭ伝送信号ｓ(n+1)（ｔ）と区別するために、（ｎ−１）番目のシンボルのＯＦＤＭ伝送信号ｓ(n-1)（ｔ）に左斜線の模様を、（ｎ＋１）番目のシンボルのＯＦＤＭ伝送信号ｓ(n+1)（ｔ）に右斜線の模様を施して表している。【０１２９】
図１１（ｂ）は、伝送路応答を表す伝送路応答信号ｈ（ｔ）を模式的に表したものである。図１１（ｂ）に一例を示す伝送路応答信号ｈ（ｔ）は、受信装置に２つの到来波が到来し、２番目に到来した受信レベルが最大の到来波（主波）の到来時刻ｔを０にし（ｔ＝０）、最初の到来波（先行波）が主波よりｔｄ時間先行して到来する様子を表している。なお、２つの到来波が到来した時間差ｔｄがガードインターバル期間Ｔｇより大きい場合を対象としている。【０１３０】
図１１（ｃ）は、受信装置が受信するＯＦＤＭ伝送信号ｒ（ｔ）を模式的に表したものである。但し、２番目に到来した到来波（主波）を上段に、主波よりｔｄ時間先行して到来した到来波（先行波）を下段に重ねて表しているが、実際はそれらが加法的に重畳された状態で受信される。なお、図１１（ｅ）、図１１（ｇ）についても同様にそれらを重ねて表示している。また、図１１（ｃ）では、ＯＦＤＭ伝送信号ｓ(n-1)（ｔ）に由来する信号成分に左斜線の模様を、ＯＦＤＭ伝送信号ｓ(n+1)（ｔ）に由来する信号成分に右斜線の模様を施して表している。また、図１１（ｅ）及び図１１（ｆ）についても同様に模様を施して表している。【０１３１】
ＯＦＤＭ伝送信号を受信する受信装置は、シンボル毎に、受信したＯＦＤＭ伝送信号ｒ（ｔ）から有効シンボル期間の時間幅Ｔｕ分のＯＦＤＭ伝送信号を切り出して復調する。ｎ番目のシンボルでは、受信装置は、図１１（ｃ）に示すＯＦＤＭ伝送信号ｒ（ｔ）から図１１（ｄ）に示す有効シンボル期間の時間幅Ｔｕ分の図１１（ｅ）に示すＯＦＤＭ伝送信号ｒn（ｔ）を切り出す。【０１３２】
図１１（ｆ）は、図１１（ｅ）に示すＯＦＤＭ伝送信号ｒn（ｔ）に含まれる（ｎ＋１）番目のシンボルのＯＦＤＭ伝送信号ｓ(n+1)（ｔ）に由来する信号成分を表している。この（ｎ＋１）番目のシンボルのＯＦＤＭ伝送信号ｓ(n+1)（ｔ）に由来する信号成分がｎ番目のシンボルのＯＦＤＭ伝送信号ｒn（ｔ）における先行波によるシンボル間干渉に係る干渉成分である。ｎ番目のシンボルのＯＦＤＭ伝送信号ｒn（ｔ）における先行波によるシンボル間干渉に係る干渉成分は、（ｎ＋１）番目のシンボルのＯＦＤＭ伝送信号ｓ(n+1)（ｔ）に関する先行波のガードインターバルの先頭から（ｔｄ−Ｔｇ）期間の信号成分である。なお、この信号成分は、（ｎ＋１）番目のシンボルのＯＦＤＭ伝送信号ｓ(n+1)（ｔ）に関する先行波の最後よりＴｇ時間前の時間位置から（ｔｄ−Ｔｇ）期間の信号成分と等価であり、本実施の形態では、先行波によるシンボル間干渉に係る干渉成分の除去を後者の信号成分を用いて行うものである。【０１３３】
図１１（ｇ）は、図１１（ｅ）に示すＯＦＤＭ伝送信号ｒn（ｔ）に含まれるｎ番目のシンボルのＯＦＤＭ伝送信号ｓn（ｔ）に由来する信号成分を表す。図１１（ｇ）から、ＯＦＤＭ伝送信号ｒn（ｔ）に含まれるｎ番目のシンボルのＯＦＤＭ伝送信号ｓn（ｔ）に由来する先行波の信号成分の時間幅は有効シンボル期間の時間幅Ｔｕに満たないことが分かる。この先行波の信号成分の時間幅が有効シンボル期間の時間幅Ｔｕに満たないことから、ＯＦＤＭ伝送信号ｒn（ｔ）を形成する複数のキャリア間の直交性を保持できず、複数のキャリアの各々を復調する際にキャリア間干渉が生じてしまう。このｎ番目のシンボルのＯＦＤＭ伝送信号ｓn（ｔ）に由来する先行波の信号成分の不足している信号成分がｎ番目のシンボルのＯＦＤＭ伝送信号ｒn（ｔ）における先行波によるキャリア間干渉に係る干渉成分である。ｎ番目のシンボルのＯＦＤＭ伝送信号ｒn（ｔ）における先行波によるキャリア間干渉に係る干渉成分は、ｎ番目のシンボルのＯＦＤＭ伝送信号ｓn（ｔ）に関する先行波の有効シンボル期間の先頭から（ｔｄ−Ｔｇ）期間の信号成分である。【０１３４】
＜受信装置１ｂの構成及び動作＞
以下、本実施の形態の受信装置１ｂの構成及び動作について図１２及び図１３（ａ）から図１３（ｇ）を参照しつつ説明する。図１２は本実施の形態の１ｂの構成図であり、図１３（ａ）から図１３（ｇ）は図１２の受信装置１ｂの処理内容を説明するための図である。【０１３５】
受信装置１ｂは、アンテナ１１と、チューナ１２と、ＯＦＤＭ復調部１３と、等化部１４と、干渉除去部１５ｂと、等化部１６と、復調部１７とを備える。但し、干渉除去部１５ｂを除く各部の処理内容は第１の実施の形態で説明した処理内容と実質的に同じであり、干渉除去部１５ｂの詳細説明は図１４及び図１５（ａ）から図１５（ｏ）を用いて後述する。なお、ここでは、アンテナ１１から等化部１４までの処理内容の記載を行う。【０１３６】
アンテナ１１は、図示しない送信局から発せられたＯＦＤＭ伝送信号を受信し、受信したＯＦＤＭ伝送信号をチューナ１２へ供給する。チューナ１２は、アンテナ１１から供給されたＯＦＤＭ伝送信号から所望のチャネルのＯＦＤＭ伝送信号ｒ（ｔ）を選択し、選択したＯＦＤＭ伝送信号ｒ（ｔ）をＯＦＤＭ復調部１３へ出力する。【０１３７】
図１３（ａ）は送信局から発せられたＯＦＤＭ伝送信号ｓ（ｔ）を模式的に表したものであり、図１３（ａ）中のＸ(n-1)、Ｘn及びＸ(n+1)は、夫々、（ｎ−１）番目のシンボル、ｎ番目のシンボル及び（ｎ＋１）番目のシンボルにおいて、送信側で複数のキャリアに変調を施した変調ベクトルを表す。なお、（ｎ−１）番目のシンボルのＯＦＤＭ伝送信号ｓ(n-1)（ｔ）に左斜線の模様を、（ｎ＋１）番目のシンボルのＯＦＤＭ伝送信号ｓ(n+1)（ｔ）に右斜線の模様を施して表している。【０１３８】
図１３（ｂ）は伝送路応答信号ｈ（ｔ）を模式的に表したものである。但し、図１３（ｂ）に一例を示す伝送路応答信号ｈ（ｔ）は、受信装置１ｂに３つの到来波が到来し、２番目に到来した受信レベルが最大の到来波（主波）の到来時刻ｔを０にし（ｔ＝０）、最初の到来波（先行波）が主波よりｔｐ時間先行して到来し、３番目の到来波（遅延波）が主波よりｔｄ時間遅れて到来している様子を表している。なお、先行波と遅延波とが到来した時間差ｔｐ＋ｔｄがガードインターバル期間Ｔｇより大きい場合を対象としている。【０１３９】
図１３（ｃ）は受信装置１ｂが受信し、選択したＯＦＤＭ伝送信号ｒ（ｔ）を模式的に表したものである。但し、図１３（ｃ）では、最初に到来した到来波（先行波）を上段に、２番目に到来した到来波（主波）を中段に、３番目に到来した到来波（遅延波）を下段に重ねて表しているが、実際はそれらが加法的に重畳された状態で受信される。なお、図１３（ｅ）についても同様にそれらを重ねて表示している。また、図１３（ｃ）では、ＯＦＤＭ伝送信号ｓ(n-1)（ｔ）に由来する信号成分に左斜線の模様を、ＯＦＤＭ伝送信号ｓ(n+1)（ｔ）に由来する信号成分に右斜線の模様を施して表している。【０１４０】
ＯＦＤＭ復調部１３は、シンボル毎に、チューナ１２から供給された図１３（ｃ）に示すＯＦＤＭ伝送信号ｒ（ｔ）から図１３（ｄ）に示した有効シンボル期間の時間幅Ｔｕ分のＯＦＤＭ伝送信号を切り出し、切り出したＯＦＤＭ伝送信号に離散フーリエ変換を施す。そして、ＯＦＤＭ復調部１３は離散フーリエ変換の結果得られた復調ベクトルＹを等化部１４及び干渉除去部１５ｂへ供給する。図１３（ｅ）は、ＯＦＤＭ復調部１３が出力する周波数領域の復調ベクトルＹを時間領域の信号に変換して模式的に表したものである。但し、図１３（ｅ）中の記号Ｙ(n-1)、Ｙn及びＹ(n+1)は、夫々、（ｎ−１）番目のシンボル、ｎ番目のシンボル及び（ｎ＋１）番目のシンボルにおいて、ＯＦＤＭ復調部１３が出力する復調ベクトルＹを表す。なお、（ｎ−１）番目のシンボルのＯＦＤＭ伝送信号ｓ(n-1)（ｔ）に由来する信号成分に左斜線の模様を、（ｎ＋１）番目のシンボルのＯＦＤＭ伝送信号ｓ(n+1)（ｔ）に由来する信号成分に右斜線の模様を施して表している。【０１４１】
等化部１４は、ＯＦＤＭ復調部１３から供給された復調ベクトルＹから伝送路応答ベクトルＨ’を推定し、推定した伝送路応答ベクトルＨ’に基づいて復調ベクトルＹを等化して等化ベクトルＸ’を算出し、伝送路応答ベクトルＨ’と等化ベクトルＸ’とを干渉除去部１５ｂへ供給する。図１３（ｆ）は、等化部１４が出力する周波数領域の伝送路応答ベクトルＨ’を時間領域の信号に変換して模式的に表したものであり、図１３（ｇ）は、等化部１４が出力する周波数領域の等化ベクトルＸ’を時間領域の信号に変換して模式的に表したものである。但し、図１３（ｆ）中のＨ’(n-1)、Ｈ’n及びＨ’(n+1)は、夫々、（ｎ−１）番目のシンボル、ｎ番目のシンボル及び（ｎ＋１）番目のシンボルにおいて、等化部１４が出力する伝送路応答ベクトルＨ’を表す。また、図１３（ｇ）中のＸ’(n-1)、Ｘ’n及びＸ’(n+1)は、夫々、（ｎ−１）番目のシンボル、ｎ番目のシンボル及び（ｎ＋１）番目のシンボルにおいて、等化部１４が出力する等化ベクトルＸ’を表す。なお、（ｎ−１）番目の等化ベクトルＸ’(n-1)に左斜線の模様を、（ｎ＋１）番目のシンボルの等化ベクトルＸ’(n+1)に右斜線の模様を施して表している。【０１４２】
等化部１４から出力される等化ベクトルＸ’は、伝送路等化の処理によって、送信側で変調を行った変調ベクトルＸを再生したものである。しかしながら、先行波と遅延波との到来時間差がガードインターバル期間Ｔｇを超える環境下では、等化部１４から出力される等化ベクトルＸ’は、変調ベクトルＸに対して先行波及び遅延波によるシンボル間干渉及びキャリア間干渉に係る干渉成分を含む。【０１４３】
［干渉除去部１５ｂの構成及び動作］
図１２の干渉除去部１５ｂの構成及び動作について図１４及び図１５（ａ）から図１５（ｏ）を参照しつつ説明する。図１４は図１２の干渉除去部１５ｂの構成図であり、図１５（ａ）から図１５（ｏ）は図１４の干渉除去部１５ｂの処理内容を説明するための図である。【０１４４】
干渉除去部１５ｂは、干渉除去部１５ａに対して、遅延部８１、アップサンプル部８２、乗算部８３、抽出部８４、ダウンサンプル部８５、遅延部８６及び加算部８７を付加した構成を有する。【０１４５】
ＯＦＤＭ復調部１３から出力された復調ベクトルＹは干渉除去部１５ｂ内の減算部７７に供給される。等化部１４から出力された等化ベクトルＸ’は干渉除去部１５ｂ内の遅延部５１及び位相回転部５３に供給され、等化部１４から出力された伝送路応答ベクトルＨ’は干渉除去部１５ｂ内のアップサンプル部５５及び遅延部８１に供給される。図１５（ａ）は、ｎ番目のシンボルにおいて、ＯＦＤＭ復調部１３が出力する周波数領域の復調ベクトルＹnを時間領域の信号に変換して模式的に表したものであり、（ｎ−１）番目のシンボルのＯＦＤＭ伝送信号ｓ(n-1)（ｔ）に由来する信号成分に左斜線の模様を施して表し、（ｎ＋１）番目のシンボルのＯＦＤＭ伝送信号ｓ(n+1)（ｔ）に由来する信号成分に右斜線を施して表している。図１５（ｂ）は、ｎ番目のシンボルにおいて、等化部１４が出力する周波数領域の等化ベクトルＸn’を時間領域の信号に変換して模式的に表したものである。図１５（ｃ）は、ｎ番目のシンボルにおいて、等化部１４が出力する周波数領域の伝送路応答ベクトルＨn’を時間領域の信号に変換して模式的に表したものである。【０１４６】
以下、干渉除去部１５ｂの構成及び動作の説明を、遅延波によるシンボル間干渉及びキャリア間干渉の除去と、先行波によるシンボル間干渉及びキャリア間干渉の除去の２つに分けて説明する。なお、ｎ番目のシンボルに対応する復調ベクトルＹn、等化ベクトルＸ’n及び伝送路応答ベクトルＨ’nが干渉除去部１５ｂに供給されるときの干渉除去部１５ｂ内の各部の処理内容を例に挙げて説明する。【０１４７】
（遅延波によるシンボル間干渉及びキャリア間干渉の除去）
遅延部５１、位相回転部５３、減算部７１、アップサンプル部７２、アップサンプル部５５、乗算部７３、抽出部７４、ダウンサンプル部７５、位相回転部７６、及び減算部７７は、夫々、上述した処理内容の処理を行い、減算部７７は復調ベクトルＹＢ’n（＝Ｙn−ＥＡ’rotn）を遅延部８６へ供給する。なお、減算部７７が出力する復調ベクトルＹＢ’nは、第２の実施の形態において減算部７７が出力する復調ベクトルＹ’nと同じであるが、説明の便宜上、両者の記号を変えている。図１５（ｄ）は、減算部７７が出力する周波数領域の復調ベクトルＹＢ’nを時間領域の信号に変換して模式的に表したものであり、（ｎ＋１）番目のシンボルのＯＦＤＭ伝送信号ｓ(n+1)（ｔ）に由来する信号成分に右斜線を施して表している。但し、先行波及び遅延波の双方を対象とする場合には、抽出部７４の通過帯域は、第１の実施の形態で説明した抽出部５７のフィルタの通過帯域の設定の仕方に加えて、先行波側の抽出部８４のフィルタの通過帯域と重複しないように設定することが好ましい。【０１４８】
（先行波によるシンボル間干渉及びキャリア間干渉の除去）
遅延部５１、位相回転部５３、減算部７１、及びアップサンプル部７２は、夫々、上述した処理内容の処理を行い、アップサンプル部７２は、差分等化ベクトルＸＡ’2(n-1),nを乗算部８３へ供給する。なお、これらの処理は、遅延波によるシンボル間干渉及びキャリア間干渉の除去と共用され、それと別個に行われるものではない。【０１４９】
図１５（ｅ）は、遅延部５１が出力する周波数領域の等化ベクトルＸ’(n-1)を時間領域の信号に変換して模式的に表したものである。図１５（ｆ）は、位相回転部５３が出力する周波数領域の等化ベクトルＸ’rotnを時間領域の信号に変換して模式的に表したものである。図１５（ｇ）は、減算部７１が出力する周波数領域の差分等化ベクトルＸＡ’(n-1),nを時間領域の信号に変換して模式的に表したものである。図１５（ｈ）は、アップサンプル部７２が出力する周波数領域の差分等化ベクトルＸＡ’2(n-1),nを時間領域の信号に変換して模式的に表したものである。なお、図１５（ｅ）、図１５（ｇ）、図１５（ｈ）、図１５（ｊ）、図１５（ｌ）及び図１５（ｍ）では、等化ベクトルＸ’(n-1)に関する信号成分に左斜線の模様を施して表している。【０１５０】
遅延部８１は、等化部１４から供給された伝送路応答ベクトルＨ’を１シンボルの処理期間に相当する時間分遅延させて出力する。これによって、ｎ番目のシンボルに対応する復調ベクトルＹn、等化ベクトルＸ’n及び伝送路応答ベクトルＨ’nが干渉除去部１５ｂに供給されて干渉除去部１５ｂが処理を行うとき、遅延部８１からアップサンプル８２に（ｎ−１）番目のシンボル対応する伝送路応答ベクトルＨ’(n-1)が供給される。【０１５１】
アンプサンプル部８２は、遅延部８１から供給された伝送路応答ベクトルＨ’(n-1)を２倍にアップサンプリングし、アップサンプリングの結果得られた伝送路応答ベクトルＨ’2(n-1)を乗算部８３へ供給する。図１５（ｉ）は、アップサンプル部８２が出力する周波数領域の伝送路応答ベクトルＨ’2(n-1)を時間領域の信号に変換して模式的に表したものである。伝送路応答ベクトルＨ’2(n-1)は離散周波数の間隔が１／Ｔｕの伝送路応答ベクトルＨ’(n-1)を２倍にアップサンプリングして作成したものであることから、伝送路応答ベクトルＨ’2(n-1)の離散周波数の間隔は１／（２×Ｔｕ）となる。図１５（ｉ）に示すように、周波数領域の伝送路応答ベクトルＨ’2(n-1)を時間領域の信号で表すと、有効シンボル期間の時間幅Ｔｕの２倍を周期とする繰り返し信号で表される。【０１５２】
乗算部８３は、アップサンプル部７２から供給された差分等化ベクトルＸＡ’2(n-1),nとアップサンプル部８２から供給された伝送路応答ベクトルＨ’2(n-1)とをキャリア毎に乗算し、乗算の結果得られた差分復調ベクトルＹＢ２’2(n-1),nを抽出部８４へ供給する。図１５（ｊ）は、乗算部８３が出力する周波数領域の差分復調ベクトルＹＢ２’2(n-1),nを時間領域の信号に変換して模式的に表したものであり、上段は先行波に関する信号成分であり、中段は主波に関する信号成分であり、下段は遅延波に関する信号成分である。図１５（ｊ）に示す時間領域の信号は、時間領域で図１５（ｈ）に示す信号と図１５（ｉ）に示す信号とを畳み込んだものである。【０１５３】
抽出部８４は、例えばＦＩＲフィルタで構成され、下記に説明する通過帯域の通過特性を有している。抽出部８４は、乗算部８３から供給された差分復調ベクトルＹＢ２’2(n-1),nにフィルタ処理を施すことによって、差分復調ベクトルＹＢ２’2(n-1),nから、復調ベクトルＹ(n-1)に関係する先行波によるシンボル間干渉に係る干渉成分（以下、「先行波シンボル間干渉成分」と言う。）及びそれに関係する先行波によるキャリア間干渉に係る干渉成分（以下、「先行波キャリア間干渉成分」と言う。）を抽出し、抽出した先行波シンボル間干渉成分および先行波キャリア間干渉成分を表す干渉ベクトルＥＢ’2(n-1)を生成し、生成した干渉ベクトルＥＢ’2(n-1)をダウンサンプル部８５へ供給する。図１５（ｋ）は、抽出部８４のフィルタの通過帯域を時間領域で表した模式図であり、図１５（ｌ）は、抽出部８５が出力する周波数領域の干渉ベクトルＥＢ’2(n-1)を時間領域の信号に変換して模式的に表したものである。【０１５４】
以下に、抽出部８４のフィルタの通過帯域について図８（ｂ）を参照しつつ説明する。図８（ｂ）は図１４の抽出部８４のフィルタの通過帯域を説明するための図であり、抽出部８４のフィルタの通過帯域を時間領域で表した模式図である。但し、図８（ｂ）では、有効シンボル期間をＴｕ、ガードインターバル期間をＴｇとし、アップサンプリングのアップレートを２としている。【０１５５】
抽出部８４が−（Ｔｕ／Ｔｇ）／２を超える信号成分を抽出できれば干渉成分の除去が可能である。このことから、時間領域でみた場合のフィルタの通過帯域の右端は、−（Ｔｕ／Ｔｇ）／２を超える信号成分を抽出できるように設定する。但し、通過帯域の左端は、折り返し成分が入ると劣化を起こすので、折り返し成分がフィルタの通過帯域に入らないように設定することが好ましい。また、先行波及び遅延波の双方を対象とする場合には、抽出部８４の通過帯域は、遅延波側の抽出部７４のフィルタの通過帯域と重複しないように設定することが好ましい。【０１５６】
なお、抽出部８４は周波数領域で信号処理を行うものであるので、上述した内容を踏まえて、抽出部８４のフィルタの周波数領域でのフィルタ係数を決定すればよい。【０１５７】
ダウンサンプル部８５は、抽出部８４から供給された干渉ベクトルＥＢ’2(n-1)を１／２倍にダウンサンプリングし、ダウンサンプリングの結果得られた干渉ベクトルＥＢ’(n-1)を加算部８７へ供給する。図１５（ｍ）は、ダウンサンプル部８６が出力する周波数領域の干渉ベクトルＥＢ’(n-1)を時間領域の信号に変換して模式的に表したものである。図１５（ｍ）に示すように、周波数領域の干渉ベクトルＥＢ’(n-1)を時間領域の信号で表すと、有効シンボル期間の時間幅Ｔｕを周期とする繰り返し信号で表される。【０１５８】
遅延部８６は、減算部７７から供給された復調ベクトルＹＢ’を１シンボルの処理期間に相当する時間分遅延させて出力する。これによって、ｎ番目のシンボルに対応する復調ベクトルＹn、等化ベクトルＸ’n及び伝送路応答ベクトルＨ’nが干渉除去部１５ｂに供給されて干渉除去部１５ｂが処理を行うとき、（ｎ−１）番目のシンボルに対応する復調ベクトルＹ(n-1)、等化ベクトルＸ’(n-1)及び伝送路応答ベクトルＨ’(n-1)が干渉除去部１５ｂに供給されて干渉除去部１５ｂが処理を行うことによって減算部７７から遅延部８６に供給された復調ベクトルＹＢ’(n-1)が遅延部８６から加算部８７に供給される。図１５（ｎ）は、遅延部８６が出力する周波数領域の復調ベクトルＹＢ’(n-1)を時間領域の信号に変換して模式的に表したものである。図１５（ｍ）と図１５（ｎ）とから、干渉ベクトルＥＢ’(n-1)に含まれる先行波シンボル間干渉成分及び先行波キャリア間干渉成分の時間位置が復調ベクトルＹＢ’(n-1)に含まれる先行波シンボル間干渉成分及び先行波キャリア間干渉成分の時間位置に一致していることが分かる。【０１５９】
加算部８７は、遅延部８６から供給された復調ベクトルＹＢ’(n-1)とダウンサンプル部８５から供給された干渉ベクトルＥＢ’(n-1)とを加算し、加算結果を復調ベクトルＹ’(n-1)（＝ＹＢ’(n-1)＋ＥＢ’(n-1)）として等化部１６へ供給する。【０１６０】
なお、位相回転部５３、減算部７１、アップサンプル部７２、遅延部８１、アップサンプル部８２、乗算部８３、抽出部８４、ダウンサンプル部８５、遅延部８６、及び加算部８７が、先行波によるシンボル間干渉の除去を行う機能を実現する。但し、先行波によるシンボル間干渉の除去のみを行う場合には、位相回転部５３、減算部７１、アップサンプル部７２、遅延部８１、アップサンプル部８２、乗算部８３、抽出部８４、ダウンサンプル部８５、遅延部８６、及び加算部８７を備えればよい。なお、減算部７１及び加算部８７と等価になるように、減算部７１を削除し、加算部８７を減算部に置き換えるなど変更を加えてもよい。【０１６１】
遅延部５１、減算部７１、アップサンプル部７２、遅延部８１、アップサンプル部８２、乗算部８３、抽出部８４、ダウンサンプル部８５、遅延部８６、及び加算部８７が、先行波によるキャリア間干渉の除去を行う機能を実現する。但し、先行波によるキャリア間干渉の除去のみを行う場合には、アップサンプル部７２、アップサンプル部８２、乗算部８３、抽出部８４、ダウンサンプル部８５、遅延部８６、及び加算部８７を備えればよい。【０１６２】
上記の受信装置１ｂによれば、ガードインターバル期間を超える先行波が存在する環境下でも、復調ベクトルＹから先行波によるシンボル間干渉及びキャリア間干渉に係る干渉成分を除去できるので、それらによる受信品質の劣化を効果的に抑えることができる。また、受信装置に到来する先行波の数は２以上であっても、復調ベクトルＹから先行波によるシンボル間干渉及びキャリア間干渉に係る干渉成分を除去可能である。【０１６３】
≪第４の実施の形態≫
以下、本発明の第４の実施の形態について図面を参照しつつ説明する。但し、本実施の形態の干渉除去部１５ｃは、第３の実施の形態の干渉除去部１５ｂに対して、先行波によるシンボル間干渉及びキャリア間干渉を除去するブロックの構成を変更したものである。なお、本実施の形態において、上記の各実施の形態の構成要素と実質的に同じ構成要素には同じ符号を付し、その説明が適用できるためその説明を省略する。【０１６４】
［干渉除去部１５ｃの構成及び動作］
本実施の形態の干渉除去部１５ｃの構成及び動作について図１６を参照しつつ説明する。図１６は本実施の形態の干渉除去部１５ｃの構成図である。【０１６５】
干渉除去部１５ｃは、図１４の干渉除去部１５ｂに対して、遅延部８１、アップサンプル部８２、乗算部８３、抽出部８４、ダウンサンプル部８５及び加算部８７からなる処理ブロックを、抽出部９１、ダウンサンプル部９２及び加算部９３からなる処理ブロックに置き換えた構成を有する。【０１６６】
但し、遅延波によるシンボル間干渉及びキャリア間干渉の除去は、第３の実施の形態と同じであるので、ここでは、先行波によるシンボル間干渉及びキャリア間干渉の除去についてのみ記載する。なお、ｎ番目のシンボルに対応する復調ベクトルＹn、等化ベクトルＸ’n及び伝送路応答ベクトルＨ’nが干渉除去部１５ｃに供給されるときの干渉除去部１５ｃ内の各部の処理内容を例に挙げて説明する。【０１６７】
（先行波によるシンボル間干渉及びキャリア間干渉の除去）
遅延部５１、位相回転部５３、減算部７１、アップサンプル部７２、アップサンプル部５５、及び乗算部７３は、夫々、上述した処理内容の処理を行い、乗算部７３は差分復調ベクトルＹＡ’2(n-1),nを抽出部９１へ供給する。【０１６８】
抽出部９１は、例えばＦＩＲフィルタで構成され、抽出部８４と同じ通過帯域の通過特性を有している。抽出部９１は、乗算部７３から供給された差分復調ベクトルＹＡ’2(n-1),nにフィルタ処理を施すことによって、差分復調ベクトルＹＡ’2(n-1),nから、復調ベクトルＹ(n-1)に関係する先行波シンボル間干渉成分及びそれに関係する先行波キャリア間干渉成分を抽出し、抽出した先行波シンボル間干渉成分および先行波キャリア間干渉成分を表す干渉ベクトルＥＣ’2(n-1)を生成し、生成した干渉ベクトルＥＣ’2(n-1)をダウンサンプル部９２へ供給する。【０１６９】
ダウンサンプル部９２は、抽出部９１から供給された干渉ベクトルＥＣ’2(n-1)を１／２倍にダウンサンプリングし、ダウンサンプリングの結果得られた干渉ベクトルＥＣ’(n-1)を加算部９３へ供給する。【０１７０】
遅延部８６は、減算部７７から供給された復調ベクトルＹＢ’を１シンボルの処理期間に相当する時間分遅延させて出力する。これによって、ｎ番目のシンボルに対応する復調ベクトルＹn、等化ベクトルＸ’n及び伝送路応答ベクトルＨ’nが干渉除去部１５ｃに供給されて干渉除去部１５ｃが処理を行うとき、（ｎ−１）番目のシンボルに対応する復調ベクトルＹ(n-1)、等化ベクトルＸ’(n-1)及び伝送路応答ベクトルＨ’(n-1)が干渉除去部１５ｃに供給されて干渉除去部１５ｃが処理を行うことによって減算部７７から遅延部８６に供給された復調ベクトルＹＢ’(n-1)が遅延部８６から加算部９３に供給される。【０１７１】
加算部９３は、遅延部８６から供給された復調ベクトルＹＢ’(n-1)とダウンサンプル部９２から供給された干渉ベクトルＥＣ’(n-1)とを加算し、加算結果を復調ベクトルＹ’(n-1)（＝ＹＢ’(n-1)＋ＥＣ’(n-1)）として等化部１６へ供給する。【０１７２】
本実施の形態の干渉除去部１５ｃは、先行波によるシンボル間干渉及びキャリア間干渉の除去を復調ベクトルより１シンボル後の伝送路応答ベクトルを用いて行う。このため、送信局間に周波数偏差がある場合や、受信装置の移動などにより伝送路応答が時間変動する場合には、受信品質が若干低下するものの、遅延部８１、アップサンプル部８２、及び乗算部８３が不要になって回路規模及び演算量の削減が図られる。【０１７３】
≪第５の実施の形態≫
以下、本発明の第５の実施の形態について図面を参照しつつ説明する。但し、本実施の形態の干渉除去部１５ｄは、第３の干渉除去部１５ｂの遅延波によるシンボル間干渉及び先行波によるキャリア間干渉の除去方法を変更したものである。なお、本実施の形態において、上記の各実施の形態の構成要素と実質的に同じ構成要素には同じ符号を付し、その説明が適用できるためその説明を省略する。【０１７４】
［干渉除去部１５ｄの構成及び動作］
本実施の形態の干渉除去部１５ｄの構成及び動作について図１７を参照しつつ説明する。図１７は本実施の形態の干渉除去部１５ｄの構成図であり、干渉除去部１５ｄは、図１４の干渉除去部１５ｂに対して遅延部５１を除算部９６に置き換えた構成を有する。【０１７５】
以下、干渉除去部１５ｄの構成及び動作の説明を、遅延波によるシンボル間干渉及びキャリア間干渉の除去と、先行波によるシンボル間干渉及びキャリア間干渉の除去の２つに分けて説明する。なお、ｎ番目のシンボルに対応する復調ベクトルＹn、等化ベクトルＸ’n及び伝送路応答ベクトルＨ’nが干渉除去部１５ｄに供給されるときの干渉除去部１５ｄ内の各部の処理内容を例に挙げて説明する。【０１７６】
（遅延波によるシンボル間干渉及びキャリア間干渉の除去）
遅延部８６は、減算部７７から供給される復調ベクトルＹＤ’を１シンボルの処理期間に相当する時間分遅延させて出力する。これによって、干渉除去部１５ｄにｎ番目のシンボルに対応する復調ベクトルＹn、等化ベクトルＸ’n、及び伝送路応答ベクトルＨ’nが干渉除去部１５ｄに供給されて干渉除去部１５ｄが処理を行うとき、干渉除去部１５ｄに（ｎ−１）番目のシンボルに対応する復調ベクトルＹ(n-1)、等化ベクトルＸ’(n-1)、及び伝送路応答ベクトルＨ’(n-1)が供給されて干渉除去部１５ｄが処理を行うことによって減算部７７から遅延部８６に供給された復調ベクトルＹＤ’(n-1)が遅延部８６から加算部８７及び除算部９６に供給される。【０１７７】
除算部９６は、遅延部８６から供給された復調ベクトルＹＤ’(n-1)を等化部１４から供給されたｎ番目のシンボルに対応する伝送路応答ベクトルＨ’nで除算し、除算結果を等化ベクトルＸＤ’(n-1)として減算部７１へ供給する。位相回転部５３は、等化部１４から供給されたｎ番目のシンボルに対応する等化ベクトルＸ’nを時間領域でＴｇ時間シフトするようにキャリア毎に位相回転させ、位相回転の結果得られた等化ベクトルＸ’rotnを減算部７１へ供給する。減算部７１は、除算部９６から供給された等化ベクトルＸＤ’(n-1)から位相回転部５３から供給された等化ベクトルＸ’rotnを減算し、減算の結果得られた差分等化ベクトルＸＤ’(n-1)−Ｘ’rotnをアップサンプル部７２へ供給する。【０１７８】
アップサンプル部７２、アップサンプル部５５、乗算部７３、抽出部７４、ダウンサンプル部７５、位相回転部７６及び減算部７７は、夫々、上述した処理内容と実質的に同じ処理内容の処理を実行し、減算部７７は、復調ベクトルＹＤ’nを遅延部８６へ供給する。【０１７９】
（先行波によるシンボル間干渉及びキャリア間干渉の除去）
遅延部８６、除算部９６、位相回転部５３、減算部７１、アップサンプル部７２、遅延部８１、アップサンプル部８２、乗算部８３、抽出部８４、ダウンサンプル部８５及び加算部８７は、夫々、上述した処理内容或いは実質的に同じ処理内容の処理を行い、加算部８７は復調ベクトルＹ’(n-1)を等化部１６へ供給する。なお、遅延部８６、除算部９６、位相回転部５３、減算部７１及びアップサンプル部７２の処理は、遅延波によるシンボル間干渉及びキャリア間干渉の除去と共用され、それと別個に行われるものではない。【０１８０】
上記の干渉除去部１５ｄによれば、遅延波によるシンボル間干渉及び遅延波によるキャリア間干渉が除去された復調ベクトルＹＤ’(n-1)を伝送路応答ベクトルＨnで除算して等化ベクトルＸＤ’(n-1)を生成し、これを用いて遅延波によるシンボル間干渉及び先行波によるキャリア間干渉の除去を行っている。このため、等化ベクトルＸ’(n-1)をそのまま用いる場合に比べて、遅延波によるシンボル間干渉及び先行波によるキャリア間干渉の除去性能が向上する。また、除算部９６が追加されているものの、遅延部５１が削除されているので、１シンボル分のメモリ容量の削減が図られる。【０１８１】
≪第６の実施の形態≫
以下、本発明の第６の実施の形態について図面を参照しつつ説明する。但し、本実施の形態の干渉除去部１５ｅは、第５の実施の形態の干渉除去部１５ｄに受信品質に応じて復調ベクトルの選択を行う機能を付加したものである。なお、本実施の形態において、上記の各実施の形態の構成要素と実質的に同じ構成要素には同じ符号を付し、その説明が適用できるためその説明を省略する。【０１８２】
［干渉除去部１５ｅの構成及び動作］
本実施の形態の干渉除去部１５ｅの構成及び動作について図１８を参照しつつ説明する。図１８は本実施の形態の干渉除去部１５ｅの構成図である。【０１８３】
干渉除去部１５ｅは、図１７の干渉除去部１５ｄに対して、減算部７７、遅延部８６及び加算部８７からなるブロックを減算部７７、選択部１０１、遅延部８６、加算部８７及び選択部１０２からなるブロックに置き換えた構成を有する。【０１８４】
以下、干渉除去部１５ｅの構成及び動作の説明を、遅延波によるシンボル間干渉及びキャリア間干渉の除去と、先行波によるシンボル間干渉及びキャリア間干渉の除去の２つに分けて説明する。なお、ｎ番目のシンボルに対応する復調ベクトルＹn、等化ベクトルＸ’n及び伝送路応答ベクトルＨ’nが干渉除去部１５ｅに供給されるときの干渉除去部１５ｅ内の各部の処理内容を例に挙げて説明する。【０１８５】
（遅延波によるシンボル間干渉及びキャリア間干渉の除去）
遅延部８６は、選択部１０１から供給される復調ベクトルＹＤ’を１シンボルの処理期間に相当する時間分遅延させて出力する。これによって、干渉除去部１５ｅにｎ番目のシンボルに対応する復調ベクトルＹn、等化ベクトルＸ’n、及び伝送路応答ベクトルＨ’nが干渉除去部１５ｅに供給されて干渉除去部１５ｅが処理を行うとき、干渉除去部１５ｅに（ｎ−１）番目のシンボルに対応する復調ベクトルＹ(n-1)、等化ベクトルＸ’(n-1)、及び伝送路応答ベクトルＨ’(n-1)が供給されて干渉除去部１５ｅが処理を行うことによって選択部１０１から遅延部８６に供給された復調ベクトルＹＥ’(n-1)が遅延部８６から加算部８７、選択部１０２及び除算部９６に供給される。【０１８６】
除算部９６は、遅延部８６から供給された復調ベクトルＹＥ’(n-1)を等化部１４から供給されたｎ番目のシンボルに対応する伝送路応答ベクトルＨ’nで除算し、除算結果を等化ベクトルＸＥ’(n-1)として減算部７１へ供給する。位相回転部５３は、等化部１４から供給されたｎ番目のシンボルに対応する等化ベクトルＸ’nを時間領域でＴｇ時間シフトするようにキャリア毎に位相回転させ、位相回転の結果得られた等化ベクトルＸ’rotnを減算部７１へ供給する。減算部７１は、除算部９６から供給された等化ベクトルＸＥ’(n-1)から位相回転部５３から供給された等化ベクトルＸ’rotnを減算し、減算の結果得られた差分等化ベクトルＸＥ’(n-1)−Ｘ’rotnをアップサンプル部７２へ供給する。【０１８７】
アップサンプル部７２、アップサンプル部５５、乗算部７３、抽出部７４、ダウンサンプル部７５、位相回転部７６及び減算部７７は、夫々、上述した処理内容と実質的に同じ処理内容の処理を実行し、減算部７７は、復調ベクトルＹＥ１’nを選択部１０１へ供給する。【０１８８】
選択部１０１は、ＯＦＤＭ復調部１３から供給されたｎ番目のシンボルに対応する復調ベクトルＹ’nと減算部７７から供給された復調ベクトルＹＥ１’nとの受信品質を比較し、受信品質の良い方の復調ベクトルを復調ベクトルＹＥ’nとして遅延部８６へ供給する。なお、受信品質の測定は、例えば復調ベクトルと伝送路応答ベクトルとを用いてデータキャリアやパイロットキャリア等のＣ／Ｎ値を算出することによって実現できる。【０１８９】
（先行波によるシンボル間干渉及びキャリア間干渉の除去）
遅延部８６、除算部９６、位相回転部５３、減算部７１、アップサンプル部７２、遅延部８１、アップサンプル部８２、乗算部８３、抽出部８４、ダウンサンプル部８５及び加算部８７は、夫々、上述した処理内容或いは実質的に同じ処理内容の処理を行い、加算部８７は復調ベクトルＹＥ２’(n-1)を選択部１０２へ供給する。なお、遅延部８６、除算部９６、位相回転部５３、減算部７１及びアップサンプル部７２の処理は、遅延波によるシンボル間干渉及びキャリア間干渉の除去と共用され、それと別個に行われるものではない。【０１９０】
選択部１０２は、遅延部８６から供給された復調ベクトルＹＥ’(n-1)と加算部８７から供給された復調ベクトルＹＥ２’(n-1)との受信品質を比較し、受信品質の良い方の復調ベクトルを復調ベクトルＹ’(n-1)として等化部１６へ供給する。なお、受信品質の測定は、例えば復調ベクトルと伝送路応答ベクトルとを用いてデータキャリアやパイロットキャリア等のＣ／Ｎ値を算出することによって実現できる。【０１９１】
ところで、算出した遅延波シンボル間干渉成分、遅延波キャリア間干渉成分、先行波シンボル間干渉成分及び先行波シンボル間干渉成分の少なくとも一つが、実際の遅延波シンボル間干渉成分、遅延波キャリア間干渉成分、先行波シンボル間干渉成分及び先行波キャリア間干渉成分と異なる場合、復調ベクトルに対する干渉除去処理によって、復調ベクトルの誤差を増加させてしまうことがある。【０１９２】
しかしながら、干渉除去部１５ｅによれば、干渉除去処理前の復調ベクトルと干渉除去処理後の復調ベクトルの受信品質の良い方を選択するため、干渉除去処理による受信品質の低下を効果的に抑えることができる。【０１９３】
例えば、遅延波や先行波によるシンボル間干渉及びキャリア間干渉がない受信環境では、それらに係る干渉成分は０であるにもかかわらず、ＡＷＧＮ（Additive White Gaussian Noise）などの雑音によって算出される干渉成分は０にならない。このとき、復調ベクトルからＡＷＧＮ（Additive White Gaussian Noise）などの雑音によって０にならなかった干渉成分を除去することは、復調ベクトルに誤差を付加することになる。この場合に、干渉除去処理が施されていない復調ベクトルを選択することによって、干渉除去処理による受信品質の低下を効果的に抑えることができる。【０１９４】
≪第７の実施の形態≫
以下、本発明の第７の実施の形態について図面を参照しつつ説明する。本実施の形態の干渉除去部１５ｆは第３の実施の形態の干渉除去部１５ｃに等化部１４から供給される等化データに対して硬判定を行って等化データを修正する機能を付加したものである。なお、本実施の形態において、上記の各実施の形態の構成要素と実質的に同じ構成要素には同じ符号を付し、その説明が適用できるためその説明を省略する。【０１９５】
［干渉除去部１５ｆの構成及び動作］
本実施の形態の干渉除去部１５ｆの構成及び動作について図１９を参照しつつ説明する。図１９は本実施の形態の干渉除去部１５ｆの構成図である。【０１９６】
干渉除去部１５ｆは、図１４の干渉除去部１５ｂに硬判定部１１１を付加した構成を有する。硬判定部１１１は、等化部１４から供給された等化ベクトルＸ’に対して硬判定を行うことによって等化ベクトルＸ’の修正を行い、硬判定の結果修正された等化ベクトルを等化ベクトルＸ’として遅延部５１及び位相回転部５３へ供給する。【０１９７】
等化部１４から干渉除去部１５ｆに供給された等化ベクトルＸ’には、シンボル間干渉、キャリア間干渉、伝送路推定誤差、熱雑音などに起因する推定誤差が含まれる。このため、等化ベクトルＸ’をそのまま用いて遅延波及び先行波によるシンボル間干渉及びキャリア間干渉に係る各干渉成分を算出した場合には、等化ベクトルＸ’に含まれる推定誤差のために、遅延波及び先行波によるシンボル間干渉及びキャリア間干渉に係る各干渉成分には算出誤差が含まれる。【０１９８】
上記の干渉除去部１５ｆによれば、等化ベクトルＸ’に硬判定を行うことによって、等化ベクトルＸ’の推定誤差を小さくすることができる。このため、遅延波及び先行波によるシンボル間干渉及びキャリア間干渉に係る各干渉成分の算出誤差を小さくすることができ、受信品質の向上が図られる。【０１９９】
なお、伝送路応答ベクトルＨ’についても同様にシンボル間干渉、キャリア間干渉、伝送路推定誤差、熱雑音などに起因する推定誤差が含まれる。このため、伝送路応答ベクトルＨ’をアップサンプルする場合に、有効キャリアの外側の帯域に伝送路応答ベクトルを外挿することにより、伝送路応答ベクトルＨ’の推定精度を向上させる手段を追加するようにしてもよい。但し、伝送路推定精度を向上させる手段はこれに限られるものではない。【０２００】
≪第８の実施の形態≫
以下、本発明の第８の実施の形態について図面を参照しつつ説明する。上記の第３の実施の形態の干渉除去部１５ｂは周波数領域で信号処理を行って干渉除去を行う。これに対して、本実施の形態の干渉除去部１５ｇは周波数領域の信号を時間領域の信号に変換してから時間領域で信号処理を行って干渉除去を行う。【０２０１】
［干渉除去部１５ｇの構成及び動作］
本実施の形態の干渉除去部１５ｇの構成及び動作について図２０を参照しつつ説明する。図２０は本実施の形態の干渉除去部１５ｇの構成図である。【０２０２】
干渉除去部１５ｇは、ＩＦＦＴ部１３１と、遅延部１３２と、時間シフト部１３３と、減算部１３４と、時間領域拡張部１３５と、ＩＦＦＴ部１３６と、時間領域拡張部１３７と、畳み込み乗算部１３８と、抽出部１３９と、時間領域縮小部１４０と、時間シフト部１４１と、ＦＦＴ部１４２と、減算部１４３と、遅延部１４４と、時間領域拡張部１４５と、畳み込み乗算部１４６と、抽出部１４７と、時間領域縮小部１４８と、ＦＦＴ部１４９と、遅延部１５０と、加算部１５１とを備える。【０２０３】
以下、干渉除去部１５ｇの構成及び動作の説明を、遅延波によるシンボル間干渉及びキャリア間干渉の除去と、先行波によるシンボル間干渉及びキャリア間干渉の除去の２つに分けて説明する。なお、ｎ番目のシンボルに対応する復調ベクトルＹn、等化ベクトルＸ’n及び伝送路応答ベクトルＨ’nが干渉除去部１５ｇに供給されるときの干渉除去部１５ｇ内の各部の処理内容を例に挙げて説明する。【０２０４】
（遅延波によるシンボル間干渉及びキャリア間干渉の除去）
ＩＦＦＴ部１３１は、等化部１４から供給されたｎ番目のシンボルに対応する周波数領域の等化ベクトルＸ’nにＩＦＦＴを施し、ＩＦＦＴの結果得られた時間領域の等化信号ｘ’nを遅延部１３２及び時間シフト部１３３へ供給する。【０２０５】
遅延部１３２は、ＩＦＦＴ部１３１から供給された等化信号ｘ’を１シンボルの処理期間に相当する時間分遅延して出力する。これによって、復調ベクトルＹn、等化ベクトルＸ’n及び伝送路応答ベクトルＨ’nが干渉除去部１５ｇに供給されて干渉除去部１５ｇが処理を行うとき、遅延部１３２から減算部１３４に（ｎ−１）番目のシンボルに対応する等化信号ｘ’(n-1)が供給される。【０２０６】
時間シフト部１３３は、ＩＦＦＴ部１３１から供給された等化信号ｘ’nを時間領域でＴｇ時間シフトして、シフトの結果得られた等化信号ｘ’shiftnを減算部１３４へ供給する。【０２０７】
減算部１３４は、遅延部１３２から供給された等化信号ｘ’(n-1)から時間シフト部１３３から供給された等化信号ｘ’shiftnを減算し、減算の結果得られた差分等化信号ｘｇ’(n-1),nを時間領域拡張部１３５へ供給する。【０２０８】
時間領域拡張部１３５は、減算部１３４から供給された時間領域がＴｕである差分等化信号ｘｇ’(n-1),nに対して時間領域を２倍に拡張する処理を行って、時間領域がＴｕの２倍である差分等化信号ｘｇ’2(n-1),nを畳み込み乗算部１３８へ供給する。但し、時間領域を２倍に拡張する処理は、差分等化信号ｘｇ’(n-1),nの時間領域の双方の外側の期間Ｔｕ／２に０の信号を付加する処理である。また、その他の構成要素で行われる時間領域を２倍に拡張する処理も同様にして実現できる。なお、時間領域を２倍に拡張する処理は既知の技術であるので、これ以上の詳細説明は行わない。【０２０９】
ＩＦＦＴ部１３６は、等化部１４から供給されたｎ番目のシンボルに対応する周波数領域の伝送路応答ベクトルＨ’nにＩＦＦＴを施し、ＩＦＦＴの結果得られた時間領域の伝送路応答信号ｈ’nを時間領域拡張部１３７へ供給する。【０２１０】
時間領域拡張部１３７は、ＩＦＦＴ部１３６から供給された時間領域がＴｕである伝送路応答信号ｈ’nに対して時間領域を２倍に拡張する処理を行って、時間領域がＴｕの２倍である伝送路応答信号ｈ’2nを畳み込み乗算部１３８へ供給する。【０２１１】
畳み込み乗算部１３８は、時間領域拡張部１３５から供給された差分等化信号ｘｇ’2(n-1),nと時間領域拡張部１３７から供給された伝送路応答信号ｈ’2nとを畳み込み乗算し、畳み込み乗算の結果得られた差分復調信号ｙｇ１’2(n-1),nを抽出部１３９へ供給する。【０２１２】
抽出部１３９は、畳み込み乗算部１３８から供給された差分復調信号ｙｇ１’2(n-1),nに対して第３の実施の形態の抽出部７４のフィルタの時間領域で見た通過帯域以外の期間の信号成分を０にすることによって、差分復調信号ｙｇ１’2(n-1),nから、復調ベクトルＹnに関係する遅延波シンボル間干渉成分及びそれに関係する遅延波キャリア間干渉成分を抽出する。そして、抽出部１３９は、抽出した遅延波シンボル間干渉成分および遅延波キャリア間干渉成分を表す干渉信号ｅｇ１’2nを生成し、生成した干渉信号ｅｇ１’2nを時間領域縮小部１４０へ供給する。【０２１３】
時間領域縮小部１４０は、抽出部１３９から供給された時間領域が２×Ｔｕである干渉信号ｅｇ１’2nに対して時間領域を１／２倍に縮小する処理を行って、時間領域がＴｕである干渉信号ｅｇ１’nを時間シフト部１４１へ供給する。【０２１４】
時間シフト部１４１は、時間領域縮小部１４０から供給された干渉信号ｅｇ１’nを時間領域で−Ｔｇ時間シフトして、シフトの結果得られた干渉信号ｅｇ１’shiftnをＦＦＴ部１４２へ供給する。【０２１５】
ＦＦＴ部１４２は、時間シフト部１４１から供給された干渉信号ｅｇ１’shiftnにＦＦＴを施し、ＦＦＴの結果得られた周波数領域の干渉ベクトルＥＧ１’shiftnを減算部１４３へ供給する。【０２１６】
減算部１４３は、ＯＦＤＭ復調部１３から供給されたｎ番目のシンボルに対応する復調ベクトルＹnからＦＦＴ部１４２から供給された干渉ベクトルＥＧ１’shiftnを減算し、減算結果を復調ベクトルＹＧ’n（＝Ｙn−ＥＧ１’shiftn）として遅延部１５０へ供給する。【０２１７】
（先行波によるシンボル間干渉及びキャリア間干渉の除去）
ＩＦＦＴ部１３１、遅延部１３２、時間シフト部１３３、減算部１３４及び時間領域拡張部１３５は、夫々、上述した処理内容の処理を行い、時間領域拡張部１３５は差分等化信号ｘｇ’2(n-1),nを畳み込み乗算部１４６へ供給する。なお、これらの処理は、遅延波によるシンボル間干渉及びキャリア間干渉の除去と共用され、それと別個に行われるものではない。【０２１８】
ＩＦＦＴ部１３６は、等化部１４から供給されたｎ番目のシンボルに対応する周波数領域の伝送路応答ベクトルＨ’nにＩＦＦＴを施し、ＩＦＦＴの結果得られた時間領域の伝送路応答信号ｈ’nを遅延部１４４へ供給する。なお、この処理は、遅延波によるシンボル間干渉及びキャリア間干渉の除去と共用され、それと別個に行われるものではない。【０２１９】
遅延部１４４は、ＩＦＦＴ部１３６から供給された伝送路応答信号ｈ’nを１シンボルの処理期間に相当する時間分遅延して出力する。これによって、復調ベクトルＹn、等化ベクトルＸ’n及び伝送路応答ベクトルＨ’nが干渉除去部１５ｇに供給されて干渉除去部１５ｇが処理を行うとき、遅延部１４４から時間領域拡張部１４５に（ｎ−１）番目のシンボルに対応する伝送路応答信号ｈ’(n-1)が供給される。【０２２０】
時間領域拡張部１４５は、遅延部１４４から供給された時間領域がＴｕである伝送路応答信号ｈ’(n-1)に対して時間領域を２倍に拡張する処理を行って、時間領域がＴｕの２倍である伝送路応答信号ｈ’2(n-1)を畳み込み乗算部１４６へ供給する。【０２２１】
畳み込み乗算部１４６は、時間領域拡張部１３５から供給された差分等化信号ｘｇ’2(n-1),nと時間領域拡張部１４５から供給された伝送路応答信号ｈ’2(n-1)とを畳み込み乗算し、畳み込み乗算の結果得られた差分復調信号ｙｇ２’2(n-1),nを抽出部１４７へ供給する。【０２２２】
抽出部１４７は、畳み込み乗算部１４６から供給された差分復調信号ｙｇ２’2(n-1),nに対して第３の実施の形態の抽出部８４のフィルタの時間領域で見た通過帯域以外の期間の信号成分を０にすることによって、差分復調信号ｙｇ２’2(n-1),nから、復調ベクトルＹ(n-1)に関係する先行波シンボル間干渉成分及びそれに関係する先行波キャリア間干渉成分を抽出する。そして、抽出部１４７は、抽出した先行波シンボル間干渉成分および先行波キャリア間干渉成分を表す干渉信号ｅｇ２’2(n-1)を生成し、生成した干渉信号ｅｇ２’2(n-1)を時間領域縮小部１４８へ供給する。【０２２３】
時間領域縮小部１４８は、抽出部１４７から供給された時間領域が２×Ｔｕである干渉信号ｅｇ２’2(n-1)に対して時間領域を１／２倍に縮小する処理を行って、時間領域がＴｕである干渉信号ｅｇ２’2(n-1)をＦＦＴ部１４９へ供給する。【０２２４】
ＦＦＴ部１４９は、時間領域縮小部１４８から供給された干渉信号ｅｇ２’(n-1)にＦＦＴを施し、ＦＦＴの結果得られた周波数領域の干渉ベクトルＥＧ２’(n-1)を加算部１５１へ供給する。【０２２５】
遅延部１５０は、減算部１４３から供給された復調ベクトルＹＧ’を１シンボルの処理期間に相当する時間分遅延して出力する。これによって、ｎ番目のシンボルに対応する復調ベクトルＹn、等化ベクトルＸ’n及び伝送路応答ベクトルＨ’nが干渉除去部１５ｇに供給されて干渉除去部１５ｇが処理を行うとき、（ｎ−１）番目のシンボルに対応する復調ベクトルＹ(n-1)、等化ベクトルＸ’(n-1)及び伝送路応答ベクトルＨ’(n-1)が干渉除去部１５ｇに供給されて干渉除去部１５ｇが処理を行うことによって減算部１４３から遅延部１５０に供給された復調ベクトルＹＧ’(n-1)が遅延部１５０から加算部１５１に供給される。【０２２６】
加算部１５１は、遅延部１５０から供給された復調ベクトルＹＧ’(n-1)とＦＦＴ部１４９から供給された干渉ベクトルＥＧ２’(n-1)とを加算し、加算結果を復調ベクトルＹ’(n-1)（＝ＹＧ’(n-1)−ＥＧ２’(n-1)）として等化部１６へ供給する。【０２２７】
≪第９の実施の形態≫
以下、本発明の第９の実施の形態について図面を参照しつつ説明する。第１の実施の形態の受信装置は干渉除去処理を１段で行う構成であるのに対して、本実施の形態の受信装置１ｈは干渉除去処理を２段で行う構成である。なお、本実施の形態において、上記の各実施の形態の構成要素と実質的に同じ構成要素には同じ符号を付し、その説明が適用できるためその説明を省略する。【０２２８】
＜受信装置１ｈの構成及び動作＞
本実施の形態の受信装置１ｈの構成及び動作について図２１を参照しつつ説明する。図２１は本実施の形態の受信装置１ｈの構成図であり、受信装置１ｈは図３の受信装置１に対して等化部１４ｈ及び干渉除去部１５ｈを付加した構成を有する。【０２２９】
アンテナ１１、チューナ１２、ＯＦＤＭ復調部１３、等化部１４、及び干渉除去部１５は、上述した処理内容の処理を行い、ＯＦＤＭ復調部１３は等化部１４、干渉除去部１５及び干渉除去部１５ｈに復調ベクトルＹを供給し、干渉除去部１５は等化部１４ｈに復調ベクトルＹ’を供給する。【０２３０】
等化部１４ｈは、干渉除去部１５から供給された復調ベクトルＹ’から伝送路応答ベクトルＨＨ’を推定し、推定した伝送路応答ベクトルＨＨ’に基づいて復調ベクトルＹ’を等化して等化ベクトルＸＨ’を算出し、伝送路応答ベクトルＨＨ’と等化ベクトルＸＨ’とを干渉除去部１５ｈへ供給する。なお、等化部１４ｈに、図５において、入力される復調ベクトルＹを復調ベクトルＹ’に置き換えた構成を利用できる。【０２３１】
干渉除去部１５ｈは、等化部１４ｈから供給された伝送路応答ベクトルＨＨ’と等化ベクトルＸＨ’とを用いて、ＯＦＤＭ復調部１３から供給された復調ベクトルＹからシンボル間干渉及びキャリア間干渉を除去するための処理を行い、この処理の結果得られた復調ベクトルＹＨ’を等化部１６へ供給する。なお、干渉除去部１５ｈに、図６において、入力される復調ベクトルＹ、等化ベクトルＸ’、伝送路応答ベクトルＨ’を復調ベクトルＹ、等化ベクトルＸＨ’、伝送路応答ベクトルＨＨ’に置き換えた構成を利用できる。【０２３２】
等化部１６及び復号部１７は、夫々、上述した処理内容と実質的に同じ処理内容の処理を行う。【０２３３】
本実施の形態の受信装置１ｈによれば、復調ベクトルに対するシンボル間干渉及びキャリア間干渉に係る誤差成分の除去処理を２段で行っているので、シンボル間干渉及びキャリア間干渉の除去能力が向上し、受信品質が向上する。また、受信装置１ｈは、フィードフォワード構成であるので、干渉除去処理を行うブロックの連結を容易に行うことができる。【０２３４】
≪第１０の実施の形態≫
以下、本発明の第１０の実施の形態について図面を参照しつつ説明する。但し、本実施の形態の受信装置１ｉは、第１の実施の形態の受信装置１に対して、干渉除去部１５が用いる等化ベクトル及び伝送路応答データを生成する構成の簡略化を行って、回路規模及び演算量の削減を図ったものである。なお、本実施の形態において、上記の各実施の形態の構成要素と実質的に同じ構成要素には同じ符号を付し、その説明が適用できるためその説明を省略する。【０２３５】
＜受信装置１ｉの構成及び動作＞
本実施の形態の受信装置１ｉの構成及び動作について図２２を参照しつつ説明する。図２２は本実施の形態の受信装置１ｉの構成図であり、受信装置１ｉは、図３の受信装置１に対して、等化部１４を除算部１４ｉに置き換え、等化部１６が出力する伝送路応答ベクトルＨ”を遅延して除算部１４ｉ及び干渉除去部１５に供給する遅延部１８を設けた構成を有する。【０２３６】
アンテナ１１、チューナ１２、及びＯＦＤＭ復調部１３は、上述した処理内容の処理を行い、ＯＦＤＭ復調部１３は変調ベクトルＹを除算部１４ｉ及び干渉除去部１５へ供給する。【０２３７】
ここでは、ｎ番目のシンボルに対応する復調ベクトルＹnが除算部１４ｉ及び干渉除去部１５に供給されるときの除算部１４ｉ及び干渉除去部１５等の処理内容を例に挙げて説明する。【０２３８】
遅延部１８は等化部１６から供給される伝送路応答ベクトルＨ”を１シンボルの処理期間に相当する時間分遅延して出力する。これによって、除算部１４ｉ及び干渉除去部１５に復調ベクトルＹnが供給されるとき、除算部１４ｉ及び干渉除去部１５に（ｎ−１）番目のシンボルに対応する復調ベクトルＹ(n-1)が供給されて除算部１４ｉ、干渉除去部１５及び等化部１６が処理を行うことによって等化部１６から遅延部１８に供給されたｍ番目のシンボルに対応する伝送路応答ベクトルＨ”mが遅延部１８から除算部１４ｉ及び干渉除去部１５に供給される。なお、等化部１６から遅延部１８に供給される伝送路応答ベクトルには除算部１４ｉ、干渉除去部１５、等化部１６による遅延が含まれることがあることを考慮して、上記ではｍ番目のシンボルとして記載している。【０２３９】
除算部１４ｉは、ＯＦＤＭ復調部１３から供給された復調ベクトルＹnを遅延部１８から供給された伝送路応答ベクトルＨ”mで除算し、除算結果である等化ベクトルＸ’nを干渉除去部１５へ供給する。【０２４０】
干渉除去部１５は、除算部１４ｉから供給される等化ベクトルＸ’nと遅延部１８から供給される伝送路応答ベクトルＨ”mとを用いて、ＯＦＤＭ復調部１３から供給された復調ベクトルＹ’nに対してシンボル間干渉及びキャリア間干渉の除去処理を行って復調ベクトルＹ’nを等化部１６へ供給する。なお、本実施の形態の干渉除去部１５の処理は、等化部１４から供給される等化ベクトルＸ’を除算部１４ｉから供給される等化ベクトルＸ’に置き換え、等化部１４から供給される伝送路応答ベクトルＨ’を遅延部１８から供給された伝送路応答ベクトルＨ”に置き換えて行われる。【０２４１】
等化部１６は、干渉除去部１５から供給された復調ベクトルＹ’から伝送路応答ベクトルＨ”を推定し、推定した伝送路応答ベクトルＨ”に基づいて復調ベクトルＹ’を等化して等化ベクトルＸ”を算出する。そして、等化部１６は、等化ベクトルＸ”を復号部１７へ供給するとともに、伝送路応答ベクトルＨ”を遅延部１８へ供給する。復号部１７は、上述した処理内容と実質的に同じ処理内容の処理を実行し、伝送情報を出力する。【０２４２】
本実施の形態の受信装置１ｉによれば、シンボル間干渉及びキャリア間干渉の除去が行われた復調ベクトルＹ’に基づいて推定された伝送路応答ベクトルＨ”を用いて復調ベクトルＹに対してシンボル間干渉及びキャリア間干渉の除去処理を行っている。このため、シンボル間干渉及びキャリア間干渉に係る各干渉成分の算出精度が向上し、受信品質の向上が図られる。また、伝送路等化を行う構成要素は等化部１６のみになるので、回路規模及び演算量の削減が図られる。【０２４３】
また、干渉成分の除去処理を施して生成された復調データＹ’を用いて伝送路応答データＨ”を推定し、この伝送路応答データＨ”をフィードバックして復調データＹに対して干渉成分の除去処理を施して復調データＹ’を生成している。このため、伝送路応答データＨ”には干渉成分の繰り返し除去の効果が得られ、受信品質の向上が図られる。【０２４４】
なお、除算部１４ｉ及び干渉除去部１５は、処理対象の復調ベクトルＹよりも過去の時刻の伝送路応答ベクトルＨ”を用いて処理を行うため、送信局間に周波数偏差がある場合や、移動などにより伝送路応答が変化する場合には、伝送路応答の変動によりシンボル間干渉及びキャリア間干渉に係る各干渉成分の算出精度が低下してしまう。これに対して、伝送路応答データを外挿処理などにより予測することによって、周波数の変動耐性を向上させることができる。【０２４５】
≪第１１の実施の形態≫
以下、本発明の第１１の実施の形態について図面を参照しつつ説明する。但し、本実施の形態の受信装置１ｊは、第１の実施の形態の受信装置に対して干渉除去を行う構成を変更したものである。なお、本実施の形態において、上記の各実施の形態の構成要素と実質的に同じ構成要素には同じ符号を付し、その説明が適用できるためその説明を省略する。【０２４６】
＜受信装置１ｊの構成及び動作＞
本実施の形態の受信装置１ｊの構成及び動作について図２３を参照しつつ説明する。図２３は本実施の形態の受信装置１ｊの構成図であり、受信装置１ｊは、図３の受信装置１に対して、等化部１４及び干渉除去部１５からなるブロックを干渉除去部２１、等化部２２、干渉除去部２３及び遅延部２４からなるブロックに置き換えた構成を有する。【０２４７】
アンテナ１１、チューナ１２、及びＯＦＤＭ復調部１３は、上述した処理内容の処理を行い、ＯＦＤＭ復調部１３は変調ベクトルＹを干渉除去部２１へ供給する。【０２４８】
ここでは、ｎ番目のシンボルに対応する復調ベクトルＹnが干渉除去部２１に供給されるときの干渉除去部２１等の処理内容を例に挙げて説明する。【０２４９】
遅延部２４は、干渉除去部２３から供給される遅延波によるシンボル間干渉に係る干渉成分を表す遅延シンボル間干渉ベクトルＥＪ’を１シンボルの処理期間に相当する時間分遅延させて出力する。これによって、干渉除去部２１に復調ベクトルＹnが供給されるとき、干渉除去部２１に（ｎ−１）番目のシンボルに対応する復調ベクトルＹ(n-1)が供給されて干渉除去部２１、等化部２２、及び干渉除去部２３の各部が処理を行うことによって干渉除去部２３から遅延部２４に供給された復調ベクトルＹnに関係する遅延波によるシンボル間干渉に係る干渉成分を表す遅延シンボル間干渉ベクトルＥＪ’nが遅延部２４から干渉除去部２１に供給される。【０２５０】
干渉除去部２１は、図２４に示すように、減算部２１ｊを有する。干渉除去部２１内の減算部２１ｊは、ＯＦＤＭ復調部１３から供給されたｎ番目のシンボルに対応する復調ベクトルＹnから遅延部２４から供給された復調ベクトルＹnに関係する遅延波によるシンボル間干渉に係る干渉成分を表す遅延シンボル間干渉ベクトルＥＪ’nを減算し、減算の結果得られた復調ベクトルＹＪ’n（＝Ｙn−ＥＪ’n）を等化部２２及び干渉除去部２３へ供給する。【０２５１】
等化部２２は、干渉除去部２１から供給された復調ベクトルＹＪ’から伝送路応答ベクトルＨ’を推定し、推定した伝送路応答ベクトルＨ’に基づいて復調ベクトルＹＪ’を等化して等化ベクトルＸ’を算出する。そして、等化部２２は、推定した伝送路応答ベクトルＨ’と算出した等化ベクトルＸ’とを干渉除去部２３へ供給する。これによって、等化ベクトルＸ’nと伝送路応答ベクトルＨ’nとが等化部２２から干渉除去部２３に供給される。なお、等化部２２に、図５において、入力される復調ベクトルＹを復調ベクトルＹＪ’に置き換えた構成を利用できる。【０２５２】
干渉除去部２３は、等化部２２から供給された等化ベクトルＸ’nと伝送路応答ベクトルＨ’nを用いて、復調ベクトルＹ(n+1)に関係する遅延波によるシンボル間干渉に係る干渉成分を表す遅延シンボル間干渉ベクトルＥＪ’(n+1)を遅延部２４へ供給する。また、干渉除去部２３は、等化部２２から供給された等化ベクトルＸ’nと伝送路応答ベクトルＨ’nを用いて、復調ベクトルＹＪ’nから遅延波によるキャリア間干渉に係る干渉成分、先行波によるシンボル間干渉及び先行波によるキャリア間干渉に係る干渉成分を除去する処理を行って、この結果得られた復調ベクトルＹ’nを等化部１６へ供給する。【０２５３】
等化部１６及び復号部１７は、上述した処理内容と実質的に同じ処理内容の処理を行う。【０２５４】
［干渉除去部２３の構成及び動作］
図２３の干渉除去部２３の構成及び動作について図２５を参照しつつ説明する。図２５は図２３の干渉除去部２３の構成図である。【０２５５】
干渉除去部２３は、遅延部５１と、位相回転部５３と、減算部７１と、アップサンプル部７２と、遅延部８１と、アップサンプル部８２と、乗算部８３と、抽出部８４と、ダウンサンプル部８５と、遅延部８６と、加算部８７と、アップサンプル部５５と、アップサンプル部７２ｊと、乗算部７３ｊと、抽出部７４ｊと、ダウンサンプル部７５ｊと、位相回転部７６ｊと、減算部７７ｊと、アップサンプル部２０１と、乗算部２０２と、抽出部２０３と、ダウンサンプル部２０４と、位相回転部２０５とを有する。【０２５６】
以下、干渉除去部２３の構成及び動作の説明を、遅延波によるシンボル間干渉に係る干渉成分の計算と、遅延波によるキャリア間干渉の除去と、先行波によるシンボル間干渉及びキャリア間干渉の除去の３つに分けて説明する。なお、ｎ番目のシンボルに対応する復調ベクトルＹＪn、等化ベクトルＸ’n及び伝送路応答ベクトルＨ’nが干渉除去部２３に供給されるときの干渉除去部２３内の各部の処理内容を例に挙げて説明する。【０２５７】
（遅延波によるシンボル間干渉に係る干渉成分の計算）
アップサンプル部２０１は、等化部２２から供給されるｎ番目のシンボルに対応する等化ベクトルＸ’nを２倍にアップサンプリングし、アップサンプリングの結果得られた等化ベクトルＸ’2nを乗算部２０２へ供給する。【０２５８】
アップサンプル部５５は、等化部２２から供給されたｎ番目のシンボルに対応する伝送路応答ベクトルＨ’nを２倍にアップサンプリングし、アップサンプリングの結果得られた伝送路応答ベクトルＨ’2nを乗算部２０２へ供給する。【０２５９】
乗算部２０２は、アップサンプル部２０１から供給された等化ベクトルＸ’2nとアップサンプル部５５から供給された伝送路応答ベクトルＨ’2nとを乗算し、乗算の結果得られた復調ベクトルＹＪ１’2nを抽出部２０３へ供給する。【０２６０】
抽出部２０３は、例えばＦＩＲフィルタで構成され、第３の実施の形態の抽出部７４と同じ通過帯域の通過特性を有している。抽出部２０３は、乗算部２０２から供給された復調ベクトルＹＪ１’2nにフィルタ処理を施すことによって、復調ベクトルＹＪ１’2nから復調ベクトルＹ(n+1)に関係する遅延波シンボル間干渉成分を抽出し、抽出した遅延波シンボル間干渉成分を表す遅延シンボル間干渉ベクトルＥＪ１’2(n+1)を生成し、生成した遅延シンボル間干渉ベクトルＥＪ１’2(n+1)をダウンサンプル部２０４へ供給する。【０２６１】
ダウンサンプル部２０４は、抽出部２０３から供給された遅延シンボル間干渉ベクトルＥＪ１’2(n+1)を１／２倍にダウンサンプリングし、ダウンサンプリングの結果得られた遅延シンボル間干渉ベクトルＥＪ１’(n+1)を位相回転部２０５へ供給する。【０２６２】
位相回転部２０５は、ダウンサンプル部７５から供給された遅延シンボル間干渉ベクトルＥＪ１’(n+1)を時間領域で−Ｔｇ時間シフトするようにキャリア毎に位相回転させ、位相回転の結果得られた遅延シンボル間干渉ベクトルＥＪ１’rot(n+1)を遅延シンボル間干渉ベクトルＥＪ’(n+1)として遅延部２４へ供給する。【０２６３】
（遅延波によるキャリア間干渉の除去）
位相回転部５３は、等化部２２から供給されたｎ番目のシンボルに対応する等化ベクトルＸ’nを時間領域でＴｇ時間シフトするようにキャリア毎に位相回転させ、位相回転の結果得られた等化ベクトルＸ’rotnをアップサンプル部７２ｊへ供給する。【０２６４】
アップサンプル部７２ｊは、位相回転部５３から供給された等化ベクトルＸ’rotnを２倍にアップサンプリングし、アップサンプリングの結果得られた等化ベクトルＸ’rot2nを乗算部７３ｊへ供給する。【０２６５】
アップサンプル部５５は、等化部２２から供給されたｎ番目のシンボルに対応する伝送路応答ベクトルＨ’nを２倍にアップサンプリングし、アップサンプリングの結果得られた伝送路応答ベクトルＨ’2nを乗算部７３ｊへ供給する。なお、この処理は、遅延波によるシンボル間干渉に係る干渉成分の計算と共用され、それと別個に行われるものではない。【０２６６】
乗算部７３ｊは、アップサンプル部７２ｊから供給された等化ベクトルＸ’rot2nとアップサンプル部５５から供給された伝送路応答ベクトルＨ’2nとを乗算し、乗算の結果得られた復調ベクトルＹＪ２’2nを抽出部７４ｊへ供給する。【０２６７】
抽出部７４ｊは、例えばＦＩＲフィルタで構成され、第３の実施の形態の抽出部７４と同じ通過帯域の通過特性を有している。抽出部７４ｊは、乗算部７３ｊから供給された復調ベクトルＹＪ２’2nにフィルタ処理を施すことによって、復調ベクトルＹＪ２’2nから復調ベクトルＹnに関係する遅延波キャリア間干渉成分を抽出し、抽出した遅延波キャリア間干渉成分を表す干渉ベクトルＥＪ２’2nを生成し、生成した干渉ベクトルＥＪ２’2nをダウンサンプル部７５ｊへ供給する。【０２６８】
ダウンサンプル部７５ｊは、抽出部７４ｊから供給された干渉ベクトルＥＪ２’2nを１／２倍にダウンサンプリングし、ダウンサンプリングの結果得られた干渉ベクトルＥＪ２’nを位相回転部７６ｊへ供給する。【０２６９】
位相回転部７６ｊは、ダウンサンプル部７５ｊから供給された干渉ベクトルＥＪ２’nを時間領域で−Ｔｇ時間シフトするようにキャリア毎に位相回転させ、位相回転の結果得られた干渉ベクトルＥＪ２’rotnを減算部７７ｊへ供給する。【０２７０】
減算部７７ｊは、等化部２２から供給されたｎ番目のシンボルに対応する復調ベクトルＹＪnから位相回転部７６ｊから供給された干渉ベクトルＥＪ２’rotnを減算し、減算結果を復調ベクトルＹＪＡ’n（＝ＹＪn−ＥＪ２’rotn）として出力する。【０２７１】
（先行波によるシンボル間干渉及びキャリア間干渉の除去）
遅延部５１、位相回転部５３、減算部７１、アップサンプル部７２、遅延部８１、アップサンプル部８２、乗算部８３、抽出部８４、及びダウンサンプル部８５は、上述した処理内容の処理を行って、ダウンサンプル部８５は、干渉ベクトルＥＢ’(n-1)を加算部８７へ供給する。なお、位相回転部５３の処理は、遅延波によるキャリア間干渉の除去と共用され、それと別個に行われるものではない。【０２７２】
遅延部８６は、減算部７７ｊから供給された復調ベクトルＹＪＡ’を１シンボルの処理期間に相当する時間分遅延させて出力する。これによって、ｎ番目のシンボルに対応する復調ベクトルＹＪ’n、等化ベクトルＸ’n及び伝送路応答ベクトルＨ’nが干渉除去部１５ｂに供給されて干渉除去部１５ｂが処理を行うとき、（ｎ−１）番目のシンボルに対応する復調ベクトルＹＪ’(n-1)、等化ベクトルＸ’(n-1)及び伝送路応答ベクトルＨ’(n-1)が干渉除去部２３に供給されて干渉除去部２３が処理を行うことによって減算部７７ｊから遅延部８６に供給された復調ベクトルＹＪＡ’(n-1)が遅延部８６から加算部８７に供給される。【０２７３】
加算部８７は、遅延部８６から供給された復調ベクトルＹＪＡ’(n-1)とダウンサンプル部８５から供給された干渉ベクトルＥＢ’(n-1)とを加算し、加算結果を復調ベクトルＹ’(n-1)（＝ＹＪＡ’(n-1)＋ＥＢ’(n-1)）として等化部１６へ供給する。【０２７４】
本実施の形態の受信装置１ｊによれば、遅延波によるシンボル間干渉に係る干渉成分を復調ベクトルから先行して除去し、遅延波によるシンボル間干渉に係る干渉成分が除去された復調ベクトルを用いて遅延波によるキャリア間干渉、先行波によるシンボル間干渉、及び先行波によるキャリア間干渉に係る各干渉成分の算出を行っている。このため、前記の各干渉成分の算出精度が向上し、受信品質の向上が図られる。【０２７５】
≪第１２の実施の形態≫
以下、本発明の第１２の実施の形態について図面を参照しつつ説明する。第３の実施の形態は、ガードインターバル期間を付加したＯＦＤＭ伝送信号を対象としているが、本実施の形態はガードインターバル期間が付加されていないＯＦＤＭ伝送信号を対象とするものである。なお、本実施の形態において、上記の各実施の形態の構成要素と実質的に同じ構成要素には同じ符号を付し、その説明が適用できるためその説明を省略する。【０２７６】
＜干渉除去部１５ｋの構成及び動作＞
本実施の形態の干渉除去部１５ｋの構成及び動作について図２６を参照しつつ説明する。図２６は本実施の形態の干渉除去部１５ｋの構成図である。【０２７７】
本実施の形態では、ガードインターバル期間を付加していないＯＦＤＭ伝送信号を対象としているため、図１４の干渉除去部１５ｂから位相回転部５３及び位相回転部７６を削除した構成になっている。但し、抽出部７４及び抽出部８４のフィルタ処理における通過特性の通過帯域は、図８を参照して説明した通過帯域に対してＴｇ＝０としたものである。【０２７８】
≪補足≫
本発明は上記の実施の形態で説明した内容に限定されず、本発明の目的とそれに関連又は付随する目的を達成するためのいかなる形態においても実施可能であり、例えば、以下であってもよい。【０２７９】
（１）上記の各実施の形態では、ＯＦＤＭ伝送方式を例に説明したが、これに限られるものではなく、互いに直交していない複数のキャリアを用いた周波数分割多重伝送方式に対しても適用可能である。【０２８０】
（２）上記の各実施の形態では、等化部１４が図５に示した構成であるとしたが、これに限られるものではなく、復調ベクトルＹを用いて伝送路応答ベクトルの推定及び等化ベクトルの算出を行える構成であればよい。なお、その他の等化部についても同様である。【０２８１】
（３）上記の実施の形態では、２倍のアップサンプル処理と１／２倍のダウンサンプル処理との組み合わせとしているが、これに限られるものではなく、Ｎ（２を除く１より大きい数）倍のアップサンプル処理と１／Ｎ倍のアップサンプル処理との組み合わせとしてもよい。なお、Ｎの設定は、乗算部５６、６０の出力信号が隣り合う繰り返し成分が互いに干渉しないように定めることが好ましい。【０２８２】
また、上記の第８の実施の形態では、２倍の時間領域拡張処理と１／２倍の時間領域縮小処理の組み合わせとしているが、これに限られるものではなく、Ｎ（２を除く１より大きい数）倍の時間領域拡張処理と１／Ｎ倍の時間領域縮小処理との組み合わせであってもよい。【０２８３】
（４）上記の各実施の形態で説明した構成要素の並びは、出力信号が同じであれば、構成要素の並びを入れ替えてもよい。例えば、第１の実施の形態の遅延部５１とアップサンプル部５２との並びを入れ替えてもよく、位相回転部５３とアップサンプル部５４との並びを入れ替えてもよく、ダウンサンプル部５８と位相回転部５９との並びを入れ替えてもよく、ダウンサンプル部６２と位相回転部６３との並びを入れ替えてもよい。また、第２及び第３の実施の形態のダウンサンプル部７５と位相回転部７６との並びを入れ替えてもよい。なお、時間領域で−Ｔｇ又はＴｇシフトするようにキャリア毎に位相回転させる際に、離散周波数間隔を考慮して周波数領域での位相回転量を適宜変更する必要がある。【０２８４】
（５）上記の第６の実施の形態では、第５の実施の形態の干渉除去部１５ｄに対して選択部１０１、１０２を付加する場合を例に挙げて説明したが、これに限られるものではなく、干渉除去前の復調ベクトルと干渉除去後の復調ベクトルとの受信品質を比較して、受信品質の良い方を選択して出力する選択部を他の実施の形態で説明した干渉除去部や変形例の干渉除去部に対して付加するようにしてもよい。【０２８５】
（６）上記の第７の実施の形態では、第３の実施の形態の干渉除去部１５ｂに対して硬判定部１１１を付加する場合を例に挙げて説明したが、これに限られるものではなく、例えば、等化ベクトルを入力とする他の実施の形態で説明した干渉除去部や変形例の干渉除去部に対して硬判定部１１１を付加するようにしてもよい。【０２８６】
（７）上記の第８の実施の形態の干渉除去部１５ｇは、第３の実施の形態の干渉除去部１５ｂに対して干渉成分の算出を時間領域で行うように変形したものであるが、これに限られるものではなく、他の実施の形態の干渉除去部や変形例の干渉除去部を干渉成分の算出を時間領域で行うように変形してもよい。なお、周波数領域の信号から時間領域の信号への変換にＩＦＦTを用いているが、これに限らず、周波数領域の信号から時間領域の信号へ変換することができる手段であればよい。また、時間領域の信号から周波数領域の信号への変換にＦＦTを用いているが、これに限らず、周波数領域の信号から時間領域の信号へ変換することができる手段であればよい。【０２８７】
（８）上記の第９実施の形態では、受信装置１ｈは等化部１４及び干渉除去部１５からなるブロック及び等化部１４ｈ及び干渉除去部１５ｈからなるブロックの２段で干渉除去処理を行うようになっているが、これに限られるものではなく、３段以上で干渉除去処理を行うようにしてもよい。また、第１０及び第１１の各実施の形態の受信装置１ｉ，１ｊにおいても、干渉除去を行う構成要素のブロックを２段以上にしてもよい。【０２８８】
（９）上記の第９の実施の形態では、受信装置１ｈが備える干渉除去部として第１の実施の形態の干渉除去部１５或いは干渉除去部１５と等価な干渉除去部１５ｈとし、上記の第１０の実施の形態では、受信装置１ｉが備える干渉除去部として第１の実施の形態の干渉除去部１５としたが、これに限られるものではなく、例えば、復調ベクトル、等化ベクトル及び伝送路応答ベクトルを入力とする他の実施の形態で説明した干渉除去部や変形例の干渉除去部に置き換えてもよい。【０２８９】
（１０）上記の第３の実施の形態の干渉除去部１５ｂを除く各干渉除去部をガードインターバル期間が付加されていないＯＦＤＭ伝送信号用の干渉除去部に変更する場合には、位相回転部や時間シフト部を取り除けばよい。【０２９０】
（１１）上記の実施の形態において、遅延波によるシンボル間干渉成分、遅延波によるキャリア間干渉成分、先行波によるシンボル間干渉成分、先行波によるキャリア間干渉成分のうち、除去したい干渉成分のみを除去することができるように、適宜、構成要素の追加及び削除を行ってもよい。【０２９１】
（１２）上記の実施の形態では、周波数領域で動作する抽出部のフィルタの通過帯域は固定としたが、これに限られるものではなく、伝搬路の状況に応じて適応的にフィルタの通過帯域を変更するようにしてもよい。また、時間領域で動作する抽出部が抽出する時間領域は固定としたが、伝搬路の状況に応じて適応的に抽出する時間領域を変更するようにしてもよい。【０２９２】
（１３）上記の各実施の形態などの各構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。【０２９３】
ここでは、ＬＳＩとしたが、集積度の違いにより、ＩＣ（Integrated Circuit）、システムＬＳＩ、スーパーＬＳＩ、ウルトラＬＳＩと呼称されることもある。【０２９４】
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。【０２９５】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【産業上の利用可能性】
【０２９６】
本発明は、複数のキャリアを周波数分割多重した伝送信号からシンボル間干渉及びキャリア間干渉を行う受信装置に利用することができる。
【図１】
2009107347.tif 000003
【図２】
2009107347.tif 000004
【図３】
2009107347.tif 000005
【図４】
2009107347.tif 000006
【図５】
2009107347.tif 000007
【図６】
2009107347.tif 000008
【図７】
2009107347.tif 000009
【図８】
2009107347.tif 000010
【図９】
2009107347.tif 000011
【図１０】
2009107347.tif 000012
【図１１】
2009107347.tif 000013
【図１２】
2009107347.tif 000014
【図１３】
2009107347.tif 000015
【図１４】
2009107347.tif 000016
【図１５】
2009107347.tif 000017
【図１６】
2009107347.tif 000018
【図１７】
2009107347.tif 000019
【図１８】
2009107347.tif 000020
【図１９】
2009107347.tif 000021
【図２０】
2009107347.tif 000022
【図２１】
2009107347.tif 000023
【図２２】
2009107347.tif 000024
【図２３】
2009107347.tif 000025
【図２４】
2009107347.tif 000026
【図２５】
2009107347.tif 000027
【図２６】
2009107347.tif 000028
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
変調処理が施された複数のキャリアを多重した伝送信号を受信し、当該伝送信号を復調する受信装置であって、
受信した時間領域の前記伝送信号からシンボル毎に有効シンボル期間分の伝送信号を切り出し、切り出した有効シンボル期間分の伝送信号を周波数領域の復調データに変換する変換部と、
前記復調データに基づいて周波数領域の伝送路応答データを推定し、推定した前記伝送路応答データに基づいて前記復調データを等化して周波数領域の等化データを算出する等化部と、
シンボル毎に、前記等化データ及び前記伝送路応答データに基づいて、除去対象のシンボルの前及び後の少なくとも一方のシンボルの信号成分が当該除去対象のシンボルの前記有効シンボル期間分に混入することに起因するシンボル間干渉及び除去対象のシンボルの信号成分が前記有効シンボル期間分に満たないことに起因するキャリア間干渉の少なくとも一方に係る干渉成分を表す干渉データを算出し、前記干渉データに基づいて前記復調データに対して前記干渉成分の除去処理を施す干渉除去部と、
を備える受信装置。
【請求項２】
前記干渉除去部は、
Ｎは１より大きい数であり、Ｔｕは有効シンボル期間の時間幅であるとし、一のシンボルに対応する前記等化データに対して遅延処理及びアップサンプル処理を施して離散周波数間隔が１／（Ｎ×Ｔｕ）の第１等化データを生成して出力する遅延アップサンプル部と、
前記一のシンボルに対応する前記伝送路応答データに対してアップサンプル処理を施して離散周波数間隔が１／（Ｎ×Ｔｕ）の第１伝送路応答データを生成するアップサンプル部と、
前記第１等化データと前記第１伝送路応答データとをキャリア毎に乗算して第１復調データを生成する乗算部と、
前記第１復調データに対して所定の通過特性に基づくフィルタ処理を施して当該第１復調データから遅延波によるシンボル間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データから前記干渉データを減算する除去部と、
を備える請求項１記載の受信装置。
【請求項３】
前記干渉成分生成部は、前記第１干渉データに対して前記ダウンサンプル処理に加え、キャリア毎にガードインターバル期間の時間幅に−１を乗算した値に基づく位相回転処理を施す
請求項２記載の受信装置。
【請求項４】
前記干渉除去部は、
Ｎは１より大きい数であり、Ｔｕは有効シンボル期間の時間幅であるとし、一のシンボルに対応する前記等化データに対してアップサンプル処理を施して離散周波数間隔が１／（Ｎ×Ｔｕ）の第１等化データを生成する第１アップサンプル部と、
前記一のシンボルに対応する前記伝送路応答データに対してアップサンプル処理を施して離散周波数間隔が１／（Ｎ×Ｔｕ）の第１伝送路応答データを生成する第２アップサンプル部と、
前記第１等化データと前記第１伝送路応答データとをキャリア毎に乗算して第１復調データを生成する乗算部と、
前記第１復調データに対して所定の通過特性に基づくフィルタ処理を施して当該第１復調データから遅延波によるキャリア間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データに前記干渉データを加算する除去部と、
を備える請求項１記載の受信装置。
【請求項５】
前記干渉除去部は、
前記一のシンボルに対応する前記等化データ又は前記第１等化データに対してキャリア毎にガードインターバル期間の時間幅に基づく位相回転処理を施して第２等化データを生成する位相回転部
を更に備え、
前記位相回転部が前記等化データに対して位相回転処理を施す場合には、前記第１アップサンプル部は前記等化データの代わりに前記第２等化データに対してアップサンプル処理を施して前記第１等化データを生成し、
前記位相回転部が前記第１等化データに対して位相回転処理を施す場合には、前記乗算部は前記第１等化データの代わりに前記第２等化データと前記第１伝送路応答データとをキャリア毎に乗算して前記第１復調データを生成し、
前記干渉成分生成部は、前記第１干渉データに対して前記ダウンサンプル処理に加え、キャリア毎にガードインターバル期間の時間幅に−１を乗算した値に基づく位相回転処理を施す
請求項４記載の受信装置。
【請求項６】
前記干渉除去部は、
一のシンボルに対応する前記等化データに対して遅延処理を施して遅延等化データを出力する遅延部と、
前記遅延等化データから前記一のシンボルに対応する前記等化データを減算し、減算結果を表す差分等化データを生成する差分部と、
Ｎは１より大きい数であり、Ｔｕは有効シンボル期間の時間幅であるとし、前記差分等化データに対してアップサンプル処理を施して離散周波数間隔が１／（Ｎ×Ｔｕ）の第１差分等化データを生成する第１アップサンプル部と、
前記一のシンボルに対応する前記伝送路応答データに対してアップサンプル処理を施して離散周波数間隔が１／（Ｎ×Ｔｕ）の第１伝送路応答データを生成する第２アップサンプル部と、
前記第１差分等化データと前記第１伝送路応答データとをキャリア毎に乗算して差分復調データを生成する乗算部と、
前記差分復調データに対して所定の通過特性に基づくフィルタ処理を施して当該差分復調データから遅延波によるシンボル間干渉及び遅延波によるキャリア間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データから前記干渉データを減算する除去部と、
を備える請求項１記載の受信装置。
【請求項７】
前記干渉除去部は、
前記一のシンボルに対応する前記等化データに対してキャリア毎にガードインターバル期間の時間幅に基づく位相回転処理を施して第１等化データを生成する位相回転部
を更に備え、
前記差分部は、前記一のシンボルに対応する前記等化データの代わりに前記第１等化データを用いて、前記遅延等化データから前記第１等化データを減算し、減算結果を表す前記差分等化データを生成し、
前記干渉成分生成部は、前記第１干渉データに対して前記ダウンサンプル処理に加え、キャリア毎にガードインターバル期間の時間幅に−１を乗算した値に基づく位相回転処理を施す
請求項６記載の受信装置。
【請求項８】
前記干渉除去部は、
前記差分復調データに対して所定の通過特性に基づくフィルタ処理を施して当該差分復調データから先行波によるシンボル間干渉及び先行波によるキャリア間干渉に係る第２干渉成分を抽出し、当該第２干渉成分を表す第２干渉データを生成する第１抽出部と、
前記第２干渉データに対してダウンサンプル処理を施して先行波によるシンボル間干渉及び先行波によるキャリア間干渉に係る第３干渉成分を表す前記第３干渉データを生成する第１干渉成分生成部と、
前記除去部による処理の結果得られた第１復調データに対して遅延処理を施して第１遅延復調データを出力する第１遅延部と、
前記第１遅延復調データと前記第３干渉データとを加算する第１除去部と、
を更に備える請求項６記載の受信装置。
【請求項９】
前記一のシンボルに対応する前記伝送路応答データに対して遅延処理及びアップサンプル処理を施して離散周波数間隔が１／（Ｎ×Ｔｕ）の第２伝送路応答データを生成して出力する遅延アップサンプル部と、
前記第１差分等化データと前記第２伝送路応答データとをキャリア毎に乗算して第１差分復調データを生成する第１乗算部と、
前記第１差分復調データに対して所定の通過特性に基づくフィルタ処理を施して当該第１差分復調データから先行波によるシンボル間干渉及び先行波によるキャリア間干渉に係る第２干渉成分を抽出し、当該第２干渉成分を表す第２干渉データを生成する第１抽出部と、
前記第２干渉データに対してダウンサンプル処理を施して先行波によるシンボル間干渉及び先行波によるキャリア間干渉に係る第３干渉成分を表す前記第３干渉データを生成する第１干渉成分生成部と、
前記除去部による処理の結果得られた第１復調データに対して遅延処理を施して第１遅延復調データを出力する第１遅延部と、
前記第１遅延復調データと前記第３干渉データとを加算する第１除去部と、
を更に備える請求項６記載の受信装置。
【請求項１０】
前記干渉除去部は、
供給される第１遅延復調データを一のシンボルに対応する前記伝送路応答データで除算して第１等化データを生成する除算部と、
前記第１等化データ及び前記一のシンボルに対応する前記伝送路応答データに基づいて遅延波によるシンボル間干渉に係る第１干渉成分を算出し、前記一のシンボルに対応する前記等化データ及び前記一のシンボルに対応する前記伝送路応答データに基づいて遅延波によるキャリア間干渉に係る第２干渉成分を算出し、当該第１干渉成分から当該第２干渉成分を減算して前記干渉成分を算出して前記干渉データを生成する干渉成分生成部と、
前記一のシンボルに対応する前記復調データから前記干渉データを減算して第１復調データを出力する減算部と、
前記第１復調データに対して遅延処理を施して次シンボル用の前記第１遅延復調データを前記除算部へ供給する遅延部と、
を備える請求項１記載の受信装置。
【請求項１１】
前記干渉除去部は、周波数領域の前記等化データを時間領域の等化信号に変換し、周波数領域の前記伝送路応答データを時間領域の伝送路信号に変換し、前記等化信号及び前記伝送路信号に基づいて前記干渉成分を表す干渉信号を算出し、前記干渉信号に基づいて前記復調データに対して前記干渉成分の除去処理を施す
請求項１記載の受信装置。
【請求項１２】
前記復調データと前記干渉除去部による前記除去処理によって得られた第１復調データとの受信品質を比較し、受信品質の良い方を選択して出力する選択部
を更に備える請求項１記載の受信装置。
【請求項１３】
前記干渉除去部は、
前記等化データに対して硬判定処理を施して前記除去処理を行う
請求項１記載の受信装置。
【請求項１４】
直列に多段接続されている前記等化部及び前記干渉除去部を有する処理ブロックを有する
請求項１記載の受信装置。
【請求項１５】
変調処理が施された複数のキャリアを多重した伝送信号を受信し、当該伝送信号を復調する受信装置であって、
受信した時間領域の前記伝送信号をシンボル毎に周波数領域の復調データに変換する変換部と、
シンボル毎に、前記復調データを供給される遅延伝送路応答データで除算して等化データを生成する除算部と、
シンボル毎に、前記等化データ及び供給される前記遅延伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施して第１復調データを生成する干渉除去部と、
前記第１復調データに基づいて周波数領域の伝送路応答データを推定し、推定した前記伝送路応答データに基づいて前記復調データを等化して周波数領域の等化データを算出する等化部と、
前記伝送路応答データに対して遅延処理を施して次シンボル用の前記遅延伝送路応答データを前記除算部及び前記干渉除去部へ供給する遅延部と、
を備える受信装置。
【請求項１６】
変調処理が施された複数のキャリアを多重した伝送信号を受信し、当該伝送信号を復調する受信装置であって、
受信した時間領域の前記伝送信号をシンボル毎に周波数領域の復調データに変換する変換部と、
シンボル毎に、前記復調データから、供給される遅延波によるシンボル間干渉に係る干渉成分を表す遅延干渉データを減算して第１復調データを生成する第１干渉除去部と、
前記第１復調データに基づいて周波数領域の伝送路応答データを推定し、推定した前記伝送路応答データに基づいて前記第１復調データを等化して周波数領域の等化データを算出する等化部と、
シンボル毎に、前記等化データ及び前記伝送路応答データに基づいて遅延波によるシンボル間干渉に係る干渉成分を算出し、当該干渉成分を表す干渉データを生成するとともに、前記第１復調データに対して干渉除去処理を施す第２干渉除去部と、
前記干渉データに対して遅延処理を施して次シンボル用の前記遅延干渉データを第１干渉除去部へ供給する遅延部と、
を備える受信装置。
【請求項１７】
変調処理が施された複数のキャリアを多重した伝送信号を受信し、当該伝送信号を復調する集積回路であって、
受信した時間領域の前記伝送信号からシンボル毎に有効シンボル期間分の伝送信号を切り出し、切り出した有効シンボル期間分の伝送信号を周波数領域の復調データに変換する変換回路と、
前記復調データに基づいて周波数領域の伝送路応答データを推定し、推定した前記伝送路応答データに基づいて前記復調データを等化して周波数領域の等化データを算出する等化回路と、
シンボル毎に、前記等化データ及び前記伝送路応答データに基づいて、除去対象のシンボルの前及び後の少なくとも一方のシンボルの信号成分が当該除去対象のシンボルの前記有効シンボル期間分に混入することに起因するシンボル間干渉及び除去対象のシンボルの信号成分が前記有効シンボル期間分に満たないことに起因するキャリア間干渉の少なくとも一方に係る干渉成分を表す干渉データを算出し、前記干渉データに基づいて前記復調データに対して前記干渉成分の除去処理を施す干渉除去回路と、
を備える集積回路。
【請求項１８】
変調処理が施された複数のキャリアを多重した伝送信号を受信し、当該伝送信号を復調する受信装置において行われる受信方法であって、
受信した時間領域の前記伝送信号からシンボル毎に有効シンボル期間分の伝送信号を切り出し、切り出した有効シンボル期間分の伝送信号を周波数領域の復調データに変換する変換ステップと、
前記復調データに基づいて周波数領域の伝送路応答データを推定し、推定した前記伝送路応答データに基づいて前記復調データを等化して周波数領域の等化データを算出する等化ステップと、
シンボル毎に、前記等化データ及び前記伝送路応答データに基づいて、除去対象のシンボルの前及び後の少なくとも一方のシンボルの信号成分が当該除去対象のシンボルの前記有効シンボル期間分に混入することに起因するシンボル間干渉及び除去対象のシンボルの信号成分が前記有効シンボル期間分に満たないことに起因するキャリア間干渉の少なくとも一方に係る干渉成分を表す干渉データを算出し、前記干渉データに基づいて前記復調データに対して前記干渉成分の除去処理を施す干渉除去ステップと、
を有する受信方法。
【手続補正書】
【提出日】平成22年7月30日(2010.7.30)
【手続補正１】
【補正対象書類名】明細書
【補正対象項目名】全文
【補正方法】変更
【補正の内容】
【発明の詳細な説明】
【技術分野】
【０００１】
本発明は、変調処理が施された複数のキャリアを周波数分割多重した伝送信号からシンボル間干渉及びキャリア間干渉の少なくとも一方に起因する誤差を除去する技術に関する。
【背景技術】
【０００２】
地上デジタル放送や無線ＬＡＮ（Local Area Network）の伝送方式として、直交周波数分割多重（ＯＦＤＭ）方式が採用されている。ＯＦＤＭ方式は、複数の搬送波を直交性を保ちながら密に並べる方式であることから、周波数利用効率の高い方式である。また、ＯＦＤＭ方式では、シンボル長を長く設定できることから、複数の到来波によって生じるシンボル間干渉に強い方式である。
【０００３】
また、ＯＦＤＭ方式の技術として、ガードインターバル技術が広く用いられている。これは、有効シンボルの後ろの一部分を、ガードインターバルとして有効シンボルの前に付加し、主波に対する遅延波の遅延時間がガードインターバルの時間幅以内であれば、遅延波によるシンボル間干渉に係る干渉成分を避けて高速フーリエ変換（Fast Fourier Transform：ＦＦＴ）を施すことを可能にする。これによって、受信装置は受信したＯＦＤＭ伝送信号を劣化なく復調できる。
【０００４】
しかしながら、遅延波の遅延時間がガードインターバルの時間幅を超える場合、シンボル間干渉（Inter-Symbol-Interference：ＩＳＩ）及びキャリア間干渉（Inter-Carrier-Interference：ＩＣＩ）が発生することにより、受信装置は受信したＯＦＤＭ伝送信号を正確に復調することが困難となり、受信品質が劣化する。
【０００５】
ところで、地上デジタル放送方式では、単一周波数ネットワーク（Single Frequency Network：ＳＦＮ）が用いられており、遅延波の遅延時間がガードインターバルの時間幅以内に収まるように送信局の設置が行われる。しかし、山岳やビルなどでの反射により、遅延時間がガードインターバルの時間幅を超える遅延波が到来する環境もある。このような環境では、シンボル間干渉及びキャリア間干渉のために、受信装置は受信したＯＦＤＭ伝送信号を正しく復調することが困難となり、受信品質が著しく劣化する。
【０００６】
このため、上記の環境においてＯＦＤＭ伝送信号を正確に復調するためには、ＯＦＤＭ伝送信号から遅延波によるシンボル間干渉及びキャリア間干渉に係る干渉成分を除去する技術が必須となり、例えば特許文献１に以下の手法が提案されている。
【０００７】
時間領域のＯＦＤＭ伝送信号にＦＦＴを施すことによって周波数領域の復調データを算出し、復調データに基づいて周波数領域の伝送路応答データを推定し、周波数領域の伝送路応答データに逆高速フーリエ変換（Inverse Fast Fourier Transform：ＩＦＦＴ）を施すことによって時間領域の伝送路応答信号を算出する。時間領域の伝送路応答信号に基づいて時間領域のＯＦＤＭ伝送信号に波形等化を施し、シンボル間干渉及びキャリア間干渉に係る干渉成分を推定して、ＯＦＤＭ伝送信号から干渉成分を除去する。
【０００８】
なお、その他にも特許文献２に開示された手法があるが、主波より先行して到来する先行波によるシンボル間干渉及びキャリア間干渉に係る干渉成分を推定して除去できないというものである。
【先行技術文献】
【特許文献】
【０００９】
【特許文献１】特開２００７−００６０６７号公報
【特許文献２】特開２００４−２８９４７５号公報
【発明の概要】
【発明が解決しようとする課題】
【００１０】
しかしながら、特許文献１に開示された手法では、ＦＦＴより前段の時間領域でフィルタを用いてシンボル間干渉及びキャリア間干渉に係る干渉成分を推定しており、干渉成分の推定精度を上げるためには、タップ数の多いフィルタが必要になり、回路規模が増大してしまうという課題がある。
【００１１】
そこで、本発明は、変調処理が施された複数のキャリアを周波数分割多重した伝送信号からシンボル間干渉及びキャリア間干渉の少なくとも一方に係る誤差成分の除去を小さい回路規模で可能にする受信装置、集積回路及び受信方法を提供することを目的とする。
【課題を解決するための手段】
【００１２】
上記目的を達成するために本発明の受信装置は、変調処理が施された複数のキャリアを多重した伝送信号を受信し、当該伝送信号を復調する受信装置であって、受信した時間領域の前記伝送信号をシンボル毎に周波数領域の復調データに変換する変換部と、前記復調データに基づいて周波数領域の伝送路応答データを推定し、推定した前記伝送路応答データに基づいて前記復調データを等化して周波数領域の等化データを算出する等化部と、シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去部と、を備える。
【００１３】
また、本発明の集積回路は、変調処理が施された複数のキャリアを多重した伝送信号を受信し、当該伝送信号を復調する集積回路であって、受信した時間領域の前記伝送信号をシンボル毎に周波数領域の復調データに変換する変換回路と、前記復調データに基づいて周波数領域の伝送路応答データを推定し、推定した前記伝送路応答データに基づいて前記復調データを等化して周波数領域の等化データを算出する等化回路と、シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去回路と、を備える。
【００１４】
さらに、本発明の受信方法は、変調処理が施された複数のキャリアを多重した伝送信号を受信し、当該伝送信号を復調する受信装置において行われる受信方法であって、受信した時間領域の前記伝送信号をシンボル毎に周波数領域の復調データに変換する変換ステップと、前記復調データに基づいて周波数領域の伝送路応答データを推定し、推定した前記伝送路応答データに基づいて前記復調データを等化して周波数領域の等化データを算出する等化ステップと、シンボル毎に、前記等化データ及び前記伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施す干渉除去ステップと、を有する。
【発明の効果】
【００１５】
上記受信装置、集積回路、及び受信方法によれば、時間領域の伝送信号を周波数領域の復調データに変換する変換部より後段の周波数領域において干渉成分の算出及び除去を行っているため、回路規模の増大を抑えつつ、シンボル間干渉及びキャリア間干渉の影響を除去することによる受信品質の向上が図られる。
【００１６】
上記の受信装置において、前記干渉除去部は、Ｎは１より大きい数であり、Ｔｕは有効シンボル期間の時間幅であるとし、一のシンボルに対応する前記等化データに対して遅延処理及びアップサンプル処理を施して離散周波数間隔が１／（Ｎ×Ｔｕ）の第１等化データを生成して出力する遅延アップサンプル部と、前記一のシンボルに対応する前記伝送路応答データに対してアップサンプル処理を施して離散周波数間隔が１／（Ｎ×Ｔｕ）の第１伝送路応答データを生成するアップサンプル部と、前記第１等化データと前記第１伝送路応答データとをキャリア毎に乗算して第１復調データを生成する乗算部と、前記第１復調データに対して所定の通過特性に基づくフィルタ処理を施して当該第１復調データから遅延波によるシンボル間干渉に係る第１干渉成分を抽出し、当該第１干渉成分を表す第１干渉データを生成する抽出部と、前記第１干渉データに対してダウンサンプル処理を施して前記干渉成分を表す前記干渉データを生成する干渉成分生成部と、前記一のシンボルに対応する前記復調データから前記干渉データを減算する除去部と、を備えるようにしてもよい。
【００１７】
これによれば、第１復調データを時間領域でみた場合における隣接する信号成分が重複しなくなるので、遅延波によるシンボル間干渉に係る第１干渉成分を独立して抽出することが可能になり、遅延波によるシンボル間干渉の除去能力の向上が図られる。
【００１８】
上記の受信装置において、前記干渉成分生成部は、前記第１干渉データに対して前記ダウンサンプル処理に加え、キャリア毎にガードインターバル期間の時間幅に−1を乗算した値に基づく位相回転処理を施すようにしてもよい。
【００１９】
これによれば、受信する伝送信号にガードインターバル期間が付加されている場合にも、復調データから干渉成分の除去を効果的に行うことが可能になる。
上記の受信装置において、前記干渉除去部は、Ｎは１より大きい数であり、Ｔｕは有効シンボル期間の時間幅であるとし、一のシンボルに対応する前記等化データに対してアップサンプル処理を施して離散周波数間隔が１／（Ｎ×Ｔｕ）の第１等化データを生成する第１アップサンプル部と、前記一のシンボルに対応する前記伝送路応答データに対してアップサンプル処理を施して離散周波数間隔が１／（Ｎ×Ｔｕ）の第１伝送路応答データを生成する第２アップサンプル部と、前記第１等化データと前記第１伝送路応答データとをキャリア毎に乗算して第１復調データを生成する乗算部と、前記第１復調データに対して所定の通過特性に基づくフィルタ処理を施して当該第１復調データから遅延波によるキャリア間干渉に係る第１干渉成分を抽出し、当該第１干渉成分を表す第１干渉データを生成する抽出部と、前記第１干渉データに対してダウンサンプル処理を施して前記干渉成分を表す前記干渉データを生成する干渉成分生成部と、前記一のシンボルに対応する前記復調データに前記干渉データを加算する除去部と、を備えるようにしてもよい。
【００２０】
これによれば、第１復調データを時間領域でみた場合における隣接する信号成分が重複しなくなるので、遅延波によるキャリア間干渉に係る第１干渉成分を独立して抽出することが可能になり、遅延波によるシンボル間干渉の除去能力の向上が図られる。
【００２１】
上記の受信装置において、前記干渉除去部は、前記一のシンボルに対応する前記等化データ又は前記第１等化データに対してキャリア毎にガードインターバル期間の時間幅に基づく位相回転処理を施して第２等化データを生成する位相回転部を更に備え、前記位相回転部が前記等化データに対して位相回転処理を施す場合には、前記第１アップサンプル部は前記等化データの代わりに前記第２等化データに対してアップサンプル処理を施して前記第１等化データを生成し、前記位相回転部が前記第１等化データに対して位相回転処理を施す場合には、前記乗算部は前記第１等化データの代わりに前記第２等化データと前記第１伝送路応答データとをキャリア毎に乗算して前記第１復調データを生成し、前記干渉成分生成部は、前記第１干渉データに対して前記ダウンサンプル処理に加え、キャリア毎にガードインターバル期間の時間幅に−1を乗算した値に基づく位相回転処理を施すようにしてもよい。
【００２２】
これによれば、受信する伝送信号にガードインターバル期間が付加されている場合にも、復調データから干渉成分の除去を効果的に行うことが可能になる。
上記の受信装置において、前記干渉除去部は、一のシンボルに対応する前記等化データに対して遅延処理を施して遅延等化データを出力する遅延部と、前記遅延等化データから前記一のシンボルに対応する前記等化データを減算し、減算結果を表す差分等化データを生成する差分部と、Ｎは１より大きい数であり、Ｔｕは有効シンボル期間の時間幅であるとし、前記差分等化データに対してアップサンプル処理を施して離散周波数間隔が１／（Ｎ×Ｔｕ）の第１差分等化データを生成する第１アップサンプル部と、前記一のシンボルに対応する前記伝送路応答データに対してアップサンプル処理を施して離散周波数間隔が１／（Ｎ×Ｔｕ）の第１伝送路応答データを生成する第２アップサンプル部と、前記第１差分等化データと前記第１伝送路応答データとをキャリア毎に乗算して差分復調データを生成する乗算部と、前記差分復調データに対して所定の通過特性に基づくフィルタ処理を施して当該差分復調データから遅延波によるシンボル間干渉及び遅延波によるキャリア間干渉に係る第１干渉成分を抽出し、当該第１干渉成分を表す第１干渉データを生成する抽出部と、前記第１干渉データに対してダウンサンプル処理を施して前記干渉成分を表す前記干渉データを生成する干渉成分生成部と、前記一のシンボルに対応する前記復調データから前記干渉データを減算する除去部と、を備えるようにしてもよい。
【００２３】
これによれば、遅延波によるシンボル間干渉及びキャリア間干渉に係る干渉成分の除去に一部の構成要素を用いているため、回路規模の削減を図りつつ、復調データから遅延波によるシンボル間干渉及びキャリア間干渉に係る双方の干渉成分の除去を行うことが可能になる。
【００２４】
上記の受信装置において、前記干渉除去部は、前記一のシンボルに対応する前記等化データに対してキャリア毎にガードインターバル期間の時間幅に基づく位相回転処理を施して第１等化データを生成する位相回転部を更に備え、前記差分部は、前記一のシンボルに対応する前記等化データの代わりに前記第１等化データを用いて、前記遅延等化データから前記第１等化データを減算し、減算結果を表す前記差分等化データを生成し、前記干渉成分生成部は、前記第１干渉データに対して前記ダウンサンプル処理に加え、キャリア毎にガードインターバル期間の時間幅に−1を乗算した値に基づく位相回転処理を施すようにしてもよい。
【００２５】
これによれば、受信する伝送信号にガードインターバル期間が付加されている場合にも、復調データから干渉成分の除去を行うことが可能になる。
上記の受信装置において、前記干渉除去部は、前記差分復調データに対して所定の通過特性に基づくフィルタ処理を施して当該差分復調データから先行波によるシンボル間干渉及び先行波によるキャリア間干渉に係る第２干渉成分を抽出し、当該第２干渉成分を表す第２干渉データを生成する第１抽出部と、前記第２干渉データに対してダウンサンプル処理を施して先行波によるシンボル間干渉及び先行波によるキャリア間干渉に係る第３干渉成分を表す前記第３干渉データを生成する第１干渉成分生成部と、前記除去部による処理の結果得られた第１復調データに対して遅延処理を施して第１遅延復調データを出力する第１遅延部と、前記第１遅延復調データと前記第３干渉データとを加算する第１除去部と、を更に備えるようにしてもよい。
【００２６】
これによれば、復調データから先行波によるシンボル間干渉及びキャリア間干渉に係る干渉成分の除去を行うことが可能になり、更なる受信品質の向上が期待できる。
上記の受信装置において、前記一のシンボルに対応する前記伝送路応答データに対して遅延処理及びアップサンプル処理を施して離散周波数間隔が１／（Ｎ×Ｔｕ）の第２伝送路応答データを生成して出力する遅延アップサンプル部と、前記第１差分等化データと前記第２伝送路応答データとをキャリア毎に乗算して第１差分復調データを生成する第１乗算部と、前記第１差分復調データに対して所定の通過特性に基づくフィルタ処理を施して当該第１差分復調データから先行波によるシンボル間干渉及び先行波によるキャリア間干渉に係る第２干渉成分を抽出し、当該第２干渉成分を表す第２干渉データを生成する第１抽出部と、前記第２干渉データに対してダウンサンプル処理を施して先行波によるシンボル間干渉及び先行波によるキャリア間干渉に係る第３干渉成分を表す前記第３干渉データを生成する第１干渉成分生成部と、前記除去部による処理の結果得られた第１復調データに対して遅延処理を施して第１遅延復調データを出力する第１遅延部と、前記第１遅延復調データと前記第３干渉データとを加算する第１除去部と、を更に備えるようにしてもよい。
【００２７】
これによれば、送信局間の周波数偏差や伝送路変動による影響を抑えつつ、復調データから先行波によるシンボル間干渉及びキャリア間干渉に係る干渉成分の除去を行うことが可能になり、更なる受信品質の向上が期待できる。
【００２８】
上記の受信装置において、前記干渉除去部は、供給される第１遅延復調データを一のシンボルに対応する前記伝送路応答データで除算して第１等化データを生成する除算部と、前記第１等化データ及び前記一のシンボルに対応する前記伝送路応答データに基づいて遅延波によるシンボル間干渉に係る第１干渉成分を算出し、前記一のシンボルに対応する前記等化データ及び前記一のシンボルに対応する前記伝送路応答データに基づいて遅延波によるキャリア間干渉に係る第２干渉成分を算出し、当該第１干渉成分から当該第２干渉成分を減算して前記干渉成分を算出して前記干渉データを生成する干渉成分生成部と、前記一のシンボルに対応する前記復調データから前記干渉データを減算して第１復調データを出力する減算部と、前記第１復調データに対して遅延処理を施して次シンボル用の前記第１遅延復調データを前記除算部へ供給する遅延部と、を備えるようにしてもよい。
【００２９】
これによれば、シンボル間干渉及びキャリア間干渉に係る干渉成分が除去された前シンボルの復調データを用いて遅延波によるシンボル間干渉の除去処理を行うことが可能になって、更なる受信品質の向上が図られる。
【００３０】
上記の受信装置において、前記干渉除去部は、周波数領域の前記等化データを時間領域の等化信号に変換し、周波数領域の前記伝送路応答データを時間領域の伝送路信号に変換し、前記等化信号及び前記伝送路信号に基づいて前記干渉成分を表す干渉信号を算出し、前記干渉信号に基づいて前記復調データに対して前記干渉成分の除去処理を施すようにしてもよい。
【００３１】
これによれば、時間領域で干渉成分を表す干渉信号の算出による干渉成分の除去処理が可能になる。
上記の受信装置において、前記復調データと前記干渉除去部による前記除去処理によって得られた第１復調データとの受信品質を比較し、受信品質の良い方を選択して出力する選択部を更に備えるようにしてもよい。
【００３２】
これによれば、干渉成分を除去することによって第１復調データの受信品質が低下するような場合には干渉成分が除去されていない復調データが選択され、干渉除去に起因する受信品質の劣化を回避できる。
【００３３】
上記の受信装置において、前記干渉除去部は、前記等化データに対して硬判定処理を施して前記除去処理を行うようにしてもよい。
これによれば、等化データの推定誤差を小さくすることができるので、受信品質の更なる向上が図られる。
【００３４】
上記の受信装置において、直列に多段接続されている前記等化部及び前記干渉除去部を有する処理ブロックを有するようにしてもよい。
これによれば、干渉除去処理が複数回繰り返されるので、受信品質の更なる向上が図られる。
【００３５】
また、本発明の受信装置は、変調処理が施された複数のキャリアを多重した伝送信号を受信し、当該伝送信号を復調する受信装置であって、受信した時間領域の前記伝送信号をシンボル毎に周波数領域の復調データに変換する変換部と、シンボル毎に、前記復調データを供給される遅延伝送路応答データで除算して等化データを生成する除算部と、シンボル毎に、前記等化データ及び供給される前記遅延伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施して第１復調データを生成する干渉除去部と、前記第１復調データに基づいて周波数領域の伝送路応答データを推定し、推定した前記伝送路応答データに基づいて前記復調データを等化して周波数領域の等化データを算出する等化部と、前記伝送路応答データに対して遅延処理を施して次シンボル用の前記遅延伝送路応答データを前記除算部及び前記干渉除去部へ供給する遅延部と、を備える。
【００３６】
これによれば、時間領域の伝送信号を周波数領域の復調データに変換する変換部より後段の周波数領域において干渉成分の算出及び除去を行っているため、回路規模の増大を抑えつつ、シンボル間干渉及びキャリア間干渉の影響を除去することによる受信品質の向上が図られる。また、干渉成分の除去処理を施して生成された第１復調データを用いて伝送路応答データを推定し、この伝送路応答データをフィードバックして干渉データを算出して算出した干渉データに基づいて復調データに対して干渉成分の除去処理を施して第１復調データを生成しているため、伝送路応答データには干渉成分の繰り返し除去の効果が得られ、受信品質の向上が図られる。
【００３７】
さらに、本発明の受信装置は、変調処理が施された複数のキャリアを多重した伝送信号を受信し、当該伝送信号を復調する受信装置であって、受信した時間領域の前記伝送信号をシンボル毎に周波数領域の復調データに変換する変換部と、シンボル毎に、前記復調データから、供給される遅延波によるシンボル間干渉に係る干渉成分を表す遅延干渉データを減算して第１復調データを生成する第１干渉除去部と、前記第１復調データに基づいて周波数領域の伝送路応答データを推定し、推定した前記伝送路応答データに基づいて前記第１復調データを等化して周波数領域の等化データを算出する等化部と、シンボル毎に、前記等化データ及び前記伝送路応答データに基づいて遅延波によるシンボル間干渉に係る干渉成分を算出し、当該干渉成分を表す干渉データを生成するとともに、前記第１復調データに対して干渉除去処理を施す第２干渉除去部と、前記干渉データに対して遅延処理を施して次シンボル用の前記遅延干渉データを第１干渉除去部へ供給する遅延部と、を備える。
【００３８】
これによれば、時間領域の伝送信号を周波数領域の復調データに変換する変換部より後段の周波数領域において干渉成分の算出及び除去を行っているため、回路規模の増大を抑えつつ、シンボル間干渉及びキャリア間干渉の影響を除去することによる受信品質の向上が図られる。
【図面の簡単な説明】
【００３９】
【図１】ＯＦＤＭ伝送信号を模式的に表した図。
【図２】（ａ）〜（ｇ）は遅延波によるシンボル間干渉及びキャリア間干渉の概要を説明するための図。
【図３】第１の実施の形態の受信装置１の構成図。
【図４】（ａ）〜（ｇ）は図３の受信装置１の処理内容を説明するための図。
【図５】図３の等化部１４の構成図。
【図６】図３の干渉除去部１５の構成図。
【図７】（ａ）〜（ｓ）は図６の干渉除去部１５の処理内容を説明するための図。
【図８】（ａ）は図６の抽出部５７のフィルタの通過帯域を説明するための図であり、（ｂ）は図１４の抽出部８４のフィルタの通過帯域を説明するための図。
【図９】第２の実施の形態の干渉除去部１５ａの構成図。
【図１０】（ａ）〜（ｎ）は図９の干渉除去部１５ａの処理内容を説明するための図。
【図１１】（ａ）〜（ｇ）は先行波によるシンボル間干渉及びキャリア間干渉の概要を説明するための図。
【図１２】第３の実施の形態の受信装置１ｂの構成図。
【図１３】（ａ）〜（ｇ）は図１２の受信装置１ｂの処理内容を説明するための図。
【図１４】図１２の干渉除去部１５ｂの構成図。
【図１５】（ａ）〜（ｏ）は図１４の干渉除去部１５ｂの処理内容を説明するための図。
【図１６】第４の実施の形態の干渉除去部１５ｃの構成図。
【図１７】第５の実施の形態の干渉除去部１５ｄの構成図。
【図１８】第６の実施の形態の干渉除去部１５ｅの構成図。
【図１９】第７の実施の形態の干渉除去部１５ｆの構成図。
【図２０】第８の実施の形態の干渉除去部１５ｇの構成図。
【図２１】第９の実施の形態の受信装置１ｈの構成図。
【図２２】第１０の実施の形態の受信装置１ｉの構成図。
【図２３】第１１の実施の形態の受信装置１ｊの構成図。
【図２４】図２３の干渉除去部２１の構成図。
【図２５】図２３の干渉除去部２３の構成図。
【図２６】第１２の実施の形態の干渉除去部１５ｋの構成図。
【発明を実施するための形態】
【００４０】
≪第１の実施の形態≫
以下、本発明の第１の実施の形態について図面を参照しつつ説明する。但し、本実施の形態及び後述する実施の形態では、ＯＦＤＭ伝送方式に基づいて生成され、無線伝送されたＯＦＤＭ伝送信号を受信する受信装置を例に説明する。なお、ＯＦＤＭ伝送信号は、マルチキャリア伝送方式の一方式であり、地上デジタル放送（ＤＶＢ−Ｔ／Ｈ、ＩＳＤＢ−Ｔなど）や無線ＬＡＮ（ＩＥＥＥ８０２．１１ａ／ｇなど）、Ｗｉ−ＭＡＸ（ＩＥＥＥ８０２．１６）、次世代移動通信など幅広い製品分野で用いられ、或いは、用いられる予定である。
【００４１】
＜ＯＦＤＭ伝送信号の概要＞
本実施の形態の受信装置１の構成及び動作を説明する前に、ＯＦＤＭ伝送方式で利用されるＯＦＤＭ伝送信号の概要について図１を参照しつつ説明する。図１は１シンボル分のＯＦＤＭ伝送信号を模式的に表したものであり、図１において横軸は時間を示す。
【００４２】
１シンボルの時間幅をＴｓとし、この時間幅Ｔｓを「シンボル期間」と称する。シンボル期間Ｔｓは、「有効シンボル期間」と称する時間幅Ｔｕの期間と、「ガードインターバル期間」と称する時間幅Ｔｇの期間とからなる。
【００４３】
ＯＦＤＭ伝送信号は、シンボル毎に、複数のキャリアにデジタル変調を施して多重した信号である。複数のキャリアの周波数は有効シンボル期間Ｔｕで互いに直交する周波数関係にある。この周波数関係は、任意の２つのキャリアの周波数間隔が有効シンボル期間Ｔｕの逆数（１／Ｔｕ）の整数倍になる、関係である。従って、ＯＦＤＭ伝送信号は有効シンボル期間Ｔｕで周期性を有する信号となり、ガードインターバル期間Ｔｇで伝送されるＯＦＤＭ伝送信号は有効シンボル期間Ｔｕの後部の時間幅Ｔｇ分で伝送されるＯＦＤＭ伝送信号をコピーしたものとなる。ガードインターバル期間Ｔｇで伝送されるＯＦＤＭ伝送信号は、サイクリックプレフィックスと呼ばれている。
【００４４】
マルチパス伝搬やＳＦＮなどのために複数の到来波が時間差を持って受信装置に到来した場合でも、その時間差がガードインターバル期間Ｔｇ以内であれば、ガードインターバルの作用によってシンボル間干渉の発生を防ぐことが可能である。これとともに、サイクリックプレフィックスの作用によって同一シンボル内の複数のキャリア間の直交性を保持し、キャリア間干渉の発生を防ぐことが可能である。しかしながら、複数の到来波が到来した時間差がガードインターバル期間Ｔｇより大きくなった場合は、シンボル間干渉及びキャリア間干渉が発生する。
【００４５】
なお、以下において、適宜、受信レベルが最大の到来波を「主波」と称し、主波より先行して到来する到来波を「先行波」と称し、主波より遅れて到来する到来波を「遅延波」と称する。
【００４６】
＜遅延波によるシンボル間干渉及びキャリア間干渉の概要＞
以下、遅延波によるシンボル間干渉及びキャリア間干渉の概要について、１つの遅延波が主波に対してガードインターバル期間Ｔｇより大きい時間遅れて受信装置に到来する場合を例に挙げて、図２（ａ）から図２（ｇ）を参照しつつ説明する。図２（ａ）から図２（ｇ）は遅延波によるシンボル間干渉及びキャリア間干渉の概要を説明するための図であり、図２（ａ）から図２（ｇ）の各図において横軸は時間を示す。
【００４７】
図２（ａ）は連続して送信された複数シンボル分のＯＦＤＭ伝送信号ｓ（ｔ）を模式的に表したものであり、送信局は複数シンボル連続してＯＦＤＭ伝送信号を送信しているものとする。ここでは、ｎ番目のシンボルに着目して説明する。なお、図２（ａ）では、着目したｎ番目のシンボルのＯＦＤＭ伝送信号ｓｎ（ｔ）を隣接する（ｎ−１）番目のシンボルのＯＦＤＭ伝送信号ｓ（ｎ−１）（ｔ）及び（ｎ＋１）番目のシンボルのＯＦＤＭ伝送信号ｓ（ｎ＋１）（ｔ）と区別するために、（ｎ−１）番目のシンボルのＯＦＤＭ伝送信号ｓ（ｎ−１）（ｔ）に左斜線（右肩下がりの斜線）の模様を、（ｎ＋１）番目のシンボルのＯＦＤＭ伝送信号ｓ（ｎ＋１）（ｔ）に右斜線（右肩上がりの斜線）の模様を施して表している。
【００４８】
図２（ｂ）は、伝送路応答を示す伝送路応答信号ｈ（ｔ）を模式的に表したものであり、受信装置に到来する複数の到来波の相対的な時間差と受信レベルとで表している。図２（ｂ）で表した伝送路応答信号ｈ（ｔ）は遅延プロファイルと呼ばれることもある。図２（ｂ）に一例を示す伝送路応答信号ｈ（ｔ）は、受信装置に２つの到来波が到来し、最初に到来した受信レベルが最大の到来波（主波）の到来時刻ｔを０にし（ｔ＝０）、２番目に到来した到来波（遅延波）が主波よりｔｄ時間遅れて到来する様子を表している。なお、２つの到来波が到来した時間差ｔｄがガードインターバル期間Ｔｇより大きい場合を対象としている。
【００４９】
図２（ｃ）は、受信装置が受信するＯＦＤＭ伝送信号ｒ（ｔ）を模式的に表したものである。但し、最初に到来した到来波（主波）を上段に、主波よりｔｄ時間遅れて到来した到来波（遅延波）を下段に重ねて表しているが、実際はそれらが加法的に重畳された状態で受信される。なお、図２（ｅ）、図２（ｇ）についても同様にそれらを重ねて表示している。また、図２（ｃ）では、ＯＦＤＭ伝送信号ｓ（ｎ−１）（ｔ）に由来する信号成分に左斜線の模様を、ＯＦＤＭ伝送信号ｓ（ｎ＋１）（ｔ）に由来する信号成分に右斜線の模様を施して表している。また、図２（ｅ）及び図２（ｆ）についても同様に模様を施して表している。
【００５０】
ＯＦＤＭ伝送信号を受信する受信装置は、シンボル毎に、受信したＯＦＤＭ伝送信号ｒ（ｔ）から有効シンボル期間の時間幅Ｔｕ分のＯＦＤＭ伝送信号を切り出して復調する。ｎ番目のシンボルでは、受信装置は、図２（ｃ）に示すＯＦＤＭ伝送信号ｒ（ｔ）から図２（ｄ）に示す有効シンボル期間の時間幅Ｔｕ分の図２（ｅ）に示すＯＦＤＭ伝送信号ｒｎ（ｔ）を切り出す。
【００５１】
図２（ｆ）は、図２（ｅ）に示すＯＦＤＭ伝送信号ｒｎ（ｔ）に含まれる（ｎ−１）番目のシンボルのＯＦＤＭ伝送信号ｓ（ｎ−１）（ｔ）に由来する信号成分を表している。この（ｎ−１）番目のシンボルのＯＦＤＭ伝送信号ｓ（ｎ−１）（ｔ）に由来する信号成分がｎ番目のシンボルのＯＦＤＭ伝送信号ｒｎ（ｔ）における遅延波によるシンボル間干渉に係る干渉成分である。ｎ番目のシンボルのＯＦＤＭ伝送信号ｒｎ（ｔ）における遅延波によるシンボル間干渉に係る干渉成分は、（ｎ−１）番目のシンボルのＯＦＤＭ伝送信号ｓ（ｎ−１）（ｔ）に関する遅延波の最後から時間をさかのぼった（ｔｄ−Ｔｇ）期間の信号成分である。
【００５２】
図２（ｇ）は、図２（ｅ）に示すＯＦＤＭ伝送信号ｒｎ（ｔ）に含まれるｎ番目のシンボルのＯＦＤＭ伝送信号ｓｎ（ｔ）に由来する信号成分を表す。図２（ｇ）から、ＯＦＤＭ伝送信号ｒｎ（ｔ）に含まれるｎ番目のシンボルのＯＦＤＭ伝送信号ｓｎ（ｔ）に由来する遅延波の信号成分の時間幅は有効シンボル期間の時間幅Ｔｕに満たないことが分かる。この遅延波の信号成分の時間幅が有効シンボル期間の時間幅Ｔｕに満たないことから、ＯＦＤＭ伝送信号ｒｎ（ｔ）を形成する複数のキャリア間の直交性を保持できず、複数のキャリアの各々を復調する際にキャリア間干渉が生じてしまう。このｎ番目のシンボルのＯＦＤＭ伝送信号ｓｎ（ｔ）に由来する遅延波の信号成分の不足している信号成分がｎ番目のシンボルのＯＦＤＭ伝送信号ｒｎ（ｔ）における遅延波によるキャリア間干渉に係る干渉成分である。ｎ番目のシンボルのＯＦＤＭ伝送信号ｒｎ（ｔ）における遅延波によるキャリア間干渉に係る干渉成分は、ｎ番目のシンボルのＯＦＤＭ伝送信号ｓｎ（ｔ）に関する遅延波の最後よりｔｄ時間前の時間位置から（ｔｄ−Ｔｇ）期間の信号成分である。
【００５３】
＜受信装置１の構成及び動作＞
以下、本実施の形態の受信装置１の構成及び動作について図３及び図４（ａ）から図４（ｇ）を参照しつつ説明する。図３は本実施の形態の受信装置１の構成図であり、図４（ａ）から図４（ｇ）は図３の受信装置１の処理内容を説明するための図である。
【００５４】
受信装置１は、アンテナ１１と、チューナ１２と、ＯＦＤＭ復調部１３と、等化部１４と、干渉除去部１５と、等化部１６と、復号部１７とを備える。
アンテナ１１は、図示しない送信局から発せられたＯＦＤＭ伝送信号を受信し、受信したＯＦＤＭ伝送信号をチューナ１２へ供給する。チューナ１２は、アンテナ１１から供給されたＯＦＤＭ伝送信号から所望のチャネルのＯＦＤＭ伝送信号ｒ（ｔ）を選択し、選択したＯＦＤＭ伝送信号ｒ（ｔ）をＯＦＤＭ復調部１３へ出力する。
【００５５】
図４（ａ）は送信局から発せられたＯＦＤＭ伝送信号ｓ（ｔ）を模式的に表したものである。図４（ｂ）は伝送路応答信号ｈ（ｔ）を模式的に表したものである。図４（ｃ）は受信装置１が受信し、選択したＯＦＤＭ伝送信号ｒ（ｔ）を模式的に表したものである。
【００５６】
但し、図４（ａ）中のＸ（ｎ−１）、Ｘｎ及びＸ（ｎ＋１）は、夫々、（ｎ−１）番目のシンボル、ｎ番目のシンボル及び（ｎ＋１）番目のシンボルにおいて、送信側で複数のキャリアに変調を施した変調ベクトルを表す。なお、（ｎ−１）番目のシンボルのＯＦＤＭ伝送信号ｓ（ｎ−１）（ｔ）に左斜線の模様を、（ｎ＋１）番目のシンボルのＯＦＤＭ伝送信号ｓ（ｎ＋１）（ｔ）に右斜線の模様を施して表している。また、図４（ｃ）では、ＯＦＤＭ伝送信号ｓ（ｎ−１）（ｔ）に由来する信号成分に左斜線の模様を、ＯＦＤＭ伝送信号ｓ（ｎ＋１）（ｔ）に由来する信号成分に右斜線の模様を施して表している。
【００５７】
ＯＦＤＭ復調部１３は、図示しないシンボル同期部が生成したシンボル同期信号に従って、シンボル毎に、チューナ１２から供給された図４（ｃ）に示すＯＦＤＭ伝送信号ｒ（ｔ）から図４（ｄ）に示した有効シンボル期間の時間幅Ｔｕ分のＯＦＤＭ伝送信号を切り出し、切り出したＯＦＤＭ伝送信号に離散フーリエ変換を施す。そして、ＯＦＤＭ復調部１３は離散フーリエ変換の結果得られた周波数領域の復調ベクトルＹを等化部１４及び干渉除去部１５へ供給する。なお、離散フーリエ変換は高速フーリエ変換を使って高速に計算可能である。図４（ｅ）は、ＯＦＤＭ復調部１３が出力する周波数領域の復調ベクトルＹを時間領域の信号に変換して模式的に表したものである。但し、図４（ｅ）中の記号Ｙ（ｎ−１）、Ｙｎ及びＹ（ｎ＋１）は、夫々、（ｎ−１）番目のシンボル、ｎ番目のシンボル及び（ｎ＋１）番目のシンボルにおいて、ＯＦＤＭ復調部１３が出力する復調ベクトルＹを表す。なお、（ｎ−１）番目のシンボルのＯＦＤＭ伝送信号ｓ（ｎ−１）（ｔ）に由来する信号成分に左斜線の模様を、（ｎ＋１）番目のシンボルのＯＦＤＭ伝送信号ｓ（ｎ＋１）（ｔ）に由来する信号成分に右斜線の模様を施して表している。
【００５８】
上述したアンテナ１１からＯＦＤＭ復調部１３までの構成は一般的なＯＦＤＭ伝送信号を受信する受信装置に利用されている構成と同じであり、これ以上の詳細説明は行わない。
【００５９】
なお、ＯＦＤＭ復調部１３より後の各部の処理は周波数領域で行われるが、説明を簡単にするために、適宜、時間領域で表した信号を用いて説明を行う。
等化部１４は、ＯＦＤＭ復調部１３から供給された復調ベクトルＹから伝送路応答ベクトルＨ’を推定し、推定した伝送路応答ベクトルＨ’に基づいて復調ベクトルＹを等化して等化ベクトルＸ’を算出し、伝送路応答ベクトルＨ’と等化ベクトルＸ’とを干渉除去部１５へ供給する。図４（ｆ）は、等化部１４が出力する周波数領域の伝送路応答ベクトルＨ’を時間領域の信号に変換して模式的に表したものであり、図４（ｇ）は、等化部１４が出力する周波数領域の等化ベクトルＸ’を時間領域の信号に変換して模式的に表したものである。但し、図４（ｆ）中のＨ’（ｎ−１）、Ｈ’ｎ及びＨ’（ｎ＋１）は、夫々、（ｎ−１）番目のシンボル、ｎ番目のシンボル及び（ｎ＋１）番目のシンボルにおいて、等化部１４が出力する伝送路応答ベクトルＨ’を表す。また、図４（ｇ）中のＸ’（ｎ−１）、Ｘ’ｎ及びＸ’（ｎ＋１）は、夫々、（ｎ−１）番目のシンボル、ｎ番目のシンボル及び（ｎ＋１）番目のシンボルにおいて、等化部１４が出力する等化ベクトルＸ’を表す。なお、（ｎ−１）番目の等化ベクトルＸ’（ｎ−１）に左斜線の模様を、（ｎ＋１）番目のシンボルの等化ベクトルＸ’（ｎ＋１）に右斜線の模様を施して表している。
【００６０】
等化部１４から出力される等化ベクトルＸ’は、伝送路等化の処理によって、送信側で変調を行った変調ベクトルＸを再生したものである。しかしながら、ガードインターバル期間Ｔｇを超える遅延波が存在する環境下では、等化部１４から出力される等化ベクトルＸ’は、変調ベクトルＸに対して遅延波によるシンボル間干渉及びキャリア間干渉に係る干渉成分を含む。
【００６１】
干渉除去部１５は、等化部１４から供給された伝送路応答ベクトルＨ’と等化ベクトルＸ’とを用いて、ＯＦＤＭ復調部１３から供給された復調ベクトルＹに含まれる遅延波によるシンボル間干渉に係る干渉成分を表す干渉ベクトル及び復調ベクトルＹに不足する遅延波によるキャリア間干渉に係る干渉成分を表す干渉ベクトルを算出する。そして、干渉除去部１５は、復調ベクトルＹに対して、遅延波によるシンボル間干渉に係る干渉成分を表す干渉ベクトルを差し引く処理及び遅延波によるキャリア間干渉に係る干渉成分を表す干渉ベクトルを足し込む処理を行い、これらの処理の結果得られた復調ベクトルＹ’を等化部１６へ供給する。
【００６２】
等化部１６は、干渉除去部１５から供給された復調ベクトルＹ’から伝送路応答ベクトルＨ”を推定し、推定した伝送路応答ベクトルＨ”に基づいて復調ベクトルＹ’を等化して等化ベクトルＸ”を算出し、等化ベクトルＸ”を復号部１７へ供給する。復号部１７は、等化部１６から供給された等化ベクトルＸ”にデマッピング処理を施して変調ベクトルＸを判定し、判定結果に誤り訂正などの復号処理を施すことによって伝送された情報を判定して出力する。
【００６３】
［等化部１４の構成及び動作］
以下、図３の等化部１４の構成及び動作について図５を参照しつつ説明する。図５は、図３の等化部１４の構成図である。但し、図５に示す等化部１４の構成は地上デジタル放送方式において伝送路等化に一般に用いられている既知の構成である。なお、図３の等化部１６は図５に示した構成と実質的に同じ構成を利用することができる。
【００６４】
等化部１４は、ＳＰ抽出部３１と、ＳＰ生成部３２と、除算部３３と、シンボル補間フィルタ３４と、キャリア補間フィルタ３５と、除算部３６とを備える。
ＯＦＤＭ復調部１３から出力された復調ベクトルＹは、等化部１４内のＳＰ抽出部３１及び除算部３６に供給される。なお、等化部１４の説明における各ベクトルに付記する（Ｎ１，Ｎ２）のＮ１はシンボル番号を、Ｎ２はキャリア番号を表す。
【００６５】
ＳＰ抽出部３１は、ＯＦＤＭ復調部１３から供給された復調ベクトルＹ（ｎ，ｋ）から分散パイロットに対応する復調ベクトルＹ（ｎ，ｋｓｐ（ｎ））を抽出し、抽出した復調ベクトルＹ（ｎ，ｋｓｐ（ｎ））を除算部３３へ供給する。なお、ｋｓｐ（ｎ）は、シンボル番号ｎにおける分散パイロットに対応するキャリアのキャリア番号を表す。ＳＰ生成部３２は、送信側で生成された変調ベクトルＸ（ｎ，ｋｓｐ（ｎ））と同じ振幅及び同じ位相の参照ベクトルＳＰ（ｎ，ｋｓｐ（ｎ））を生成し、生成した参照ベクトルＳＰ（ｎ，ｋｓｐ（ｎ））を除算部３３へ供給する。除算部３３は、ＳＰ抽出部３１から供給された復調ベクトルＹ（ｎ，ｋｓｐ（ｎ））をＳＰ生成部３２から供給された参照ベクトルＳＰ（ｎ，ｋｓｐ（ｎ））で除算し、除算結果を伝送路応答ベクトルＨ’（ｎ，ｋｓｐ（ｎ））としてシンボル補間フィルタ３４へ供給する。
【００６６】
シンボル補間フィルタ３４は、除算部３３から供給された伝送路応答ベクトルＨ’（ｎ，ｋｓｐ（ｎ））を用いてシンボル−キャリア平面上でシンボル方向に補間処理を行い、キャリア補間フィルタ３５は、シンボル補間フィルタ３４によるシンボル方向の補間処理の結果を用いてシンボル−キャリア平面上でキャリア方向に補間処理を行う。キャリア補間フィルタ３５は、キャリア方向の補間処理の結果得られた伝送路応答ベクトルＨ’（ｎ，ｋ）を除算部３６及び干渉除去部１５へ供給する。なお、キャリア補間フィルタ３５から出力される伝送路応答ベクトルＨ’は、シンボル毎でキャリア毎の伝送路応答ベクトルである。
【００６７】
除算部３６は、ＯＦＤＭ復調部１３から供給された復調ベクトルＹ（ｎ、ｋ）をキャリア補間フィルタ３５から供給された伝送路応答ベクトルＨ’（ｎ，ｋ）で除算し、除算結果を等化ベクトルＸ’（ｎ，ｋ）として干渉除去部１５へ供給する。なお、除算部３６から出力される等化ベクトルＸ’は、シンボル毎でキャリア毎の等化ベクトルである。
【００６８】
［干渉除去部１５の構成及び動作］
図３の干渉除去部１５の構成及び動作について図６及び図７（ａ）から図７（ｓ）を参照しつつ説明する。図６は図３の干渉除去部１５の構成図であり、図７（ａ）から図７（ｓ）は図６の干渉除去部１５の処理内容を説明するための図である。
【００６９】
干渉除去部１５は、遅延部５１と、アップサンプル部５２と、位相回転部５３と、アップサンプル部５４と、アップサンプル部５５と、乗算部５６と、抽出部５７と、ダウンサンプル部５８と、位相回転部５９と、乗算部６０と、抽出部６１と、ダウンサンプル部６２と、位相回転部６３と、減算部６４と、減算部６５とを備える。
【００７０】
ＯＦＤＭ復調部１３から出力された復調ベクトルＹは干渉除去部１５内の減算部６５に供給される。等化部１４から出力された等化ベクトルＸ’は干渉除去部１５内の遅延部５１及び位相回転部５３に供給され、等化部１４から出力された伝送路応答ベクトルＨ’は干渉除去部１５内のアップサンプル部５５に供給される。図７（ａ）は、ｎ番目のシンボルにおいて、ＯＦＤＭ復調部１３が出力する周波数領域の復調ベクトルＹｎを時間領域の信号に変換して模式的に表したものであり、（ｎ−１）番目のシンボルのＯＦＤＭ伝送信号ｓ（ｎ−１）（ｔ）に由来する信号成分に左斜線の模様を施して表している。図７（ｂ）は、ｎ番目のシンボルにおいて、等化部１４が出力する周波数領域の等化ベクトルＸ’ｎを時間領域の信号に変換して模式的に表したものである。図７（ｃ）は、ｎ番目のシンボルにおいて、等化部１４が出力する周波数領域の伝送路応答ベクトルＨ’ｎを時間領域の信号に変換して模式的に表したものである。
【００７１】
復調ベクトルＹｎ、等化ベクトルＸ’ｎ及び伝送路応答ベクトルＨ’ｎは、夫々、ＯＦＤＭ伝送で用いられた複数のキャリアの離散周波数毎に得られている。ＯＦＤＭ伝送で用いられる複数のキャリアの周波数は、有効シンボル期間の時間幅をＴｕとした場合、（１／Ｔｕ）間隔の離散周波数である。このため、周波数領域の復調ベクトルＹｎ、等化ベクトルＸ’ｎ及び伝送路応答ベクトルＨ’ｎを時間領域の信号で表すと、図７（ａ）、図７（ｂ）及び図７（ｃ）に示すように、有効シンボル期間の時間幅Ｔｕを周期とする繰り返し信号で表される。
【００７２】
以下、干渉除去部１５の構成及び動作の説明を、遅延波によるシンボル間干渉に係る干渉成分（以下、「遅延波シンボル間干渉成分」と言う。）の計算と、遅延波によるキャリア間干渉に係る干渉成分（以下、「遅延波キャリア間干渉成分」と言う。）の計算と、復調ベクトルから遅延波シンボル間干渉成分及び遅延波キャリア間干渉成分を除去する干渉除去処理の３つに分けて説明する。但し、遅延波又は後述する先行波によるシンボル間干渉に係る干渉成分を除去する処理は復調ベクトルからそれを差し引く処理であり、遅延波又は先行波によるキャリア間干渉に係る干渉成分を除去する処理は復調ベクトルにそれを足し込む処理である。なお、ｎ番目のシンボルに対応する復調ベクトルＹｎ、等化ベクトルＸ’ｎ及び伝送路応答ベクトルＨ’ｎが干渉除去部１５に供給されるときの干渉除去部１５内の各部の処理内容を例に挙げて説明する。
【００７３】
（遅延波シンボル間干渉成分の計算）
遅延部５１は、等化部１４から供給された等化ベクトルＸ’を１シンボルの処理期間に相当する時間分、つまり１シンボル分遅延させて出力する。これによって、ｎ番目のシンボルに対応する復調ベクトルＹｎ、等化ベクトルＸ’ｎ及び伝送路応答ベクトルＨ’ｎが干渉除去部１５に供給されて干渉除去部１５が処理を行うとき、遅延部５１からアップサンプル部５２に（ｎ−１）番目のシンボルに対応する等化ベクトルＸ’（ｎ−１）が供給される。図７（ｄ）は、遅延部５１が出力する周波数領域の等化ベクトルＸ’（ｎ−１）を時間領域の信号に変換して模式的に表したものである。なお、図７（ｄ）、図７（ｅ）、図７（ｇ）、図７（ｉ）、図７（ｊ）及び図７（ｋ）では、等化ベクトルＸ’（ｎ−１）に関する信号成分であることを示すために左斜線の模様を施して表している。
【００７４】
アップサンプル部５２は、遅延部５１から供給された等化ベクトルＸ’（ｎ−１）を２倍にアップサンプリングし、アップサンプリングの結果得られた等化ベクトルＸ’２（ｎ−１）を乗算部５６へ供給する。図７（ｅ）は、アップサンプル部５２が出力する周波数領域の等化ベクトルＸ’２（ｎ−１）を時間領域の信号に変換して模式的に表したものである。等化ベクトルＸ’２（ｎ−１）は離散周波数の間隔が１／Ｔｕの等化ベクトルＸ’（ｎ−１）を２倍にアップサンプリングして作成したものであることから、等化ベクトルＸ’２（ｎ−１）の離散周波数の間隔は１／（２×Ｔｕ）となる。図７（ｅ）に示すように、周波数領域の等化ベクトルＸ’２（ｎ−１）を時間領域の信号で表すと、有効シンボル期間の時間幅Ｔｕの２倍を周期とする繰り返し信号で表される。
【００７５】
但し、２倍のアップサンプリングは、例えば、等化ベクトルＸ’（ｎ−１）に対してキャリアとキャリアとの間に０を挿入した後にＦＩＲ（Finite Impulse Response）フィルタで生成したハーフバンドフィルタを通過させることによって実現できる。また、他の構成要素で行われる２倍のアップサンプリングも同様にして実現することができる。なお、アップサンプリングは既知の技術であるので、これ以上の詳細説明は行わない。
【００７６】
アンプサンプル部５５は、等化部１４から供給されたｎ番目のシンボルに対応する伝送路応答ベクトルＨ’ｎを２倍にアップサンプリングし、アップサンプリングの結果得られた伝送路応答ベクトルＨ’２ｎを乗算部５６へ供給する。図７（ｆ）は、アップサンプル部５５が出力する周波数領域の伝送路応答ベクトルＨ’２ｎを時間領域の信号に変換して模式的に表したものである。伝送路応答ベクトルＨ’２ｎは離散周波数の間隔が１／Ｔｕの伝送路応答ベクトルＨ’ｎを２倍にアップサンプリングして作成したものであることから、伝送路応答ベクトルＨ’２ｎの離散周波数の間隔は１／（２×Ｔｕ）となる。図７（ｆ）に示すように、周波数領域の伝送路応答ベクトルＨ’２ｎを時間領域の信号で表すと、有効シンボル期間の時間幅Ｔｕの２倍を周期とする繰り返し信号で表される。
【００７７】
乗算部５６は、アップサンプル部５２から供給された等化ベクトルＸ’２（ｎ−１）とアップサンプル部５５から供給された伝送路応答ベクトルＨ’２ｎとをキャリア毎に乗算し、乗算の結果得られた復調ベクトルＹ１’２（ｎ−１）を抽出部５７へ供給する。図７（ｇ）は、乗算部５６が出力する周波数領域の復調ベクトルＹ１’２（ｎ−１）を時間領域の信号に変換して模式的に表したものであり、上段は主波に関する信号成分であり、下段は遅延波に関する信号成分である。図７（ｇ）に示す時間領域の信号は、時間領域で図７（ｅ）に示す信号と図７（ｆ）に示す信号とを畳みこんだものである。
【００７８】
図７（ｇ）から分かる通り、等化ベクトルＸ’（ｎ−１）と伝送路応答ベクトルＨ’ｎとを２倍にアップサンプリングしてから乗算することによって、主波に対する遅延波の遅延時間ｔｄが有効シンボル期間の時間幅Ｔｕ以内の場合には、２×Ｔｕ離れた左右の繰り返し成分が互いに干渉することがない。この結果、復調ベクトルＹｎに含まれる遅延波シンボル間干渉成分を復調ベクトルＹ１’２（ｎ−１）を利用することによって独立して観測可能になる。
【００７９】
抽出部５７は、例えばＦＩＲフィルタで構成され、下記に説明する通過帯域の通過特性を有している。抽出部５７は、乗算部５６から供給された復調ベクトルＹ１’２（ｎ−１）にフィルタ処理を施すことによって、復調ベクトルＹ１’２（ｎ−１）から、復調ベクトルＹｎに関係する遅延波シンボル間干渉成分を抽出し、抽出した遅延波シンボル間干渉成分を表す干渉ベクトルＥ１’２ｎを生成し、生成した干渉ベクトルＥ１’２ｎをダウンサンプル部５８へ供給する。抽出部５７によって抽出される遅延波シンボル間干渉成分は、復調ベクトルＹ１’２（ｎ−１）に含まれる信号成分のうちの、（ｎ−１）番目のシンボルにおける主波に対してｔｄ時間遅延した遅延波の最後から時間をさかのぼった（ｔｄ−Ｔｇ）期間の信号成分であり、復調ベクトルＹ’ｎに含まれる遅延波シンボル間干渉成分に関係する信号成分である。図７（ｈ）は、抽出部５７のフィルタの通過帯域を時間領域で表した模式図である。図７（ｉ）は、抽出部５７が出力する周波数領域の干渉ベクトルＥ１’２ｎを時間領域の信号に変換して模式的に表したものである。
【００８０】
以下に、抽出部５７のフィルタの通過帯域について図８（ａ）を参照しつつ説明する。図８（ａ）は図６の抽出部５７のフィルタの通過帯域を説明するための図であり、抽出部５７のフィルタの通過帯域を時間領域で表した模式図である。但し、図８（ａ）では、有効シンボル期間をＴｕ、ガードインターバル期間をＴｇとし、アップサンプリングのアップレートを２としている。
【００８１】
抽出部５７が（Ｔｕ／Ｔｇ）／２を超える信号成分を抽出できれば干渉成分の除去が可能である。このことから、時間領域でみた場合のフィルタの通過帯域の左端は、（Ｔｕ／Ｔｇ）／２を超える信号成分を抽出できるように設定する。但し、通過帯域の右端は、折り返し成分が入ると劣化を起こすので、折り返し成分がフィルタの通過帯域に入らないように設定することが好ましい。
【００８２】
なお、抽出部５７は周波数領域で信号処理を行うものであるので、上述した内容を踏まえて、抽出部５７のフィルタの周波数領域でのフィルタ係数を決定すればよい。
ダウンサンプル部５８は、抽出部５７から供給された干渉ベクトルＥ１’２ｎを１／２倍にダウンサンプリングし、ダウンサンプリングの結果得られた干渉ベクトルＥ１’ｎを位相回転部５９へ供給する。図７（ｊ）は、ダウンサンプル部５８が出力する周波数領域の干渉ベクトルＥ１’ｎを時間領域の信号に変換して模式的に表したものである。図７（ｊ）に示すように、周波数領域の干渉ベクトルＥ１’ｎを時間領域の信号で表すと、有効シンボル期間の時間幅Ｔｕを周期とする繰り返し信号で表される。
【００８３】
位相回転部５９は、ダウンサンプル部５８から供給された干渉ベクトルＥ１’ｎを時間領域で−Ｔｇ時間シフトするようにキャリア毎に位相回転させ、位相回転の結果得られた干渉ベクトルＥ１’ｒｏｔｎを減算部６４へ供給する。図７（ｋ）は、位相回転部５９が出力する周波数領域の干渉ベクトルＥ１’ｒｏｔｎを時間領域の信号に変換して模式的に表したものである。図７（ａ）と図７（ｋ）とから、干渉ベクトルＥ１’ｒｏｔｎに含まれる遅延波シンボル間干渉成分の時間位置が復調ベクトルＹｎに含まれる遅延波シンボル間干渉成分の時間位置に一致していることが分かる。
【００８４】
なお、干渉ベクトルＥ１’ｎを時間領域で−Ｔｇ時間シフトするようにキャリア毎に位相回転させる処理は、信号の繰り返し周期がＴｕの場合、つまり、離散周波数間隔が１／Ｔｕの場合、周波数領域におけるキャリア番号をｆ（ｆは０以上ＮＦＦＴ未満の整数であり、ＮＦＦＴはＯＦＤＭ復調部１３における離散フーリエ変換のサンプル数）とすると、周波数領域で干渉ベクトルＥ１’ｎをキャリア毎に２π×（−Ｔｇ／Ｔｕ）×ｆ分位相回転させる処理である。なお、他のベクトルを時間領域で−Ｔｇ時間シフトするようにキャリア毎に位相回転させる場合についても同様のことが言える。
【００８５】
（遅延波キャリア間干渉成分の計算）
位相回転部５３は、等化部１４から供給されたｎ番目のシンボルに対応する等化ベクトルＸ’ｎを時間領域でＴｇ時間シフトするようにキャリア毎に位相回転させ、位相回転の結果得られた等化ベクトルＸ’ｒｏｔｎをアップサンプル部５４へ供給する。図７（ｌ）は、位相回転部５３が出力する周波数領域の等化ベクトルＸ’ｒｏｔｎを時間領域の信号に変換して模式的に表したものである。
【００８６】
なお、等化ベクトルＸ’ｎを時間領域でＴｇ時間シフトするようにキャリア毎に位相回転させる処理は、信号の繰り返し周期がＴｕの場合、つまり、離散周波数間隔が１／Ｔｕの場合、周波数領域におけるキャリア番号をｆ（ｆは０以上ＮＦＦＴ未満の整数であり、ＮＦＦＴはＯＦＤＭ復調部１３における離散フーリエ変換のサンプル数）とすると、周波数領域で等化ベクトルＸ’ｎをキャリア毎に２π×（Ｔｇ／Ｔｕ）×ｆ分位相回転させる処理である。なお、他のベクトルを時間領域でＴｇ時間シフトするようにキャリア毎に位相回転させる場合についても同様のことが言える。
【００８７】
アップサンプル部５４は、位相回転部５３から供給された等化ベクトルＸ’ｒｏｔｎを２倍にアップサンプリングし、アップサンプリングの結果得られた等化ベクトルＸ’ｒｏｔ２ｎを乗算部６０へ供給する。図７（ｍ）は、アップサンプル部５４が出力する周波数領域の等化ベクトルＸ’ｒｏｔ２ｎを時間領域の信号に変換して模式的に表したものである。等化ベクトルＸ’ｒｏｔ２ｎは離散周波数の間隔が１／Ｔｕの等化ベクトルＸ’ｒｏｔｎを２倍にアップサンプリングして作成したものであることから、等化ベクトルＸ’ｒｏｔ２ｎの離散周波数の間隔は１／（２×Ｔｕ）となる。図７（ｍ）に示すように、周波数領域の等化ベクトルＸ’ｒｏｔ２ｎを時間領域の信号で表すと、有効シンボル期間の時間幅Ｔｕの２倍を周期とする繰り返し信号で表される。
【００８８】
アンプサンプル部５５は、等化部１４から供給されたｎ番目のシンボルに対応する伝送路応答ベクトルＨ’ｎを２倍にアップサンプリングし、アップサンプリングの結果得られた伝送路応答ベクトルＨ’２ｎを乗算部６０へ出力する（図２（ｆ）参照）。なお、この処理は、遅延波シンボル間干渉成分の計算と共用され、それと別個に行われるものではない。
【００８９】
乗算部６０は、アップサンプル部５４から供給された等化ベクトルＸ’ｒｏｔ２ｎとアップサンプル部５５から供給された伝送路応答ベクトルＨ’２ｎとをキャリア毎に乗算し、乗算の結果得られた復調ベクトルＹ２’２ｎを抽出部６１へ供給する。図７（ｎ）は、乗算部６０が出力する周波数領域の復調ベクトルＹ２’２ｎを時間領域の信号に変換して模式的に表したものであり、上段は主波に関する信号成分であり、下段は遅延波に関する信号成分である。図７（ｎ）に示す時間領域の信号は、時間領域で図７（ｍ）に示す信号と図７（ｆ）に示す信号とを畳みこんだものである。
【００９０】
図７（ｎ）から分かる通り、等化ベクトルＸ’ｒｏｔｎと伝送路応答ベクトルＨ’ｎとを２倍にアップサンプリングしてから乗算することによって、主波に対する遅延波の遅延時間ｔｄが有効シンボル期間の時間幅Ｔｕ以内の場合には、２×Ｔｕ離れた左右の繰り返し成分が互いに干渉することがない。この結果、復調ベクトルＹｎに不足する遅延波キャリア間干渉成分を復調ベクトルＹ２’２ｎ利用することによって独立して観測可能になる。
【００９１】
抽出部６１は、例えばＦＩＲフィルタで構成され、抽出部５７と同じ通過帯域の通過特性を有している。抽出部６１は、乗算部６０から供給された復調ベクトルＹ２’２ｎにフィルタ処理を施すことによって、復調ベクトルＹ２’２ｎから、復調ベクトルＹｎに関係する遅延波キャリア間干渉成分を抽出し、抽出した遅延波キャリア間干渉成分を表す干渉ベクトルＥ２’２ｎを生成し、生成した干渉ベクトルＥ２’２ｎをダウンサンプル部６２へ供給する。抽出部６１によって抽出される遅延波キャリア間干渉成分は、復調ベクトルＹ２’２ｎに含まれる信号成分のうちの、ｎ番目のシンボルにおける主波に対してｔｄ時間遅延した遅延波の最後よりｔｄ時間前の時間位置から（ｔｄ−Ｔｇ）期間の信号成分であり、復調ベクトルＹ’ｎに不足する遅延波キャリア間干渉成分に関係する信号成分である。この信号成分の抽出はガードインターバル期間を考慮した位相回転を等化ベクトルＸ’に施すことによって可能になる。図７（ｏ）は、抽出部６１のフィルタの通過帯域を時間領域で表した模式図である。図７（ｐ）は、抽出部６１が出力する周波数領域の干渉ベクトルＥ２’２ｎを時間領域の信号に変換して模式的に表したものである。
【００９２】
ダウンサンプル部６２は、抽出部６１から供給された干渉ベクトルＥ２’２ｎを１／２倍にダウンサンプリングし、ダウンサンプリングの結果得られた干渉ベクトルＥ２’ｎを位相回転部６３へ供給する。図７（ｑ）は、ダウンサンプル部６２が出力する周波数領域の干渉ベクトルＥ２’ｎを時間領域の信号に変換して模式的に表したものである。図７（ｑ）に示すように、周波数領域の干渉ベクトルＥ２’ｎを時間領域の信号で表すと、有効シンボル期間の時間幅Ｔｕを周期とする繰り返し信号で表される。
【００９３】
位相回転部６３は、ダウンサンプル部６２から供給された干渉ベクトルＥ２’ｎを時間領域で−Ｔｇ時間シフトするようにキャリア毎に位相回転させ、位相回転の結果得られた干渉ベクトルＥ２’ｒｏｔｎを減算部６４へ供給する。図７（ｒ）は、位相回転部６３が出力する周波数領域の干渉ベクトルＥ２’ｒｏｔｎを時間領域の信号に変換して模式的に表したものである。図７（ａ）と図７（ｒ）とから、干渉ベクトルＥ２’ｒｏｔｎに含まれる遅延波キャリア間干渉成分の時間位置が復調ベクトルＹｎに含まれる遅延波キャリア間干渉成分の時間位置に一致していることが分かる。
【００９４】
（干渉除去処理）
減算部６４は、位相回転部５９から供給された干渉ベクトルＥ１’ｒｏｔｎから位相回転部６３から供給された干渉ベクトルＥ２’ｒｏｔｎを減算し、減算の結果得られた干渉ベクトルＥ１’ｒｏｔｎ−Ｅ２’ｒｏｔｎを減算部６５へ供給する。減算部６５は、ＯＦＤＭ復調部１３から供給されたｎ番目のシンボルに対応する復調ベクトルＹｎから減算部６４から供給された干渉ベクトルＥ１’ｒｏｔｎ−Ｅ２’ｒｏｔｎを減算し、減算の結果得られた復調ベクトルＹ’ｎ（＝Ｙｎ−Ｅ１’ｒｏｔｎ＋Ｅ２’ｒｏｔｎ）を等化部１６へ供給する。図７（ｓ）は、減算部７７が出力する周波数領域の復調ベクトルＹ’ｎを時間領域の信号に変換して模式的に表したものである。
【００９５】
上記の受信装置１によれば、ガードインターバル期間を超える遅延波が存在する環境下でも、復調ベクトルＹから遅延波によるシンボル間干渉及びキャリア間干渉に係る各干渉成分を除去できるので、それらによる受信品質の劣化を効果的に抑えることができる。また、受信装置の到来波の数は３以上であっても、復調ベクトルＹから遅延波によるシンボル間干渉及びキャリア間干渉に係る各干渉成分を除去可能である。
【００９６】
また、上記の受信装置１によれば、復調ベクトルＹに対する遅延波によるシンボル間干渉及びキャリア間干渉に係る各干渉成分の除去処理を周波数領域で行っているので、それを時間領域で行う場合と比較して回路規模及び演算量を大幅に削減できる。
【００９７】
更に、上記の受信装置１によれば、復調ベクトルＹから遅延波によるシンボル間干渉及びキャリア間干渉による誤差を除去した後、再度伝送路等化を行う構成になっている。このため、復調ベクトルＹに対する干渉除去処理を復調ベクトルＹと同時刻の伝送路応答ベクトルを用いることができ、伝送路の時間変動による影響を受けず、送信局間の周波数偏差などによる変動に対する耐性が強い。
【００９８】
なお、上記の受信装置１は、ＯＦＤＭ伝送信号ｒ（ｔ）に対するフーリエ変換窓の切り出し位置が適切に設定されない場合にもシンボル間干渉及びキャリア間干渉が発生するが、このようなシンボル間干渉及びキャリア間干渉の夫々に係る干渉成分の除去も可能である。なお、フーリエ変換窓の切り出し位置がシンボル間で変化する場合は、その変化値に基づいてキャリア毎に位相回転を施すことにより補正が可能である。
【００９９】
≪第２の実施の形態≫
以下、本発明の第２の実施の形態について図面を参照しつつ説明する。但し、本実施の形態の受信装置は、第１の実施の形態の干渉除去部１５の内部構成を変更した干渉除去部１５ａを有し、それ以外の構成要素は受信装置１と実質的に同じであることから、干渉除去部１５ａについてのみ説明する。なお、本実施の形態において、第１の実施の形態の構成要素と実質的に同じ構成要素には同じ符号を付し、その説明が適用できるためその説明を省略する。
【０１００】
［干渉除去部１５ａの構成及び動作］
本実施の形態の干渉除去部１５ａの構成及び動作について図９及び図１０（ａ）から図１０（ｎ）を参照しつつ説明する。図９は本実施の形態の干渉除去部１５ａの構成図であり、図１０（ａ）から図１０（ｎ）は図９の干渉除去部１５ａの処理内容を説明するための図である。
【０１０１】
干渉除去部１５ａは、遅延部５１と、位相回転部５３と、減算部７１と、アップサンプル部７２と、アップサンプル部５５と、乗算部７３と、抽出部７４と、ダウンサンプル部７５と、位相回転部７６と、減算部７７とを備える。但し、干渉除去部１５は遅延波シンボル間干渉成分及び遅延波キャリア間干渉成分を別個に処理している。これに対して、干渉除去部１５ａは遅延波シンボル間干渉成分及び遅延波キャリア間干渉成分を一体として処理し、回路規模及び演算量の削減を図っている。
【０１０２】
ＯＦＤＭ復調部１３から出力された復調ベクトルＹは干渉除去部１５ａ内の減算部７７に供給される。等化部１４から出力された等化ベクトルＸ’は干渉除去部１５ａ内の遅延部５１及び位相回転部５３に供給され、等化部１４から出力された伝送路応答ベクトルＨ’は干渉除去部１５ａ内のアップサンプル部５５に供給される。図１０（ａ）は、ｎ番目のシンボルにおいて、ＯＦＤＭ復調部１３が出力する周波数領域の復調ベクトルＹｎを時間領域の信号に変換して模式的に表したものであり、（ｎ−１）番目のシンボルのＯＦＤＭ伝送信号ｓ（ｎ−１）（ｔ）に由来する信号成分に左斜線の模様を施して表している。図１０（ｂ）は、ｎ番目のシンボルにおいて、等化部１４が出力する周波数領域の等化ベクトルＸ’ｎを時間領域の信号に変換して模式的に表したものである。図１０（ｃ）は、ｎ番目のシンボルにおいて、等化部１４が出力する周波数領域の伝送路応答ベクトルＨ’ｎを時間領域の信号に変換して模式的に表したものである。なお、周波数領域の復調ベクトルＹｎ、等化ベクトルＸ’ｎ及び伝送路応答ベクトルＨ’ｎを時間領域の信号で表すと、図１０（ａ）、図１０（ｂ）及び図１０（ｃ）に示すように、有効シンボル期間の時間幅Ｔｕを周期とする繰り返し信号で表される。
【０１０３】
なお、以下では、ｎ番目のシンボルに対応する復調ベクトルＹｎ、等化ベクトルＸ’ｎ及び伝送路応答ベクトルＨ’ｎが干渉除去部１５ａに供給されるときの干渉除去部１５ａ内の各部の処理内容を例に挙げて説明する。
【０１０４】
遅延部５１は、等化部１４から供給された等化ベクトルＸ’を１シンボルの処理期間に相当する時間分遅延させて出力する。これによって、ｎ番目のシンボルに対応する復調ベクトルＹｎ、等化ベクトルＸ’ｎ及び伝送路応答ベクトルＨ’ｎが干渉除去部１５ａに供給されて干渉除去部１５ａが処理を行うとき、遅延部５１から減算部７１に（ｎ−１）番目のシンボルに対応する等化ベクトルＸ’（ｎ−１）が供給される。図１０（ｄ）は、遅延部５１が出力する周波数領域の等化ベクトルＸ’（ｎ−１）を時間領域の信号に変換して模式的に表したものである。なお、図１０（ｄ）、図１０（ｆ）、図１０（ｇ）、図１０（ｉ）、図１０（ｋ）、図１０（ｌ）及び図１０（ｍ）では、等化ベクトルＸ’（ｎ−１）に関する信号成分に左斜線の模様を施して表している。
【０１０５】
位相回転部５３は、等化部１４から供給されたｎ番目のシンボルに対応する等化ベクトルＸ’ｎを時間領域でＴｇ時間シフトするようにキャリア毎に位相回転させ、位相回転の結果得られた等化ベクトルＸ’ｒｏｔｎを減算部７１へ供給する。図１０（ｅ）は、位相回転部５３が出力する周波数領域の等化ベクトルＸ’ｒｏｔｎを時間領域の信号に変換して模式的に表したものである。
【０１０６】
減算部７１は、遅延部５１から供給された等化ベクトルＸ’（ｎ−１）から位相回転部５３から供給された等化ベクトルＸ’ｒｏｔｎを減算し、減算の結果得られた差分等化ベクトルＸＡ’（ｎ−１），ｎ（＝Ｘ’（ｎ−１）−Ｘ’ｒｏｔｎ）をアップサンプル部７２へ供給する。図１０（ｆ）は、減算部７１が出力する周波数領域の差分等化ベクトルＸＡ’（ｎ−１），ｎを時間領域の信号に変換して模式的に表したものである。図１０（ｆ）では、等化ベクトルＸ’（ｎ−１）に対応した信号成分（左斜線の模様を施して表した部分）と等化ベクトルＸ’ｒｏｔｎに対応した信号成分（模様を施さずに表した部分）とを重ねて模式的に表しているが、実際は差分等化ベクトルＸＡ’（ｎ−１），ｎによって表わされる信号成分は上段の信号成分から下段の信号成分を減算した信号成分である。
【０１０７】
アップサンプル部７２は、減算部７１から供給された差分等化ベクトルＸＡ’（ｎ−１），ｎを２倍にアップサンプリングし、アップサンプリングの結果得られた差分等化ベクトルＸＡ’２（ｎ−１），ｎを乗算部７３へ供給する。図１０（ｇ）は、アップサンプル部７２が出力する周波数領域の差分等化ベクトルＸＡ’２（ｎ−１），ｎを時間領域の信号に変換して模式的に表したものである。
【０１０８】
アップサンプル部５５は、等化部１４から供給されたｎ番目のシンボルに対応する伝送路応答ベクトルＨ’ｎを２倍にアップサンプリングし、アップサンプリングの結果得られた伝送路応答ベクトルＨ’２ｎを乗算部７３へ供給する。図１０（ｈ）は、アップサンプル部５５が出力する周波数領域の伝送路応答ベクトルＨ’２ｎを時間領域の信号に変換して模式的に表したものである。
【０１０９】
乗算部７３は、アップサンプル部７２から供給された差分等化ベクトルＸＡ’２（ｎ−１），ｎとアップサンプル部５５から供給された伝送路応答ベクトルＨ’２ｎとを乗算し、乗算の結果得られた差分復調ベクトルＹＡ’２（ｎ−１），ｎを抽出部７４へ供給する。図１０（ｉ）は、乗算部７３が出力する周波数領域の差分復調ベクトルＹＡ’２（ｎ−１），ｎを時間領域の信号に変換して模式的に表したものであり、上段は主波に関する信号成分であり、下段は遅延波に関する信号成分である。
【０１１０】
抽出部７４は、例えばＦＩＲフィルタで構成され、抽出部５７と同じ通過帯域の通過特性を有している。抽出部７４は、乗算部７３から供給された差分復調ベクトルＹＡ’２（ｎ−１），ｎにフィルタ処理を施すことによって、差分復調ベクトルＹＡ’２（ｎ−１），ｎから、復調ベクトルＹｎに関係する遅延波シンボル間干渉成分及びそれに関係する遅延波キャリア間干渉成分を抽出し、抽出した遅延波シンボル間干渉成分および遅延波キャリア間干渉成分を表す干渉ベクトルＥＡ’２ｎを生成し、生成した干渉ベクトルＥＡ’２ｎをダウンサンプル部７５へ供給する。図１０（ｊ）は、抽出部７４のフィルタの通過帯域を時間領域で表した模式図である。図１０（ｋ）は、抽出部７４が出力する周波数領域の干渉ベクトルＥＡ’２ｎを時間領域の信号に変換して模式的に表したものである。
【０１１１】
ダウンサンプル部７５は、抽出部７４から供給された干渉ベクトルＥＡ’２ｎを１／２倍にダウンサンプリングし、ダウンサンプリングの結果得られた干渉ベクトルＥＡ’ｎを位相回転部７６へ供給する。図１０（ｌ）は、ダウンサンプル部７５が出力する干渉ベクトルＥＡ’ｎを時間領域の信号に変換して模式的に表したものである。
【０１１２】
位相回転部７６は、ダウンサンプル部７５から供給された干渉ベクトルＥＡ’ｎを時間領域で−Ｔｇ時間シフトするようにキャリア毎に位相回転させ、位相回転の結果得られた干渉ベクトルＥＡ’ｒｏｔｎを減算部７７へ供給する。図１０（ｍ）は、位相回転部７６が出力する周波数領域の干渉ベクトルＥＡ’ｒｏｔｎを時間領域の信号に変換して模式的に表したものである。図１０（ａ）と図１０（ｍ）とから、干渉ベクトルＥＡ’ｒｏｔｎに含まれる遅延波シンボル間干渉成分及び遅延波キャリア間干渉成分の時間位置が復調ベクトルＹｎに含まれる遅延波シンボル間干渉成分及び遅延波キャリア間干渉成分の時間位置に一致していることが分かる。
【０１１３】
減算部７７は、ＯＦＤＭ復調部１３から供給されたｎ番目のシンボルに対応する復調ベクトルＹｎから位相回転部７６から供給された干渉ベクトルＥＡ’ｒｏｔｎを減算し、減算の結果得られた復調ベクトルＹ’ｎ（＝Ｙｎ−ＥＡ’ｒｏｔｎ）を等化部１６へ供給する。図１０（ｎ）は、減算部７７が出力する周波数領域の復調ベクトルＹ’ｎを時間領域の信号に変換して模式的に表したものである。
【０１１４】
なお、遅延部５１、減算部７１、アップサンプル部７２、アップサンプル部５５、乗算部７３、抽出部７４、ダウンサンプル部７５、位相回転部７６、及び減算部７７が、遅延波によるシンボル間干渉の除去を行う機能を実現する。また、位相回転部５３、減算部７１、アップサンプル部７２、アップサンプル部５５、乗算部７３、抽出部７４、ダウンサンプル部７５、位相回転部７６、及び減算部７７が、遅延波によるキャリア間干渉の除去を行う機能を実現する。
【０１１５】
≪第３の実施の形態≫
以下、本発明の第３の実施の形態について図面を参照しつつ説明する。上記の各実施の形態の受信装置は、遅延波によるシンボル間干渉及びキャリア間干渉のみを除去対象としている。これに対して、本実施の形態の受信装置１ｂは、遅延波によるシンボル間干渉及びキャリア間干渉に加えて、先行波によるシンボル間干渉及びキャリア間干渉も除去対象とする。なお、本実施の形態において、上記の各実施の形態の構成要素と実質的に同じ構成要素には同じ符号を付し、その説明が適用できるためその説明を省略する。
【０１１６】
＜先行波によるシンボル間干渉及びキャリア間干渉の概要＞
以下、本実施の形態の受信装置１ｂの構成及び動作を説明する前に、先行波によるシンボル間干渉及びキャリア間干渉の概要について、１つの先行波が主波に対してガードインターバル期間Ｔｇより大きい時間先行して受信装置に到来する場合を例に挙げて、図１１（ａ）から図１１（ｇ）を参照しつつ説明する。図１１（ａ）から図１１（ｇ）は先行波によるシンボル間干渉及びキャリア間干渉の概要を説明するための図であり、図１１（ａ）から図１１（ｇ）の各図において横軸は時間を示す。
【０１１７】
図１１（ａ）は連続して送信された複数シンボル分のＯＦＤＭ伝送信号ｓ（ｔ）を模式的に表したものであり、送信局は複数シンボル連続してＯＦＤＭ伝送信号を送信しているものとする。ここでは、ｎ番目のシンボルに着目して説明する。なお、図１１（ａ）では、着目したｎ番目のシンボルのＯＦＤＭ伝送信号ｓｎ（ｔ）を隣接する（ｎ−１）番目のシンボルのＯＦＤＭ伝送信号ｓ（ｎ−１）（ｔ）及び（ｎ＋１）番目のシンボルのＯＦＤＭ伝送信号ｓ（ｎ＋１）（ｔ）と区別するために、（ｎ−１）番目のシンボルのＯＦＤＭ伝送信号ｓ（ｎ−１）（ｔ）に左斜線の模様を、（ｎ＋１）番目のシンボルのＯＦＤＭ伝送信号ｓ（ｎ＋１）（ｔ）に右斜線の模様を施して表している。
【０１１８】
図１１（ｂ）は、伝送路応答を表す伝送路応答信号ｈ（ｔ）を模式的に表したものである。図１１（ｂ）に一例を示す伝送路応答信号ｈ（ｔ）は、受信装置に２つの到来波が到来し、２番目に到来した受信レベルが最大の到来波（主波）の到来時刻ｔを０にし（ｔ＝０）、最初の到来波（先行波）が主波よりｔｄ時間先行して到来する様子を表している。なお、２つの到来波が到来した時間差ｔｄがガードインターバル期間Ｔｇより大きい場合を対象としている。
【０１１９】
図１１（ｃ）は、受信装置が受信するＯＦＤＭ伝送信号ｒ（ｔ）を模式的に表したものである。但し、２番目に到来した到来波（主波）を上段に、主波よりｔｄ時間先行して到来した到来波（先行波）を下段に重ねて表しているが、実際はそれらが加法的に重畳された状態で受信される。なお、図１１（ｅ）、図１１（ｇ）についても同様にそれらを重ねて表示している。また、図１１（ｃ）では、ＯＦＤＭ伝送信号ｓ（ｎ−１）（ｔ）に由来する信号成分に左斜線の模様を、ＯＦＤＭ伝送信号ｓ（ｎ＋１）（ｔ）に由来する信号成分に右斜線の模様を施して表している。また、図１１（ｅ）及び図１１（ｆ）についても同様に模様を施して表している。
【０１２０】
ＯＦＤＭ伝送信号を受信する受信装置は、シンボル毎に、受信したＯＦＤＭ伝送信号ｒ（ｔ）から有効シンボル期間の時間幅Ｔｕ分のＯＦＤＭ伝送信号を切り出して復調する。ｎ番目のシンボルでは、受信装置は、図１１（ｃ）に示すＯＦＤＭ伝送信号ｒ（ｔ）から図１１（ｄ）に示す有効シンボル期間の時間幅Ｔｕ分の図１１（ｅ）に示すＯＦＤＭ伝送信号ｒｎ（ｔ）を切り出す。
【０１２１】
図１１（ｆ）は、図１１（ｅ）に示すＯＦＤＭ伝送信号ｒｎ（ｔ）に含まれる（ｎ＋１）番目のシンボルのＯＦＤＭ伝送信号ｓ（ｎ＋１）（ｔ）に由来する信号成分を表している。この（ｎ＋１）番目のシンボルのＯＦＤＭ伝送信号ｓ（ｎ＋１）（ｔ）に由来する信号成分がｎ番目のシンボルのＯＦＤＭ伝送信号ｒｎ（ｔ）における先行波によるシンボル間干渉に係る干渉成分である。ｎ番目のシンボルのＯＦＤＭ伝送信号ｒｎ（ｔ）における先行波によるシンボル間干渉に係る干渉成分は、（ｎ＋１）番目のシンボルのＯＦＤＭ伝送信号ｓ（ｎ＋１）（ｔ）に関する先行波のガードインターバルの先頭から（ｔｄ−Ｔｇ）期間の信号成分である。なお、この信号成分は、（ｎ＋１）番目のシンボルのＯＦＤＭ伝送信号ｓ（ｎ＋１）（ｔ）に関する先行波の最後よりＴｇ時間前の時間位置から（ｔｄ−Ｔｇ）期間の信号成分と等価であり、本実施の形態では、先行波によるシンボル間干渉に係る干渉成分の除去を後者の信号成分を用いて行うものである。
【０１２２】
図１１（ｇ）は、図１１（ｅ）に示すＯＦＤＭ伝送信号ｒｎ（ｔ）に含まれるｎ番目のシンボルのＯＦＤＭ伝送信号ｓｎ（ｔ）に由来する信号成分を表す。図１１（ｇ）から、ＯＦＤＭ伝送信号ｒｎ（ｔ）に含まれるｎ番目のシンボルのＯＦＤＭ伝送信号ｓｎ（ｔ）に由来する先行波の信号成分の時間幅は有効シンボル期間の時間幅Ｔｕに満たないことが分かる。この先行波の信号成分の時間幅が有効シンボル期間の時間幅Ｔｕに満たないことから、ＯＦＤＭ伝送信号ｒｎ（ｔ）を形成する複数のキャリア間の直交性を保持できず、複数のキャリアの各々を復調する際にキャリア間干渉が生じてしまう。このｎ番目のシンボルのＯＦＤＭ伝送信号ｓｎ（ｔ）に由来する先行波の信号成分の不足している信号成分がｎ番目のシンボルのＯＦＤＭ伝送信号ｒｎ（ｔ）における先行波によるキャリア間干渉に係る干渉成分である。ｎ番目のシンボルのＯＦＤＭ伝送信号ｒｎ（ｔ）における先行波によるキャリア間干渉に係る干渉成分は、ｎ番目のシンボルのＯＦＤＭ伝送信号ｓｎ（ｔ）に関する先行波の有効シンボル期間の先頭から（ｔｄ−Ｔｇ）期間の信号成分である。
【０１２３】
＜受信装置１ｂの構成及び動作＞
以下、本実施の形態の受信装置１ｂの構成及び動作について図１２及び図１３（ａ）から図１３（ｇ）を参照しつつ説明する。図１２は本実施の形態の１ｂの構成図であり、図１３（ａ）から図１３（ｇ）は図１２の受信装置１ｂの処理内容を説明するための図である。
【０１２４】
受信装置１ｂは、アンテナ１１と、チューナ１２と、ＯＦＤＭ復調部１３と、等化部１４と、干渉除去部１５ｂと、等化部１６と、復調部１７とを備える。但し、干渉除去部１５ｂを除く各部の処理内容は第１の実施の形態で説明した処理内容と実質的に同じであり、干渉除去部１５ｂの詳細説明は図１４及び図１５（ａ）から図１５（ｏ）を用いて後述する。なお、ここでは、アンテナ１１から等化部１４までの処理内容の記載を行う。
【０１２５】
アンテナ１１は、図示しない送信局から発せられたＯＦＤＭ伝送信号を受信し、受信したＯＦＤＭ伝送信号をチューナ１２へ供給する。チューナ１２は、アンテナ１１から供給されたＯＦＤＭ伝送信号から所望のチャネルのＯＦＤＭ伝送信号ｒ（ｔ）を選択し、選択したＯＦＤＭ伝送信号ｒ（ｔ）をＯＦＤＭ復調部１３へ出力する。
【０１２６】
図１３（ａ）は送信局から発せられたＯＦＤＭ伝送信号ｓ（ｔ）を模式的に表したものであり、図１３（ａ）中のＸ（ｎ−１）、Ｘｎ及びＸ（ｎ＋１）は、夫々、（ｎ−１）番目のシンボル、ｎ番目のシンボル及び（ｎ＋１）番目のシンボルにおいて、送信側で複数のキャリアに変調を施した変調ベクトルを表す。なお、（ｎ−１）番目のシンボルのＯＦＤＭ伝送信号ｓ（ｎ−１）（ｔ）に左斜線の模様を、（ｎ＋１）番目のシンボルのＯＦＤＭ伝送信号ｓ（ｎ＋１）（ｔ）に右斜線の模様を施して表している。
【０１２７】
図１３（ｂ）は伝送路応答信号ｈ（ｔ）を模式的に表したものである。但し、図１３（ｂ）に一例を示す伝送路応答信号ｈ（ｔ）は、受信装置１ｂに３つの到来波が到来し、２番目に到来した受信レベルが最大の到来波（主波）の到来時刻ｔを０にし（ｔ＝０）、最初の到来波（先行波）が主波よりｔｐ時間先行して到来し、３番目の到来波（遅延波）が主波よりｔｄ時間遅れて到来している様子を表している。なお、先行波と遅延波とが到来した時間差ｔｐ＋ｔｄがガードインターバル期間Ｔｇより大きい場合を対象としている。
【０１２８】
図１３（ｃ）は受信装置１ｂが受信し、選択したＯＦＤＭ伝送信号ｒ（ｔ）を模式的に表したものである。但し、図１３（ｃ）では、最初に到来した到来波（先行波）を上段に、２番目に到来した到来波（主波）を中段に、３番目に到来した到来波（遅延波）を下段に重ねて表しているが、実際はそれらが加法的に重畳された状態で受信される。なお、図１３（ｅ）についても同様にそれらを重ねて表示している。また、図１３（ｃ）では、ＯＦＤＭ伝送信号ｓ（ｎ−１）（ｔ）に由来する信号成分に左斜線の模様を、ＯＦＤＭ伝送信号ｓ（ｎ＋１）（ｔ）に由来する信号成分に右斜線の模様を施して表している。
【０１２９】
ＯＦＤＭ復調部１３は、シンボル毎に、チューナ１２から供給された図１３（ｃ）に示すＯＦＤＭ伝送信号ｒ（ｔ）から図１３（ｄ）に示した有効シンボル期間の時間幅Ｔｕ分のＯＦＤＭ伝送信号を切り出し、切り出したＯＦＤＭ伝送信号に離散フーリエ変換を施す。そして、ＯＦＤＭ復調部１３は離散フーリエ変換の結果得られた復調ベクトルＹを等化部１４及び干渉除去部１５ｂへ供給する。図１３（ｅ）は、ＯＦＤＭ復調部１３が出力する周波数領域の復調ベクトルＹを時間領域の信号に変換して模式的に表したものである。但し、図１３（ｅ）中の記号Ｙ（ｎ−１）、Ｙｎ及びＹ（ｎ＋１）は、夫々、（ｎ−１）番目のシンボル、ｎ番目のシンボル及び（ｎ＋１）番目のシンボルにおいて、ＯＦＤＭ復調部１３が出力する復調ベクトルＹを表す。なお、（ｎ−１）番目のシンボルのＯＦＤＭ伝送信号ｓ（ｎ−１）（ｔ）に由来する信号成分に左斜線の模様を、（ｎ＋１）番目のシンボルのＯＦＤＭ伝送信号ｓ（ｎ＋１）（ｔ）に由来する信号成分に右斜線の模様を施して表している。
【０１３０】
等化部１４は、ＯＦＤＭ復調部１３から供給された復調ベクトルＹから伝送路応答ベクトルＨ’を推定し、推定した伝送路応答ベクトルＨ’に基づいて復調ベクトルＹを等化して等化ベクトルＸ’を算出し、伝送路応答ベクトルＨ’と等化ベクトルＸ’とを干渉除去部１５ｂへ供給する。図１３（ｆ）は、等化部１４が出力する周波数領域の伝送路応答ベクトルＨ’を時間領域の信号に変換して模式的に表したものであり、図１３（ｇ）は、等化部１４が出力する周波数領域の等化ベクトルＸ’を時間領域の信号に変換して模式的に表したものである。但し、図１３（ｆ）中のＨ’（ｎ−１）、Ｈ’ｎ及びＨ’（ｎ＋１）は、夫々、（ｎ−１）番目のシンボル、ｎ番目のシンボル及び（ｎ＋１）番目のシンボルにおいて、等化部１４が出力する伝送路応答ベクトルＨ’を表す。また、図１３（ｇ）中のＸ’（ｎ−１）、Ｘ’ｎ及びＸ’（ｎ＋１）は、夫々、（ｎ−１）番目のシンボル、ｎ番目のシンボル及び（ｎ＋１）番目のシンボルにおいて、等化部１４が出力する等化ベクトルＸ’を表す。なお、（ｎ−１）番目の等化ベクトルＸ’（ｎ−１）に左斜線の模様を、（ｎ＋１）番目のシンボルの等化ベクトルＸ’（ｎ＋１）に右斜線の模様を施して表している。
【０１３１】
等化部１４から出力される等化ベクトルＸ’は、伝送路等化の処理によって、送信側で変調を行った変調ベクトルＸを再生したものである。しかしながら、先行波と遅延波との到来時間差がガードインターバル期間Ｔｇを超える環境下では、等化部１４から出力される等化ベクトルＸ’は、変調ベクトルＸに対して先行波及び遅延波によるシンボル間干渉及びキャリア間干渉に係る干渉成分を含む。
【０１３２】
［干渉除去部１５ｂの構成及び動作］
図１２の干渉除去部１５ｂの構成及び動作について図１４及び図１５（ａ）から図１５（ｏ）を参照しつつ説明する。図１４は図１２の干渉除去部１５ｂの構成図であり、図１５（ａ）から図１５（ｏ）は図１４の干渉除去部１５ｂの処理内容を説明するための図である。
【０１３３】
干渉除去部１５ｂは、干渉除去部１５ａに対して、遅延部８１、アップサンプル部８２、乗算部８３、抽出部８４、ダウンサンプル部８５、遅延部８６及び加算部８７を付加した構成を有する。
【０１３４】
ＯＦＤＭ復調部１３から出力された復調ベクトルＹは干渉除去部１５ｂ内の減算部７７に供給される。等化部１４から出力された等化ベクトルＸ’は干渉除去部１５ｂ内の遅延部５１及び位相回転部５３に供給され、等化部１４から出力された伝送路応答ベクトルＨ’は干渉除去部１５ｂ内のアップサンプル部５５及び遅延部８１に供給される。図１５（ａ）は、ｎ番目のシンボルにおいて、ＯＦＤＭ復調部１３が出力する周波数領域の復調ベクトルＹｎを時間領域の信号に変換して模式的に表したものであり、（ｎ−１）番目のシンボルのＯＦＤＭ伝送信号ｓ（ｎ−１）（ｔ）に由来する信号成分に左斜線の模様を施して表し、（ｎ＋１）番目のシンボルのＯＦＤＭ伝送信号ｓ（ｎ＋１）（ｔ）に由来する信号成分に右斜線を施して表している。図１５（ｂ）は、ｎ番目のシンボルにおいて、等化部１４が出力する周波数領域の等化ベクトルＸｎ’を時間領域の信号に変換して模式的に表したものである。図１５（ｃ）は、ｎ番目のシンボルにおいて、等化部１４が出力する周波数領域の伝送路応答ベクトルＨｎ’を時間領域の信号に変換して模式的に表したものである。
【０１３５】
以下、干渉除去部１５ｂの構成及び動作の説明を、遅延波によるシンボル間干渉及びキャリア間干渉の除去と、先行波によるシンボル間干渉及びキャリア間干渉の除去の２つに分けて説明する。なお、ｎ番目のシンボルに対応する復調ベクトルＹｎ、等化ベクトルＸ’ｎ及び伝送路応答ベクトルＨ’ｎが干渉除去部１５ｂに供給されるときの干渉除去部１５ｂ内の各部の処理内容を例に挙げて説明する。
【０１３６】
（遅延波によるシンボル間干渉及びキャリア間干渉の除去）
遅延部５１、位相回転部５３、減算部７１、アップサンプル部７２、アップサンプル部５５、乗算部７３、抽出部７４、ダウンサンプル部７５、位相回転部７６、及び減算部７７は、夫々、上述した処理内容の処理を行い、減算部７７は復調ベクトルＹＢ’ｎ（＝Ｙｎ−ＥＡ’ｒｏｔｎ）を遅延部８６へ供給する。なお、減算部７７が出力する復調ベクトルＹＢ’ｎは、第２の実施の形態において減算部７７が出力する復調ベクトルＹ’ｎと同じであるが、説明の便宜上、両者の記号を変えている。図１５（ｄ）は、減算部７７が出力する周波数領域の復調ベクトルＹＢ’ｎを時間領域の信号に変換して模式的に表したものであり、（ｎ＋１）番目のシンボルのＯＦＤＭ伝送信号ｓ（ｎ＋１）（ｔ）に由来する信号成分に右斜線を施して表している。但し、先行波及び遅延波の双方を対象とする場合には、抽出部７４の通過帯域は、第１の実施の形態で説明した抽出部５７のフィルタの通過帯域の設定の仕方に加えて、先行波側の抽出部８４のフィルタの通過帯域と重複しないように設定することが好ましい。
【０１３７】
（先行波によるシンボル間干渉及びキャリア間干渉の除去）
遅延部５１、位相回転部５３、減算部７１、及びアップサンプル部７２は、夫々、上述した処理内容の処理を行い、アップサンプル部７２は、差分等化ベクトルＸＡ’２（ｎ−１），ｎを乗算部８３へ供給する。なお、これらの処理は、遅延波によるシンボル間干渉及びキャリア間干渉の除去と共用され、それと別個に行われるものではない。
【０１３８】
図１５（ｅ）は、遅延部５１が出力する周波数領域の等化ベクトルＸ’（ｎ−１）を時間領域の信号に変換して模式的に表したものである。図１５（ｆ）は、位相回転部５３が出力する周波数領域の等化ベクトルＸ’ｒｏｔｎを時間領域の信号に変換して模式的に表したものである。図１５（ｇ）は、減算部７１が出力する周波数領域の差分等化ベクトルＸＡ’（ｎ−１），ｎを時間領域の信号に変換して模式的に表したものである。図１５（ｈ）は、アップサンプル部７２が出力する周波数領域の差分等化ベクトルＸＡ’２（ｎ−１），ｎを時間領域の信号に変換して模式的に表したものである。なお、図１５（ｅ）、図１５（ｇ）、図１５（ｈ）、図１５（ｊ）、図１５（ｌ）及び図１５（ｍ）では、等化ベクトルＸ’（ｎ−１）に関する信号成分に左斜線の模様を施して表している。
【０１３９】
遅延部８１は、等化部１４から供給された伝送路応答ベクトルＨ’を１シンボルの処理期間に相当する時間分遅延させて出力する。これによって、ｎ番目のシンボルに対応する復調ベクトルＹｎ、等化ベクトルＸ’ｎ及び伝送路応答ベクトルＨ’ｎが干渉除去部１５ｂに供給されて干渉除去部１５ｂが処理を行うとき、遅延部８１からアップサンプル８２に（ｎ−１）番目のシンボル対応する伝送路応答ベクトルＨ’（ｎ−１）が供給される。
【０１４０】
アンプサンプル部８２は、遅延部８１から供給された伝送路応答ベクトルＨ’（ｎ−１）を２倍にアップサンプリングし、アップサンプリングの結果得られた伝送路応答ベクトルＨ’２（ｎ−１）を乗算部８３へ供給する。図１５（ｉ）は、アップサンプル部８２が出力する周波数領域の伝送路応答ベクトルＨ’２（ｎ−１）を時間領域の信号に変換して模式的に表したものである。伝送路応答ベクトルＨ’２（ｎ−１）は離散周波数の間隔が１／Ｔｕの伝送路応答ベクトルＨ’（ｎ−１）を２倍にアップサンプリングして作成したものであることから、伝送路応答ベクトルＨ’２（ｎ−１）の離散周波数の間隔は１／（２×Ｔｕ）となる。図１５（ｉ）に示すように、周波数領域の伝送路応答ベクトルＨ’２（ｎ−１）を時間領域の信号で表すと、有効シンボル期間の時間幅Ｔｕの２倍を周期とする繰り返し信号で表される。
【０１４１】
乗算部８３は、アップサンプル部７２から供給された差分等化ベクトルＸＡ’２（ｎ−１），ｎとアップサンプル部８２から供給された伝送路応答ベクトルＨ’２（ｎ−１）とをキャリア毎に乗算し、乗算の結果得られた差分復調ベクトルＹＢ２’２（ｎ−１），ｎを抽出部８４へ供給する。図１５（ｊ）は、乗算部８３が出力する周波数領域の差分復調ベクトルＹＢ２’２（ｎ−１），ｎを時間領域の信号に変換して模式的に表したものであり、上段は先行波に関する信号成分であり、中段は主波に関する信号成分であり、下段は遅延波に関する信号成分である。図１５（ｊ）に示す時間領域の信号は、時間領域で図１５（ｈ）に示す信号と図１５（ｉ）に示す信号とを畳み込んだものである。
【０１４２】
抽出部８４は、例えばＦＩＲフィルタで構成され、下記に説明する通過帯域の通過特性を有している。抽出部８４は、乗算部８３から供給された差分復調ベクトルＹＢ２’２（ｎ−１），ｎにフィルタ処理を施すことによって、差分復調ベクトルＹＢ２’２（ｎ−１），ｎから、復調ベクトルＹ（ｎ−１）に関係する先行波によるシンボル間干渉に係る干渉成分（以下、「先行波シンボル間干渉成分」と言う。）及びそれに関係する先行波によるキャリア間干渉に係る干渉成分（以下、「先行波キャリア間干渉成分」と言う。）を抽出し、抽出した先行波シンボル間干渉成分および先行波キャリア間干渉成分を表す干渉ベクトルＥＢ’２（ｎ−１）を生成し、生成した干渉ベクトルＥＢ’２（ｎ−１）をダウンサンプル部８５へ供給する。図１５（ｋ）は、抽出部８４のフィルタの通過帯域を時間領域で表した模式図であり、図１５（ｌ）は、抽出部８５が出力する周波数領域の干渉ベクトルＥＢ’２（ｎ−１）を時間領域の信号に変換して模式的に表したものである。
【０１４３】
以下に、抽出部８４のフィルタの通過帯域について図８（ｂ）を参照しつつ説明する。図８（ｂ）は図１４の抽出部８４のフィルタの通過帯域を説明するための図であり、抽出部８４のフィルタの通過帯域を時間領域で表した模式図である。但し、図８（ｂ）では、有効シンボル期間をＴｕ、ガードインターバル期間をＴｇとし、アップサンプリングのアップレートを２としている。
【０１４４】
抽出部８４が−（Ｔｕ／Ｔｇ）／２を超える信号成分を抽出できれば干渉成分の除去が可能である。このことから、時間領域でみた場合のフィルタの通過帯域の右端は、−（Ｔｕ／Ｔｇ）／２を超える信号成分を抽出できるように設定する。但し、通過帯域の左端は、折り返し成分が入ると劣化を起こすので、折り返し成分がフィルタの通過帯域に入らないように設定することが好ましい。また、先行波及び遅延波の双方を対象とする場合には、抽出部８４の通過帯域は、遅延波側の抽出部７４のフィルタの通過帯域と重複しないように設定することが好ましい。
【０１４５】
なお、抽出部８４は周波数領域で信号処理を行うものであるので、上述した内容を踏まえて、抽出部８４のフィルタの周波数領域でのフィルタ係数を決定すればよい。
ダウンサンプル部８５は、抽出部８４から供給された干渉ベクトルＥＢ’２（ｎ−１）を１／２倍にダウンサンプリングし、ダウンサンプリングの結果得られた干渉ベクトルＥＢ’（ｎ−１）を加算部８７へ供給する。図１５（ｍ）は、ダウンサンプル部８６が出力する周波数領域の干渉ベクトルＥＢ’（ｎ−１）を時間領域の信号に変換して模式的に表したものである。図１５（ｍ）に示すように、周波数領域の干渉ベクトルＥＢ’（ｎ−１）を時間領域の信号で表すと、有効シンボル期間の時間幅Ｔｕを周期とする繰り返し信号で表される。
【０１４６】
遅延部８６は、減算部７７から供給された復調ベクトルＹＢ’を１シンボルの処理期間に相当する時間分遅延させて出力する。これによって、ｎ番目のシンボルに対応する復調ベクトルＹｎ、等化ベクトルＸ’ｎ及び伝送路応答ベクトルＨ’ｎが干渉除去部１５ｂに供給されて干渉除去部１５ｂが処理を行うとき、（ｎ−１）番目のシンボルに対応する復調ベクトルＹ（ｎ−１）、等化ベクトルＸ’（ｎ−１）及び伝送路応答ベクトルＨ’（ｎ−１）が干渉除去部１５ｂに供給されて干渉除去部１５ｂが処理を行うことによって減算部７７から遅延部８６に供給された復調ベクトルＹＢ’（ｎ−１）が遅延部８６から加算部８７に供給される。図１５（ｎ）は、遅延部８６が出力する周波数領域の復調ベクトルＹＢ’（ｎ−１）を時間領域の信号に変換して模式的に表したものである。図１５（ｍ）と図１５（ｎ）とから、干渉ベクトルＥＢ’（ｎ−１）に含まれる先行波シンボル間干渉成分及び先行波キャリア間干渉成分の時間位置が復調ベクトルＹＢ’（ｎ−１）に含まれる先行波シンボル間干渉成分及び先行波キャリア間干渉成分の時間位置に一致していることが分かる。
【０１４７】
加算部８７は、遅延部８６から供給された復調ベクトルＹＢ’（ｎ−１）とダウンサンプル部８５から供給された干渉ベクトルＥＢ’（ｎ−１）とを加算し、加算結果を復調ベクトルＹ’（ｎ−１）（＝ＹＢ’（ｎ−１）＋ＥＢ’（ｎ−１））として等化部１６へ供給する。
【０１４８】
なお、位相回転部５３、減算部７１、アップサンプル部７２、遅延部８１、アップサンプル部８２、乗算部８３、抽出部８４、ダウンサンプル部８５、遅延部８６、及び加算部８７が、先行波によるシンボル間干渉の除去を行う機能を実現する。但し、先行波によるシンボル間干渉の除去のみを行う場合には、位相回転部５３、減算部７１、アップサンプル部７２、遅延部８１、アップサンプル部８２、乗算部８３、抽出部８４、ダウンサンプル部８５、遅延部８６、及び加算部８７を備えればよい。なお、減算部７１及び加算部８７と等価になるように、減算部７１を削除し、加算部８７を減算部に置き換えるなど変更を加えてもよい。
【０１４９】
遅延部５１、減算部７１、アップサンプル部７２、遅延部８１、アップサンプル部８２、乗算部８３、抽出部８４、ダウンサンプル部８５、遅延部８６、及び加算部８７が、先行波によるキャリア間干渉の除去を行う機能を実現する。但し、先行波によるキャリア間干渉の除去のみを行う場合には、アップサンプル部７２、アップサンプル部８２、乗算部８３、抽出部８４、ダウンサンプル部８５、遅延部８６、及び加算部８７を備えればよい。
【０１５０】
上記の受信装置１ｂによれば、ガードインターバル期間を超える先行波が存在する環境下でも、復調ベクトルＹから先行波によるシンボル間干渉及びキャリア間干渉に係る干渉成分を除去できるので、それらによる受信品質の劣化を効果的に抑えることができる。また、受信装置に到来する先行波の数は２以上であっても、復調ベクトルＹから先行波によるシンボル間干渉及びキャリア間干渉に係る干渉成分を除去可能である。
【０１５１】
≪第４の実施の形態≫
以下、本発明の第４の実施の形態について図面を参照しつつ説明する。但し、本実施の形態の干渉除去部１５ｃは、第３の実施の形態の干渉除去部１５ｂに対して、先行波によるシンボル間干渉及びキャリア間干渉を除去するブロックの構成を変更したものである。なお、本実施の形態において、上記の各実施の形態の構成要素と実質的に同じ構成要素には同じ符号を付し、その説明が適用できるためその説明を省略する。
【０１５２】
［干渉除去部１５ｃの構成及び動作］
本実施の形態の干渉除去部１５ｃの構成及び動作について図１６を参照しつつ説明する。図１６は本実施の形態の干渉除去部１５ｃの構成図である。
【０１５３】
干渉除去部１５ｃは、図１４の干渉除去部１５ｂに対して、遅延部８１、アップサンプル部８２、乗算部８３、抽出部８４、ダウンサンプル部８５及び加算部８７からなる処理ブロックを、抽出部９１、ダウンサンプル部９２及び加算部９３からなる処理ブロックに置き換えた構成を有する。
【０１５４】
但し、遅延波によるシンボル間干渉及びキャリア間干渉の除去は、第３の実施の形態と同じであるので、ここでは、先行波によるシンボル間干渉及びキャリア間干渉の除去についてのみ記載する。なお、ｎ番目のシンボルに対応する復調ベクトルＹｎ、等化ベクトルＸ’ｎ及び伝送路応答ベクトルＨ’ｎが干渉除去部１５ｃに供給されるときの干渉除去部１５ｃ内の各部の処理内容を例に挙げて説明する。
【０１５５】
（先行波によるシンボル間干渉及びキャリア間干渉の除去）
遅延部５１、位相回転部５３、減算部７１、アップサンプル部７２、アップサンプル部５５、及び乗算部７３は、夫々、上述した処理内容の処理を行い、乗算部７３は差分復調ベクトルＹＡ’２（ｎ−１），ｎを抽出部９１へ供給する。
【０１５６】
抽出部９１は、例えばＦＩＲフィルタで構成され、抽出部８４と同じ通過帯域の通過特性を有している。抽出部９１は、乗算部７３から供給された差分復調ベクトルＹＡ’２（ｎ−１），ｎにフィルタ処理を施すことによって、差分復調ベクトルＹＡ’２（ｎ−１），ｎから、復調ベクトルＹ（ｎ−１）に関係する先行波シンボル間干渉成分及びそれに関係する先行波キャリア間干渉成分を抽出し、抽出した先行波シンボル間干渉成分および先行波キャリア間干渉成分を表す干渉ベクトルＥＣ’２（ｎ−１）を生成し、生成した干渉ベクトルＥＣ’２（ｎ−１）をダウンサンプル部９２へ供給する。
【０１５７】
ダウンサンプル部９２は、抽出部９１から供給された干渉ベクトルＥＣ’２（ｎ−１）を１／２倍にダウンサンプリングし、ダウンサンプリングの結果得られた干渉ベクトルＥＣ’（ｎ−１）を加算部９３へ供給する。
【０１５８】
遅延部８６は、減算部７７から供給された復調ベクトルＹＢ’を１シンボルの処理期間に相当する時間分遅延させて出力する。これによって、ｎ番目のシンボルに対応する復調ベクトルＹｎ、等化ベクトルＸ’ｎ及び伝送路応答ベクトルＨ’ｎが干渉除去部１５ｃに供給されて干渉除去部１５ｃが処理を行うとき、（ｎ−１）番目のシンボルに対応する復調ベクトルＹ（ｎ−１）、等化ベクトルＸ’（ｎ−１）及び伝送路応答ベクトルＨ’（ｎ−１）が干渉除去部１５ｃに供給されて干渉除去部１５ｃが処理を行うことによって減算部７７から遅延部８６に供給された復調ベクトルＹＢ’（ｎ−１）が遅延部８６から加算部９３に供給される。
【０１５９】
加算部９３は、遅延部８６から供給された復調ベクトルＹＢ’（ｎ−１）とダウンサンプル部９２から供給された干渉ベクトルＥＣ’（ｎ−１）とを加算し、加算結果を復調ベクトルＹ’（ｎ−１）（＝ＹＢ’（ｎ−１）＋ＥＣ’（ｎ−１））として等化部１６へ供給する。
【０１６０】
本実施の形態の干渉除去部１５ｃは、先行波によるシンボル間干渉及びキャリア間干渉の除去を復調ベクトルより１シンボル後の伝送路応答ベクトルを用いて行う。このため、送信局間に周波数偏差がある場合や、受信装置の移動などにより伝送路応答が時間変動する場合には、受信品質が若干低下するものの、遅延部８１、アップサンプル部８２、及び乗算部８３が不要になって回路規模及び演算量の削減が図られる。
【０１６１】
≪第５の実施の形態≫
以下、本発明の第５の実施の形態について図面を参照しつつ説明する。但し、本実施の形態の干渉除去部１５ｄは、第３の干渉除去部１５ｂの遅延波によるシンボル間干渉及び先行波によるキャリア間干渉の除去方法を変更したものである。なお、本実施の形態において、上記の各実施の形態の構成要素と実質的に同じ構成要素には同じ符号を付し、その説明が適用できるためその説明を省略する。
【０１６２】
［干渉除去部１５ｄの構成及び動作］
本実施の形態の干渉除去部１５ｄの構成及び動作について図１７を参照しつつ説明する。図１７は本実施の形態の干渉除去部１５ｄの構成図であり、干渉除去部１５ｄは、図１４の干渉除去部１５ｂに対して遅延部５１を除算部９６に置き換えた構成を有する。
【０１６３】
以下、干渉除去部１５ｄの構成及び動作の説明を、遅延波によるシンボル間干渉及びキャリア間干渉の除去と、先行波によるシンボル間干渉及びキャリア間干渉の除去の２つに分けて説明する。なお、ｎ番目のシンボルに対応する復調ベクトルＹｎ、等化ベクトルＸ’ｎ及び伝送路応答ベクトルＨ’ｎが干渉除去部１５ｄに供給されるときの干渉除去部１５ｄ内の各部の処理内容を例に挙げて説明する。
【０１６４】
（遅延波によるシンボル間干渉及びキャリア間干渉の除去）
遅延部８６は、減算部７７から供給される復調ベクトルＹＤ’を１シンボルの処理期間に相当する時間分遅延させて出力する。これによって、干渉除去部１５ｄにｎ番目のシンボルに対応する復調ベクトルＹｎ、等化ベクトルＸ’ｎ、及び伝送路応答ベクトルＨ’ｎが干渉除去部１５ｄに供給されて干渉除去部１５ｄが処理を行うとき、干渉除去部１５ｄに（ｎ−１）番目のシンボルに対応する復調ベクトルＹ（ｎ−１）、等化ベクトルＸ’（ｎ−１）、及び伝送路応答ベクトルＨ’（ｎ−１）が供給されて干渉除去部１５ｄが処理を行うことによって減算部７７から遅延部８６に供給された復調ベクトルＹＤ’（ｎ−１）が遅延部８６から加算部８７及び除算部９６に供給される。
【０１６５】
除算部９６は、遅延部８６から供給された復調ベクトルＹＤ’（ｎ−１）を等化部１４から供給されたｎ番目のシンボルに対応する伝送路応答ベクトルＨ’ｎで除算し、除算結果を等化ベクトルＸＤ’（ｎ−１）として減算部７１へ供給する。位相回転部５３は、等化部１４から供給されたｎ番目のシンボルに対応する等化ベクトルＸ’ｎを時間領域でＴｇ時間シフトするようにキャリア毎に位相回転させ、位相回転の結果得られた等化ベクトルＸ’ｒｏｔｎを減算部７１へ供給する。減算部７１は、除算部９６から供給された等化ベクトルＸＤ’（ｎ−１）から位相回転部５３から供給された等化ベクトルＸ’ｒｏｔｎを減算し、減算の結果得られた差分等化ベクトルＸＤ’（ｎ−１）−Ｘ’ｒｏｔｎをアップサンプル部７２へ供給する。
【０１６６】
アップサンプル部７２、アップサンプル部５５、乗算部７３、抽出部７４、ダウンサンプル部７５、位相回転部７６及び減算部７７は、夫々、上述した処理内容と実質的に同じ処理内容の処理を実行し、減算部７７は、復調ベクトルＹＤ’ｎを遅延部８６へ供給する。
【０１６７】
（先行波によるシンボル間干渉及びキャリア間干渉の除去）
遅延部８６、除算部９６、位相回転部５３、減算部７１、アップサンプル部７２、遅延部８１、アップサンプル部８２、乗算部８３、抽出部８４、ダウンサンプル部８５及び加算部８７は、夫々、上述した処理内容或いは実質的に同じ処理内容の処理を行い、加算部８７は復調ベクトルＹ’（ｎ−１）を等化部１６へ供給する。なお、遅延部８６、除算部９６、位相回転部５３、減算部７１及びアップサンプル部７２の処理は、遅延波によるシンボル間干渉及びキャリア間干渉の除去と共用され、それと別個に行われるものではない。
【０１６８】
上記の干渉除去部１５ｄによれば、遅延波によるシンボル間干渉及び遅延波によるキャリア間干渉が除去された復調ベクトルＹＤ’（ｎ−１）を伝送路応答ベクトルＨｎで除算して等化ベクトルＸＤ’（ｎ−１）を生成し、これを用いて遅延波によるシンボル間干渉及び先行波によるキャリア間干渉の除去を行っている。このため、等化ベクトルＸ’（ｎ−１）をそのまま用いる場合に比べて、遅延波によるシンボル間干渉及び先行波によるキャリア間干渉の除去性能が向上する。また、除算部９６が追加されているものの、遅延部５１が削除されているので、１シンボル分のメモリ容量の削減が図られる。
【０１６９】
≪第６の実施の形態≫
以下、本発明の第６の実施の形態について図面を参照しつつ説明する。但し、本実施の形態の干渉除去部１５ｅは、第５の実施の形態の干渉除去部１５ｄに受信品質に応じて復調ベクトルの選択を行う機能を付加したものである。なお、本実施の形態において、上記の各実施の形態の構成要素と実質的に同じ構成要素には同じ符号を付し、その説明が適用できるためその説明を省略する。
【０１７０】
［干渉除去部１５ｅの構成及び動作］
本実施の形態の干渉除去部１５ｅの構成及び動作について図１８を参照しつつ説明する。図１８は本実施の形態の干渉除去部１５ｅの構成図である。
【０１７１】
干渉除去部１５ｅは、図１７の干渉除去部１５ｄに対して、減算部７７、遅延部８６及び加算部８７からなるブロックを減算部７７、選択部１０１、遅延部８６、加算部８７及び選択部１０２からなるブロックに置き換えた構成を有する。
【０１７２】
以下、干渉除去部１５ｅの構成及び動作の説明を、遅延波によるシンボル間干渉及びキャリア間干渉の除去と、先行波によるシンボル間干渉及びキャリア間干渉の除去の２つに分けて説明する。なお、ｎ番目のシンボルに対応する復調ベクトルＹｎ、等化ベクトルＸ’ｎ及び伝送路応答ベクトルＨ’ｎが干渉除去部１５ｅに供給されるときの干渉除去部１５ｅ内の各部の処理内容を例に挙げて説明する。
【０１７３】
（遅延波によるシンボル間干渉及びキャリア間干渉の除去）
遅延部８６は、選択部１０１から供給される復調ベクトルＹＤ’を１シンボルの処理期間に相当する時間分遅延させて出力する。これによって、干渉除去部１５ｅにｎ番目のシンボルに対応する復調ベクトルＹｎ、等化ベクトルＸ’ｎ、及び伝送路応答ベクトルＨ’ｎが干渉除去部１５ｅに供給されて干渉除去部１５ｅが処理を行うとき、干渉除去部１５ｅに（ｎ−１）番目のシンボルに対応する復調ベクトルＹ（ｎ−１）、等化ベクトルＸ’（ｎ−１）、及び伝送路応答ベクトルＨ’（ｎ−１）が供給されて干渉除去部１５ｅが処理を行うことによって選択部１０１から遅延部８６に供給された復調ベクトルＹＥ’（ｎ−１）が遅延部８６から加算部８７、選択部１０２及び除算部９６に供給される。
【０１７４】
除算部９６は、遅延部８６から供給された復調ベクトルＹＥ’（ｎ−１）を等化部１４から供給されたｎ番目のシンボルに対応する伝送路応答ベクトルＨ’ｎで除算し、除算結果を等化ベクトルＸＥ’（ｎ−１）として減算部７１へ供給する。位相回転部５３は、等化部１４から供給されたｎ番目のシンボルに対応する等化ベクトルＸ’ｎを時間領域でＴｇ時間シフトするようにキャリア毎に位相回転させ、位相回転の結果得られた等化ベクトルＸ’ｒｏｔｎを減算部７１へ供給する。減算部７１は、除算部９６から供給された等化ベクトルＸＥ’（ｎ−１）から位相回転部５３から供給された等化ベクトルＸ’ｒｏｔｎを減算し、減算の結果得られた差分等化ベクトルＸＥ’（ｎ−１）−Ｘ’ｒｏｔｎをアップサンプル部７２へ供給する。
【０１７５】
アップサンプル部７２、アップサンプル部５５、乗算部７３、抽出部７４、ダウンサンプル部７５、位相回転部７６及び減算部７７は、夫々、上述した処理内容と実質的に同じ処理内容の処理を実行し、減算部７７は、復調ベクトルＹＥ１’ｎを選択部１０１へ供給する。
【０１７６】
選択部１０１は、ＯＦＤＭ復調部１３から供給されたｎ番目のシンボルに対応する復調ベクトルＹ’ｎと減算部７７から供給された復調ベクトルＹＥ１’ｎとの受信品質を比較し、受信品質の良い方の復調ベクトルを復調ベクトルＹＥ’ｎとして遅延部８６へ供給する。なお、受信品質の測定は、例えば復調ベクトルと伝送路応答ベクトルとを用いてデータキャリアやパイロットキャリア等のＣ／Ｎ値を算出することによって実現できる。
【０１７７】
（先行波によるシンボル間干渉及びキャリア間干渉の除去）
遅延部８６、除算部９６、位相回転部５３、減算部７１、アップサンプル部７２、遅延部８１、アップサンプル部８２、乗算部８３、抽出部８４、ダウンサンプル部８５及び加算部８７は、夫々、上述した処理内容或いは実質的に同じ処理内容の処理を行い、加算部８７は復調ベクトルＹＥ２’（ｎ−１）を選択部１０２へ供給する。なお、遅延部８６、除算部９６、位相回転部５３、減算部７１及びアップサンプル部７２の処理は、遅延波によるシンボル間干渉及びキャリア間干渉の除去と共用され、それと別個に行われるものではない。
【０１７８】
選択部１０２は、遅延部８６から供給された復調ベクトルＹＥ’（ｎ−１）と加算部８７から供給された復調ベクトルＹＥ２’（ｎ−１）との受信品質を比較し、受信品質の良い方の復調ベクトルを復調ベクトルＹ’（ｎ−１）として等化部１６へ供給する。なお、受信品質の測定は、例えば復調ベクトルと伝送路応答ベクトルとを用いてデータキャリアやパイロットキャリア等のＣ／Ｎ値を算出することによって実現できる。
【０１７９】
ところで、算出した遅延波シンボル間干渉成分、遅延波キャリア間干渉成分、先行波シンボル間干渉成分及び先行波シンボル間干渉成分の少なくとも一つが、実際の遅延波シンボル間干渉成分、遅延波キャリア間干渉成分、先行波シンボル間干渉成分及び先行波キャリア間干渉成分と異なる場合、復調ベクトルに対する干渉除去処理によって、復調ベクトルの誤差を増加させてしまうことがある。
【０１８０】
しかしながら、干渉除去部１５ｅによれば、干渉除去処理前の復調ベクトルと干渉除去処理後の復調ベクトルの受信品質の良い方を選択するため、干渉除去処理による受信品質の低下を効果的に抑えることができる。
【０１８１】
例えば、遅延波や先行波によるシンボル間干渉及びキャリア間干渉がない受信環境では、それらに係る干渉成分は０であるにもかかわらず、ＡＷＧＮ（Additive White Gaussian Noise）などの雑音によって算出される干渉成分は０にならない。このとき、復調ベクトルからＡＷＧＮ（Additive White Gaussian Noise）などの雑音によって０にならなかった干渉成分を除去することは、復調ベクトルに誤差を付加することになる。この場合に、干渉除去処理が施されていない復調ベクトルを選択することによって、干渉除去処理による受信品質の低下を効果的に抑えることができる。
【０１８２】
≪第７の実施の形態≫
以下、本発明の第７の実施の形態について図面を参照しつつ説明する。本実施の形態の干渉除去部１５ｆは第３の実施の形態の干渉除去部１５ｃに等化部１４から供給される等化データに対して硬判定を行って等化データを修正する機能を付加したものである。なお、本実施の形態において、上記の各実施の形態の構成要素と実質的に同じ構成要素には同じ符号を付し、その説明が適用できるためその説明を省略する。
【０１８３】
［干渉除去部１５ｆの構成及び動作］
本実施の形態の干渉除去部１５ｆの構成及び動作について図１９を参照しつつ説明する。図１９は本実施の形態の干渉除去部１５ｆの構成図である。
【０１８４】
干渉除去部１５ｆは、図１４の干渉除去部１５ｂに硬判定部１１１を付加した構成を有する。硬判定部１１１は、等化部１４から供給された等化ベクトルＸ’に対して硬判定を行うことによって等化ベクトルＸ’の修正を行い、硬判定の結果修正された等化ベクトルを等化ベクトルＸ’として遅延部５１及び位相回転部５３へ供給する。
【０１８５】
等化部１４から干渉除去部１５ｆに供給された等化ベクトルＸ’には、シンボル間干渉、キャリア間干渉、伝送路推定誤差、熱雑音などに起因する推定誤差が含まれる。このため、等化ベクトルＸ’をそのまま用いて遅延波及び先行波によるシンボル間干渉及びキャリア間干渉に係る各干渉成分を算出した場合には、等化ベクトルＸ’に含まれる推定誤差のために、遅延波及び先行波によるシンボル間干渉及びキャリア間干渉に係る各干渉成分には算出誤差が含まれる。
【０１８６】
上記の干渉除去部１５ｆによれば、等化ベクトルＸ’に硬判定を行うことによって、等化ベクトルＸ’の推定誤差を小さくすることができる。このため、遅延波及び先行波によるシンボル間干渉及びキャリア間干渉に係る各干渉成分の算出誤差を小さくすることができ、受信品質の向上が図られる。
【０１８７】
なお、伝送路応答ベクトルＨ’についても同様にシンボル間干渉、キャリア間干渉、伝送路推定誤差、熱雑音などに起因する推定誤差が含まれる。このため、伝送路応答ベクトルＨ’をアップサンプルする場合に、有効キャリアの外側の帯域に伝送路応答ベクトルを外挿することにより、伝送路応答ベクトルＨ’の推定精度を向上させる手段を追加するようにしてもよい。但し、伝送路推定精度を向上させる手段はこれに限られるものではない。
【０１８８】
≪第８の実施の形態≫
以下、本発明の第８の実施の形態について図面を参照しつつ説明する。上記の第３の実施の形態の干渉除去部１５ｂは周波数領域で信号処理を行って干渉除去を行う。これに対して、本実施の形態の干渉除去部１５ｇは周波数領域の信号を時間領域の信号に変換してから時間領域で信号処理を行って干渉除去を行う。
【０１８９】
［干渉除去部１５ｇの構成及び動作］
本実施の形態の干渉除去部１５ｇの構成及び動作について図２０を参照しつつ説明する。図２０は本実施の形態の干渉除去部１５ｇの構成図である。
【０１９０】
干渉除去部１５ｇは、ＩＦＦＴ部１３１と、遅延部１３２と、時間シフト部１３３と、減算部１３４と、時間領域拡張部１３５と、ＩＦＦＴ部１３６と、時間領域拡張部１３７と、畳み込み乗算部１３８と、抽出部１３９と、時間領域縮小部１４０と、時間シフト部１４１と、ＦＦＴ部１４２と、減算部１４３と、遅延部１４４と、時間領域拡張部１４５と、畳み込み乗算部１４６と、抽出部１４７と、時間領域縮小部１４８と、ＦＦＴ部１４９と、遅延部１５０と、加算部１５１とを備える。
【０１９１】
以下、干渉除去部１５ｇの構成及び動作の説明を、遅延波によるシンボル間干渉及びキャリア間干渉の除去と、先行波によるシンボル間干渉及びキャリア間干渉の除去の２つに分けて説明する。なお、ｎ番目のシンボルに対応する復調ベクトルＹｎ、等化ベクトルＸ’ｎ及び伝送路応答ベクトルＨ’ｎが干渉除去部１５ｇに供給されるときの干渉除去部１５ｇ内の各部の処理内容を例に挙げて説明する。
【０１９２】
（遅延波によるシンボル間干渉及びキャリア間干渉の除去）
ＩＦＦＴ部１３１は、等化部１４から供給されたｎ番目のシンボルに対応する周波数領域の等化ベクトルＸ’ｎにＩＦＦＴを施し、ＩＦＦＴの結果得られた時間領域の等化信号ｘ’ｎを遅延部１３２及び時間シフト部１３３へ供給する。
【０１９３】
遅延部１３２は、ＩＦＦＴ部１３１から供給された等化信号ｘ’を１シンボルの処理期間に相当する時間分遅延して出力する。これによって、復調ベクトルＹｎ、等化ベクトルＸ’ｎ及び伝送路応答ベクトルＨ’ｎが干渉除去部１５ｇに供給されて干渉除去部１５ｇが処理を行うとき、遅延部１３２から減算部１３４に（ｎ−１）番目のシンボルに対応する等化信号ｘ’（ｎ−１）が供給される。
【０１９４】
時間シフト部１３３は、ＩＦＦＴ部１３１から供給された等化信号ｘ’ｎを時間領域でＴｇ時間シフトして、シフトの結果得られた等化信号ｘ’ｓｈｉｆｔｎを減算部１３４へ供給する。
【０１９５】
減算部１３４は、遅延部１３２から供給された等化信号ｘ’（ｎ−１）から時間シフト部１３３から供給された等化信号ｘ’ｓｈｉｆｔｎを減算し、減算の結果得られた差分等化信号ｘｇ’（ｎ−１），ｎを時間領域拡張部１３５へ供給する。
【０１９６】
時間領域拡張部１３５は、減算部１３４から供給された時間領域がＴｕである差分等化信号ｘｇ’（ｎ−１），ｎに対して時間領域を２倍に拡張する処理を行って、時間領域がＴｕの２倍である差分等化信号ｘｇ’２（ｎ−１），ｎを畳み込み乗算部１３８へ供給する。但し、時間領域を２倍に拡張する処理は、差分等化信号ｘｇ’（ｎ−１），ｎの時間領域の双方の外側の期間Ｔｕ／２に０の信号を付加する処理である。また、その他の構成要素で行われる時間領域を２倍に拡張する処理も同様にして実現できる。なお、時間領域を２倍に拡張する処理は既知の技術であるので、これ以上の詳細説明は行わない。
【０１９７】
ＩＦＦＴ部１３６は、等化部１４から供給されたｎ番目のシンボルに対応する周波数領域の伝送路応答ベクトルＨ’ｎにＩＦＦＴを施し、ＩＦＦＴの結果得られた時間領域の伝送路応答信号ｈ’ｎを時間領域拡張部１３７へ供給する。
【０１９８】
時間領域拡張部１３７は、ＩＦＦＴ部１３６から供給された時間領域がＴｕである伝送路応答信号ｈ’ｎに対して時間領域を２倍に拡張する処理を行って、時間領域がＴｕの２倍である伝送路応答信号ｈ’２ｎを畳み込み乗算部１３８へ供給する。
【０１９９】
畳み込み乗算部１３８は、時間領域拡張部１３５から供給された差分等化信号ｘｇ’２（ｎ−１），ｎと時間領域拡張部１３７から供給された伝送路応答信号ｈ’２ｎとを畳み込み乗算し、畳み込み乗算の結果得られた差分復調信号ｙｇ１’２（ｎ−１），ｎを抽出部１３９へ供給する。
【０２００】
抽出部１３９は、畳み込み乗算部１３８から供給された差分復調信号ｙｇ１’２（ｎ−１），ｎに対して第３の実施の形態の抽出部７４のフィルタの時間領域で見た通過帯域以外の期間の信号成分を０にすることによって、差分復調信号ｙｇ１’２（ｎ−１），ｎから、復調ベクトルＹｎに関係する遅延波シンボル間干渉成分及びそれに関係する遅延波キャリア間干渉成分を抽出する。そして、抽出部１３９は、抽出した遅延波シンボル間干渉成分および遅延波キャリア間干渉成分を表す干渉信号ｅｇ１’２ｎを生成し、生成した干渉信号ｅｇ１’２ｎを時間領域縮小部１４０へ供給する。
【０２０１】
時間領域縮小部１４０は、抽出部１３９から供給された時間領域が２×Ｔｕである干渉信号ｅｇ１’２ｎに対して時間領域を１／２倍に縮小する処理を行って、時間領域がＴｕである干渉信号ｅｇ１’ｎを時間シフト部１４１へ供給する。
【０２０２】
時間シフト部１４１は、時間領域縮小部１４０から供給された干渉信号ｅｇ１’ｎを時間領域で−Ｔｇ時間シフトして、シフトの結果得られた干渉信号ｅｇ１’ｓｈｉｆｔｎをＦＦＴ部１４２へ供給する。
【０２０３】
ＦＦＴ部１４２は、時間シフト部１４１から供給された干渉信号ｅｇ１’ｓｈｉｆｔｎにＦＦＴを施し、ＦＦＴの結果得られた周波数領域の干渉ベクトルＥＧ１’ｓｈｉｆｔｎを減算部１４３へ供給する。
【０２０４】
減算部１４３は、ＯＦＤＭ復調部１３から供給されたｎ番目のシンボルに対応する復調ベクトルＹｎからＦＦＴ部１４２から供給された干渉ベクトルＥＧ１’ｓｈｉｆｔｎを減算し、減算結果を復調ベクトルＹＧ’ｎ（＝Ｙｎ−ＥＧ１’ｓｈｉｆｔｎ）として遅延部１５０へ供給する。
【０２０５】
（先行波によるシンボル間干渉及びキャリア間干渉の除去）
ＩＦＦＴ部１３１、遅延部１３２、時間シフト部１３３、減算部１３４及び時間領域拡張部１３５は、夫々、上述した処理内容の処理を行い、時間領域拡張部１３５は差分等化信号ｘｇ’２（ｎ−１），ｎを畳み込み乗算部１４６へ供給する。なお、これらの処理は、遅延波によるシンボル間干渉及びキャリア間干渉の除去と共用され、それと別個に行われるものではない。
【０２０６】
ＩＦＦＴ部１３６は、等化部１４から供給されたｎ番目のシンボルに対応する周波数領域の伝送路応答ベクトルＨ’ｎにＩＦＦＴを施し、ＩＦＦＴの結果得られた時間領域の伝送路応答信号ｈ’ｎを遅延部１４４へ供給する。なお、この処理は、遅延波によるシンボル間干渉及びキャリア間干渉の除去と共用され、それと別個に行われるものではない。
【０２０７】
遅延部１４４は、ＩＦＦＴ部１３６から供給された伝送路応答信号ｈ’ｎを１シンボルの処理期間に相当する時間分遅延して出力する。これによって、復調ベクトルＹｎ、等化ベクトルＸ’ｎ及び伝送路応答ベクトルＨ’ｎが干渉除去部１５ｇに供給されて干渉除去部１５ｇが処理を行うとき、遅延部１４４から時間領域拡張部１４５に（ｎ−１）番目のシンボルに対応する伝送路応答信号ｈ’（ｎ−１）が供給される。
【０２０８】
時間領域拡張部１４５は、遅延部１４４から供給された時間領域がＴｕである伝送路応答信号ｈ’（ｎ−１）に対して時間領域を２倍に拡張する処理を行って、時間領域がＴｕの２倍である伝送路応答信号ｈ’２（ｎ−１）を畳み込み乗算部１４６へ供給する。
【０２０９】
畳み込み乗算部１４６は、時間領域拡張部１３５から供給された差分等化信号ｘｇ’２（ｎ−１），ｎと時間領域拡張部１４５から供給された伝送路応答信号ｈ’２（ｎ−１）とを畳み込み乗算し、畳み込み乗算の結果得られた差分復調信号ｙｇ２’２（ｎ−１），ｎを抽出部１４７へ供給する。
【０２１０】
抽出部１４７は、畳み込み乗算部１４６から供給された差分復調信号ｙｇ２’２（ｎ−１），ｎに対して第３の実施の形態の抽出部８４のフィルタの時間領域で見た通過帯域以外の期間の信号成分を０にすることによって、差分復調信号ｙｇ２’２（ｎ−１），ｎから、復調ベクトルＹ（ｎ−１）に関係する先行波シンボル間干渉成分及びそれに関係する先行波キャリア間干渉成分を抽出する。そして、抽出部１４７は、抽出した先行波シンボル間干渉成分および先行波キャリア間干渉成分を表す干渉信号ｅｇ２’２（ｎ−１）を生成し、生成した干渉信号ｅｇ２’２（ｎ−１）を時間領域縮小部１４８へ供給する。
【０２１１】
時間領域縮小部１４８は、抽出部１４７から供給された時間領域が２×Ｔｕである干渉信号ｅｇ２’２（ｎ−１）に対して時間領域を１／２倍に縮小する処理を行って、時間領域がＴｕである干渉信号ｅｇ２’２（ｎ−１）をＦＦＴ部１４９へ供給する。
【０２１２】
ＦＦＴ部１４９は、時間領域縮小部１４８から供給された干渉信号ｅｇ２’（ｎ−１）にＦＦＴを施し、ＦＦＴの結果得られた周波数領域の干渉ベクトルＥＧ２’（ｎ−１）を加算部１５１へ供給する。
【０２１３】
遅延部１５０は、減算部１４３から供給された復調ベクトルＹＧ’を１シンボルの処理期間に相当する時間分遅延して出力する。これによって、ｎ番目のシンボルに対応する復調ベクトルＹｎ、等化ベクトルＸ’ｎ及び伝送路応答ベクトルＨ’ｎが干渉除去部１５ｇに供給されて干渉除去部１５ｇが処理を行うとき、（ｎ−１）番目のシンボルに対応する復調ベクトルＹ（ｎ−１）、等化ベクトルＸ’（ｎ−１）及び伝送路応答ベクトルＨ’（ｎ−１）が干渉除去部１５ｇに供給されて干渉除去部１５ｇが処理を行うことによって減算部１４３から遅延部１５０に供給された復調ベクトルＹＧ’（ｎ−１）が遅延部１５０から加算部１５１に供給される。
【０２１４】
加算部１５１は、遅延部１５０から供給された復調ベクトルＹＧ’（ｎ−１）とＦＦＴ部１４９から供給された干渉ベクトルＥＧ２’（ｎ−１）とを加算し、加算結果を復調ベクトルＹ’（ｎ−１）（＝ＹＧ’（ｎ−１）−ＥＧ２’（ｎ−１））として等化部１６へ供給する。
【０２１５】
≪第９の実施の形態≫
以下、本発明の第９の実施の形態について図面を参照しつつ説明する。第１の実施の形態の受信装置は干渉除去処理を１段で行う構成であるのに対して、本実施の形態の受信装置１ｈは干渉除去処理を２段で行う構成である。なお、本実施の形態において、上記の各実施の形態の構成要素と実質的に同じ構成要素には同じ符号を付し、その説明が適用できるためその説明を省略する。
【０２１６】
＜受信装置１ｈの構成及び動作＞
本実施の形態の受信装置１ｈの構成及び動作について図２１を参照しつつ説明する。図２１は本実施の形態の受信装置１ｈの構成図であり、受信装置１ｈは図３の受信装置１に対して等化部１４ｈ及び干渉除去部１５ｈを付加した構成を有する。
【０２１７】
アンテナ１１、チューナ１２、ＯＦＤＭ復調部１３、等化部１４、及び干渉除去部１５は、上述した処理内容の処理を行い、ＯＦＤＭ復調部１３は等化部１４、干渉除去部１５及び干渉除去部１５ｈに復調ベクトルＹを供給し、干渉除去部１５は等化部１４ｈに復調ベクトルＹ’を供給する。
【０２１８】
等化部１４ｈは、干渉除去部１５から供給された復調ベクトルＹ’から伝送路応答ベクトルＨＨ’を推定し、推定した伝送路応答ベクトルＨＨ’に基づいて復調ベクトルＹ’を等化して等化ベクトルＸＨ’を算出し、伝送路応答ベクトルＨＨ’と等化ベクトルＸＨ’とを干渉除去部１５ｈへ供給する。なお、等化部１４ｈに、図５において、入力される復調ベクトルＹを復調ベクトルＹ’に置き換えた構成を利用できる。
【０２１９】
干渉除去部１５ｈは、等化部１４ｈから供給された伝送路応答ベクトルＨＨ’と等化ベクトルＸＨ’とを用いて、ＯＦＤＭ復調部１３から供給された復調ベクトルＹからシンボル間干渉及びキャリア間干渉を除去するための処理を行い、この処理の結果得られた復調ベクトルＹＨ’を等化部１６へ供給する。なお、干渉除去部１５ｈに、図６において、入力される復調ベクトルＹ、等化ベクトルＸ’、伝送路応答ベクトルＨ’を復調ベクトルＹ、等化ベクトルＸＨ’、伝送路応答ベクトルＨＨ’に置き換えた構成を利用できる。
【０２２０】
等化部１６及び復号部１７は、夫々、上述した処理内容と実質的に同じ処理内容の処理を行う。
本実施の形態の受信装置１ｈによれば、復調ベクトルに対するシンボル間干渉及びキャリア間干渉に係る誤差成分の除去処理を２段で行っているので、シンボル間干渉及びキャリア間干渉の除去能力が向上し、受信品質が向上する。また、受信装置１ｈは、フィードフォワード構成であるので、干渉除去処理を行うブロックの連結を容易に行うことができる。
【０２２１】
≪第１０の実施の形態≫
以下、本発明の第１０の実施の形態について図面を参照しつつ説明する。但し、本実施の形態の受信装置１ｉは、第１の実施の形態の受信装置１に対して、干渉除去部１５が用いる等化ベクトル及び伝送路応答データを生成する構成の簡略化を行って、回路規模及び演算量の削減を図ったものである。なお、本実施の形態において、上記の各実施の形態の構成要素と実質的に同じ構成要素には同じ符号を付し、その説明が適用できるためその説明を省略する。
【０２２２】
＜受信装置１ｉの構成及び動作＞
本実施の形態の受信装置１ｉの構成及び動作について図２２を参照しつつ説明する。図２２は本実施の形態の受信装置１ｉの構成図であり、受信装置１ｉは、図３の受信装置１に対して、等化部１４を除算部１４ｉに置き換え、等化部１６が出力する伝送路応答ベクトルＨ”を遅延して除算部１４ｉ及び干渉除去部１５に供給する遅延部１８を設けた構成を有する。
【０２２３】
アンテナ１１、チューナ１２、及びＯＦＤＭ復調部１３は、上述した処理内容の処理を行い、ＯＦＤＭ復調部１３は変調ベクトルＹを除算部１４ｉ及び干渉除去部１５へ供給する。
【０２２４】
ここでは、ｎ番目のシンボルに対応する復調ベクトルＹｎが除算部１４ｉ及び干渉除去部１５に供給されるときの除算部１４ｉ及び干渉除去部１５等の処理内容を例に挙げて説明する。
【０２２５】
遅延部１８は等化部１６から供給される伝送路応答ベクトルＨ”を１シンボルの処理期間に相当する時間分遅延して出力する。これによって、除算部１４ｉ及び干渉除去部１５に復調ベクトルＹｎが供給されるとき、除算部１４ｉ及び干渉除去部１５に（ｎ−１）番目のシンボルに対応する復調ベクトルＹ（ｎ−１）が供給されて除算部１４ｉ、干渉除去部１５及び等化部１６が処理を行うことによって等化部１６から遅延部１８に供給されたｍ番目のシンボルに対応する伝送路応答ベクトルＨ”ｍが遅延部１８から除算部１４ｉ及び干渉除去部１５に供給される。なお、等化部１６から遅延部１８に供給される伝送路応答ベクトルには除算部１４ｉ、干渉除去部１５、等化部１６による遅延が含まれることがあることを考慮して、上記ではｍ番目のシンボルとして記載している。
【０２２６】
除算部１４ｉは、ＯＦＤＭ復調部１３から供給された復調ベクトルＹｎを遅延部１８から供給された伝送路応答ベクトルＨ”ｍで除算し、除算結果である等化ベクトルＸ’ｎを干渉除去部１５へ供給する。
【０２２７】
干渉除去部１５は、除算部１４ｉから供給される等化ベクトルＸ’ｎと遅延部１８から供給される伝送路応答ベクトルＨ”ｍとを用いて、ＯＦＤＭ復調部１３から供給された復調ベクトルＹ’ｎに対してシンボル間干渉及びキャリア間干渉の除去処理を行って復調ベクトルＹ’ｎを等化部１６へ供給する。なお、本実施の形態の干渉除去部１５の処理は、等化部１４から供給される等化ベクトルＸ’を除算部１４ｉから供給される等化ベクトルＸ’に置き換え、等化部１４から供給される伝送路応答ベクトルＨ’を遅延部１８から供給された伝送路応答ベクトルＨ”に置き換えて行われる。
【０２２８】
等化部１６は、干渉除去部１５から供給された復調ベクトルＹ’から伝送路応答ベクトルＨ”を推定し、推定した伝送路応答ベクトルＨ”に基づいて復調ベクトルＹ’を等化して等化ベクトルＸ”を算出する。そして、等化部１６は、等化ベクトルＸ”を復号部１７へ供給するとともに、伝送路応答ベクトルＨ”を遅延部１８へ供給する。復号部１７は、上述した処理内容と実質的に同じ処理内容の処理を実行し、伝送情報を出力する。
【０２２９】
本実施の形態の受信装置１ｉによれば、シンボル間干渉及びキャリア間干渉の除去が行われた復調ベクトルＹ’に基づいて推定された伝送路応答ベクトルＨ”を用いて復調ベクトルＹに対してシンボル間干渉及びキャリア間干渉の除去処理を行っている。このため、シンボル間干渉及びキャリア間干渉に係る各干渉成分の算出精度が向上し、受信品質の向上が図られる。また、伝送路等化を行う構成要素は等化部１６のみになるので、回路規模及び演算量の削減が図られる。
【０２３０】
また、干渉成分の除去処理を施して生成された復調データＹ’を用いて伝送路応答データＨ”を推定し、この伝送路応答データＨ”をフィードバックして復調データＹに対して干渉成分の除去処理を施して復調データＹ’を生成している。このため、伝送路応答データＨ”には干渉成分の繰り返し除去の効果が得られ、受信品質の向上が図られる。
【０２３１】
なお、除算部１４ｉ及び干渉除去部１５は、処理対象の復調ベクトルＹよりも過去の時刻の伝送路応答ベクトルＨ”を用いて処理を行うため、送信局間に周波数偏差がある場合や、移動などにより伝送路応答が変化する場合には、伝送路応答の変動によりシンボル間干渉及びキャリア間干渉に係る各干渉成分の算出精度が低下してしまう。これに対して、伝送路応答データを外挿処理などにより予測することによって、周波数の変動耐性を向上させることができる。
【０２３２】
≪第１１の実施の形態≫
以下、本発明の第１１の実施の形態について図面を参照しつつ説明する。但し、本実施の形態の受信装置１ｊは、第１の実施の形態の受信装置に対して干渉除去を行う構成を変更したものである。なお、本実施の形態において、上記の各実施の形態の構成要素と実質的に同じ構成要素には同じ符号を付し、その説明が適用できるためその説明を省略する。
【０２３３】
＜受信装置１ｊの構成及び動作＞
本実施の形態の受信装置１ｊの構成及び動作について図２３を参照しつつ説明する。図２３は本実施の形態の受信装置１ｊの構成図であり、受信装置１ｊは、図３の受信装置１に対して、等化部１４及び干渉除去部１５からなるブロックを干渉除去部２１、等化部２２、干渉除去部２３及び遅延部２４からなるブロックに置き換えた構成を有する。
【０２３４】
アンテナ１１、チューナ１２、及びＯＦＤＭ復調部１３は、上述した処理内容の処理を行い、ＯＦＤＭ復調部１３は変調ベクトルＹを干渉除去部２１へ供給する。
ここでは、ｎ番目のシンボルに対応する復調ベクトルＹｎが干渉除去部２１に供給されるときの干渉除去部２１等の処理内容を例に挙げて説明する。
【０２３５】
遅延部２４は、干渉除去部２３から供給される遅延波によるシンボル間干渉に係る干渉成分を表す遅延シンボル間干渉ベクトルＥＪ’を１シンボルの処理期間に相当する時間分遅延させて出力する。これによって、干渉除去部２１に復調ベクトルＹｎが供給されるとき、干渉除去部２１に（ｎ−１）番目のシンボルに対応する復調ベクトルＹ（ｎ−１）が供給されて干渉除去部２１、等化部２２、及び干渉除去部２３の各部が処理を行うことによって干渉除去部２３から遅延部２４に供給された復調ベクトルＹｎに関係する遅延波によるシンボル間干渉に係る干渉成分を表す遅延シンボル間干渉ベクトルＥＪ’ｎが遅延部２４から干渉除去部２１に供給される。
【０２３６】
干渉除去部２１は、図２４に示すように、減算部２１ｊを有する。干渉除去部２１内の減算部２１ｊは、ＯＦＤＭ復調部１３から供給されたｎ番目のシンボルに対応する復調ベクトルＹｎから遅延部２４から供給された復調ベクトルＹｎに関係する遅延波によるシンボル間干渉に係る干渉成分を表す遅延シンボル間干渉ベクトルＥＪ’ｎを減算し、減算の結果得られた復調ベクトルＹＪ’ｎ（＝Ｙｎ−ＥＪ’ｎ）を等化部２２及び干渉除去部２３へ供給する。
【０２３７】
等化部２２は、干渉除去部２１から供給された復調ベクトルＹＪ’から伝送路応答ベクトルＨ’を推定し、推定した伝送路応答ベクトルＨ’に基づいて復調ベクトルＹＪ’を等化して等化ベクトルＸ’を算出する。そして、等化部２２は、推定した伝送路応答ベクトルＨ’と算出した等化ベクトルＸ’とを干渉除去部２３へ供給する。これによって、等化ベクトルＸ’ｎと伝送路応答ベクトルＨ’ｎとが等化部２２から干渉除去部２３に供給される。なお、等化部２２に、図５において、入力される復調ベクトルＹを復調ベクトルＹＪ’に置き換えた構成を利用できる。
【０２３８】
干渉除去部２３は、等化部２２から供給された等化ベクトルＸ’ｎと伝送路応答ベクトルＨ’ｎを用いて、復調ベクトルＹ（ｎ＋１）に関係する遅延波によるシンボル間干渉に係る干渉成分を表す遅延シンボル間干渉ベクトルＥＪ’（ｎ＋１）を遅延部２４へ供給する。また、干渉除去部２３は、等化部２２から供給された等化ベクトルＸ’ｎと伝送路応答ベクトルＨ’ｎを用いて、復調ベクトルＹＪ’ｎから遅延波によるキャリア間干渉に係る干渉成分、先行波によるシンボル間干渉及び先行波によるキャリア間干渉に係る干渉成分を除去する処理を行って、この結果得られた復調ベクトルＹ’ｎを等化部１６へ供給する。
【０２３９】
等化部１６及び復号部１７は、上述した処理内容と実質的に同じ処理内容の処理を行う。
［干渉除去部２３の構成及び動作］
図２３の干渉除去部２３の構成及び動作について図２５を参照しつつ説明する。図２５は図２３の干渉除去部２３の構成図である。
【０２４０】
干渉除去部２３は、遅延部５１と、位相回転部５３と、減算部７１と、アップサンプル部７２と、遅延部８１と、アップサンプル部８２と、乗算部８３と、抽出部８４と、ダウンサンプル部８５と、遅延部８６と、加算部８７と、アップサンプル部５５と、アップサンプル部７２ｊと、乗算部７３ｊと、抽出部７４ｊと、ダウンサンプル部７５ｊと、位相回転部７６ｊと、減算部７７ｊと、アップサンプル部２０１と、乗算部２０２と、抽出部２０３と、ダウンサンプル部２０４と、位相回転部２０５とを有する。
【０２４１】
以下、干渉除去部２３の構成及び動作の説明を、遅延波によるシンボル間干渉に係る干渉成分の計算と、遅延波によるキャリア間干渉の除去と、先行波によるシンボル間干渉及びキャリア間干渉の除去の３つに分けて説明する。なお、ｎ番目のシンボルに対応する復調ベクトルＹＪｎ、等化ベクトルＸ’ｎ及び伝送路応答ベクトルＨ’ｎが干渉除去部２３に供給されるときの干渉除去部２３内の各部の処理内容を例に挙げて説明する。
【０２４２】
（遅延波によるシンボル間干渉に係る干渉成分の計算）
アップサンプル部２０１は、等化部２２から供給されるｎ番目のシンボルに対応する等化ベクトルＸ’ｎを２倍にアップサンプリングし、アップサンプリングの結果得られた等化ベクトルＸ’２ｎを乗算部２０２へ供給する。
【０２４３】
アップサンプル部５５は、等化部２２から供給されたｎ番目のシンボルに対応する伝送路応答ベクトルＨ’ｎを２倍にアップサンプリングし、アップサンプリングの結果得られた伝送路応答ベクトルＨ’２ｎを乗算部２０２へ供給する。
【０２４４】
乗算部２０２は、アップサンプル部２０１から供給された等化ベクトルＸ’２ｎとアップサンプル部５５から供給された伝送路応答ベクトルＨ’２ｎとを乗算し、乗算の結果得られた復調ベクトルＹＪ１’２ｎを抽出部２０３へ供給する。
【０２４５】
抽出部２０３は、例えばＦＩＲフィルタで構成され、第３の実施の形態の抽出部７４と同じ通過帯域の通過特性を有している。抽出部２０３は、乗算部２０２から供給された復調ベクトルＹＪ１’２ｎにフィルタ処理を施すことによって、復調ベクトルＹＪ１’２ｎから復調ベクトルＹ（ｎ＋１）に関係する遅延波シンボル間干渉成分を抽出し、抽出した遅延波シンボル間干渉成分を表す遅延シンボル間干渉ベクトルＥＪ１’２（ｎ＋１）を生成し、生成した遅延シンボル間干渉ベクトルＥＪ１’２（ｎ＋１）をダウンサンプル部２０４へ供給する。
【０２４６】
ダウンサンプル部２０４は、抽出部２０３から供給された遅延シンボル間干渉ベクトルＥＪ１’２（ｎ＋１）を１／２倍にダウンサンプリングし、ダウンサンプリングの結果得られた遅延シンボル間干渉ベクトルＥＪ１’（ｎ＋１）を位相回転部２０５へ供給する。
【０２４７】
位相回転部２０５は、ダウンサンプル部７５から供給された遅延シンボル間干渉ベクトルＥＪ１’（ｎ＋１）を時間領域で−Ｔｇ時間シフトするようにキャリア毎に位相回転させ、位相回転の結果得られた遅延シンボル間干渉ベクトルＥＪ１’ｒｏｔ（ｎ＋１）を遅延シンボル間干渉ベクトルＥＪ’（ｎ＋１）として遅延部２４へ供給する。
【０２４８】
（遅延波によるキャリア間干渉の除去）
位相回転部５３は、等化部２２から供給されたｎ番目のシンボルに対応する等化ベクトルＸ’ｎを時間領域でＴｇ時間シフトするようにキャリア毎に位相回転させ、位相回転の結果得られた等化ベクトルＸ’ｒｏｔｎをアップサンプル部７２ｊへ供給する。
【０２４９】
アップサンプル部７２ｊは、位相回転部５３から供給された等化ベクトルＸ’ｒｏｔｎを２倍にアップサンプリングし、アップサンプリングの結果得られた等化ベクトルＸ’ｒｏｔ２ｎを乗算部７３ｊへ供給する。
【０２５０】
アップサンプル部５５は、等化部２２から供給されたｎ番目のシンボルに対応する伝送路応答ベクトルＨ’ｎを２倍にアップサンプリングし、アップサンプリングの結果得られた伝送路応答ベクトルＨ’２ｎを乗算部７３ｊへ供給する。なお、この処理は、遅延波によるシンボル間干渉に係る干渉成分の計算と共用され、それと別個に行われるものではない。
【０２５１】
乗算部７３ｊは、アップサンプル部７２ｊから供給された等化ベクトルＸ’ｒｏｔ２ｎとアップサンプル部５５から供給された伝送路応答ベクトルＨ’２ｎとを乗算し、乗算の結果得られた復調ベクトルＹＪ２’２ｎを抽出部７４ｊへ供給する。
【０２５２】
抽出部７４ｊは、例えばＦＩＲフィルタで構成され、第３の実施の形態の抽出部７４と同じ通過帯域の通過特性を有している。抽出部７４ｊは、乗算部７３ｊから供給された復調ベクトルＹＪ２’２ｎにフィルタ処理を施すことによって、復調ベクトルＹＪ２’２ｎから復調ベクトルＹｎに関係する遅延波キャリア間干渉成分を抽出し、抽出した遅延波キャリア間干渉成分を表す干渉ベクトルＥＪ２’２ｎを生成し、生成した干渉ベクトルＥＪ２’２ｎをダウンサンプル部７５ｊへ供給する。
【０２５３】
ダウンサンプル部７５ｊは、抽出部７４ｊから供給された干渉ベクトルＥＪ２’２ｎを１／２倍にダウンサンプリングし、ダウンサンプリングの結果得られた干渉ベクトルＥＪ２’ｎを位相回転部７６ｊへ供給する。
【０２５４】
位相回転部７６ｊは、ダウンサンプル部７５ｊから供給された干渉ベクトルＥＪ２’ｎを時間領域で−Ｔｇ時間シフトするようにキャリア毎に位相回転させ、位相回転の結果得られた干渉ベクトルＥＪ２’ｒｏｔｎを減算部７７ｊへ供給する。
【０２５５】
減算部７７ｊは、等化部２２から供給されたｎ番目のシンボルに対応する復調ベクトルＹＪｎから位相回転部７６ｊから供給された干渉ベクトルＥＪ２’ｒｏｔｎを減算し、減算結果を復調ベクトルＹＪＡ’ｎ（＝ＹＪｎ−ＥＪ２’ｒｏｔｎ）として出力する。
【０２５６】
（先行波によるシンボル間干渉及びキャリア間干渉の除去）
遅延部５１、位相回転部５３、減算部７１、アップサンプル部７２、遅延部８１、アップサンプル部８２、乗算部８３、抽出部８４、及びダウンサンプル部８５は、上述した処理内容の処理を行って、ダウンサンプル部８５は、干渉ベクトルＥＢ’（ｎ−１）を加算部８７へ供給する。なお、位相回転部５３の処理は、遅延波によるキャリア間干渉の除去と共用され、それと別個に行われるものではない。
【０２５７】
遅延部８６は、減算部７７ｊから供給された復調ベクトルＹＪＡ’を１シンボルの処理期間に相当する時間分遅延させて出力する。これによって、ｎ番目のシンボルに対応する復調ベクトルＹＪ’ｎ、等化ベクトルＸ’ｎ及び伝送路応答ベクトルＨ’ｎが干渉除去部１５ｂに供給されて干渉除去部１５ｂが処理を行うとき、（ｎ−１）番目のシンボルに対応する復調ベクトルＹＪ’（ｎ−１）、等化ベクトルＸ’（ｎ−１）及び伝送路応答ベクトルＨ’（ｎ−１）が干渉除去部２３に供給されて干渉除去部２３が処理を行うことによって減算部７７ｊから遅延部８６に供給された復調ベクトルＹＪＡ’（ｎ−１）が遅延部８６から加算部８７に供給される。
【０２５８】
加算部８７は、遅延部８６から供給された復調ベクトルＹＪＡ’（ｎ−１）とダウンサンプル部８５から供給された干渉ベクトルＥＢ’（ｎ−１）とを加算し、加算結果を復調ベクトルＹ’（ｎ−１）（＝ＹＪＡ’（ｎ−１）＋ＥＢ’（ｎ−１））として等化部１６へ供給する。
【０２５９】
本実施の形態の受信装置１ｊによれば、遅延波によるシンボル間干渉に係る干渉成分を復調ベクトルから先行して除去し、遅延波によるシンボル間干渉に係る干渉成分が除去された復調ベクトルを用いて遅延波によるキャリア間干渉、先行波によるシンボル間干渉、及び先行波によるキャリア間干渉に係る各干渉成分の算出を行っている。このため、前記の各干渉成分の算出精度が向上し、受信品質の向上が図られる。
【０２６０】
≪第１２の実施の形態≫
以下、本発明の第１２の実施の形態について図面を参照しつつ説明する。第３の実施の形態は、ガードインターバル期間を付加したＯＦＤＭ伝送信号を対象としているが、本実施の形態はガードインターバル期間が付加されていないＯＦＤＭ伝送信号を対象とするものである。なお、本実施の形態において、上記の各実施の形態の構成要素と実質的に同じ構成要素には同じ符号を付し、その説明が適用できるためその説明を省略する。
【０２６１】
＜干渉除去部１５ｋの構成及び動作＞
本実施の形態の干渉除去部１５ｋの構成及び動作について図２６を参照しつつ説明する。図２６は本実施の形態の干渉除去部１５ｋの構成図である。
【０２６２】
本実施の形態では、ガードインターバル期間を付加していないＯＦＤＭ伝送信号を対象としているため、図１４の干渉除去部１５ｂから位相回転部５３及び位相回転部７６を削除した構成になっている。但し、抽出部７４及び抽出部８４のフィルタ処理における通過特性の通過帯域は、図８を参照して説明した通過帯域に対してＴｇ＝０としたものである。
【０２６３】
≪補足≫
本発明は上記の実施の形態で説明した内容に限定されず、本発明の目的とそれに関連又は付随する目的を達成するためのいかなる形態においても実施可能であり、例えば、以下であってもよい。
【０２６４】
（１）上記の各実施の形態では、ＯＦＤＭ伝送方式を例に説明したが、これに限られるものではなく、互いに直交していない複数のキャリアを用いた周波数分割多重伝送方式に対しても適用可能である。
【０２６５】
（２）上記の各実施の形態では、等化部１４が図５に示した構成であるとしたが、これに限られるものではなく、復調ベクトルＹを用いて伝送路応答ベクトルの推定及び等化ベクトルの算出を行える構成であればよい。なお、その他の等化部についても同様である。
【０２６６】
（３）上記の実施の形態では、２倍のアップサンプル処理と１／２倍のダウンサンプル処理との組み合わせとしているが、これに限られるものではなく、Ｎ（２を除く１より大きい数）倍のアップサンプル処理と１／Ｎ倍のアップサンプル処理との組み合わせとしてもよい。なお、Ｎの設定は、乗算部５６、６０の出力信号が隣り合う繰り返し成分が互いに干渉しないように定めることが好ましい。
【０２６７】
また、上記の第８の実施の形態では、２倍の時間領域拡張処理と１／２倍の時間領域縮小処理の組み合わせとしているが、これに限られるものではなく、Ｎ（２を除く１より大きい数）倍の時間領域拡張処理と１／Ｎ倍の時間領域縮小処理との組み合わせであってもよい。
【０２６８】
（４）上記の各実施の形態で説明した構成要素の並びは、出力信号が同じであれば、構成要素の並びを入れ替えてもよい。例えば、第１の実施の形態の遅延部５１とアップサンプル部５２との並びを入れ替えてもよく、位相回転部５３とアップサンプル部５４との並びを入れ替えてもよく、ダウンサンプル部５８と位相回転部５９との並びを入れ替えてもよく、ダウンサンプル部６２と位相回転部６３との並びを入れ替えてもよい。また、第２及び第３の実施の形態のダウンサンプル部７５と位相回転部７６との並びを入れ替えてもよい。なお、時間領域で−Ｔｇ又はＴｇシフトするようにキャリア毎に位相回転させる際に、離散周波数間隔を考慮して周波数領域での位相回転量を適宜変更する必要がある。
【０２６９】
（５）上記の第６の実施の形態では、第５の実施の形態の干渉除去部１５ｄに対して選択部１０１、１０２を付加する場合を例に挙げて説明したが、これに限られるものではなく、干渉除去前の復調ベクトルと干渉除去後の復調ベクトルとの受信品質を比較して、受信品質の良い方を選択して出力する選択部を他の実施の形態で説明した干渉除去部や変形例の干渉除去部に対して付加するようにしてもよい。
【０２７０】
（６）上記の第７の実施の形態では、第３の実施の形態の干渉除去部１５ｂに対して硬判定部１１１を付加する場合を例に挙げて説明したが、これに限られるものではなく、例えば、等化ベクトルを入力とする他の実施の形態で説明した干渉除去部や変形例の干渉除去部に対して硬判定部１１１を付加するようにしてもよい。
【０２７１】
（７）上記の第８の実施の形態の干渉除去部１５ｇは、第３の実施の形態の干渉除去部１５ｂに対して干渉成分の算出を時間領域で行うように変形したものであるが、これに限られるものではなく、他の実施の形態の干渉除去部や変形例の干渉除去部を干渉成分の算出を時間領域で行うように変形してもよい。なお、周波数領域の信号から時間領域の信号への変換にＩＦＦTを用いているが、これに限らず、周波数領域の信号から時間領域の信号へ変換することができる手段であればよい。また、時間領域の信号から周波数領域の信号への変換にＦＦTを用いているが、これに限らず、周波数領域の信号から時間領域の信号へ変換することができる手段であればよい。
【０２７２】
（８）上記の第９実施の形態では、受信装置１ｈは等化部１４及び干渉除去部１５からなるブロック及び等化部１４ｈ及び干渉除去部１５ｈからなるブロックの２段で干渉除去処理を行うようになっているが、これに限られるものではなく、３段以上で干渉除去処理を行うようにしてもよい。また、第１０及び第１１の各実施の形態の受信装置１ｉ，１ｊにおいても、干渉除去を行う構成要素のブロックを２段以上にしてもよい。
【０２７３】
（９）上記の第９の実施の形態では、受信装置１ｈが備える干渉除去部として第１の実施の形態の干渉除去部１５或いは干渉除去部１５と等価な干渉除去部１５ｈとし、上記の第１０の実施の形態では、受信装置１ｉが備える干渉除去部として第１の実施の形態の干渉除去部１５としたが、これに限られるものではなく、例えば、復調ベクトル、等化ベクトル及び伝送路応答ベクトルを入力とする他の実施の形態で説明した干渉除去部や変形例の干渉除去部に置き換えてもよい。
【０２７４】
（１０）上記の第３の実施の形態の干渉除去部１５ｂを除く各干渉除去部をガードインターバル期間が付加されていないＯＦＤＭ伝送信号用の干渉除去部に変更する場合には、位相回転部や時間シフト部を取り除けばよい。
【０２７５】
（１１）上記の実施の形態において、遅延波によるシンボル間干渉成分、遅延波によるキャリア間干渉成分、先行波によるシンボル間干渉成分、先行波によるキャリア間干渉成分のうち、除去したい干渉成分のみを除去することができるように、適宜、構成要素の追加及び削除を行ってもよい。
【０２７６】
（１２）上記の実施の形態では、周波数領域で動作する抽出部のフィルタの通過帯域は固定としたが、これに限られるものではなく、伝搬路の状況に応じて適応的にフィルタの通過帯域を変更するようにしてもよい。また、時間領域で動作する抽出部が抽出する時間領域は固定としたが、伝搬路の状況に応じて適応的に抽出する時間領域を変更するようにしてもよい。
【０２７７】
（１３）上記の各実施の形態などの各構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。
【０２７８】
ここでは、ＬＳＩとしたが、集積度の違いにより、ＩＣ（Integrated Circuit）、システムＬＳＩ、スーパーＬＳＩ、ウルトラＬＳＩと呼称されることもある。
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０２７９】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【産業上の利用可能性】
【０２８０】
本発明は、複数のキャリアを周波数分割多重した伝送信号からシンボル間干渉及びキャリア間干渉を行う受信装置に利用することができる。
【符号の説明】
【０２８１】
１  受信装置
１１  アンテナ
１２  チューナ
１３  ＯＦＤＭ復調部
１４  等化部
１５  干渉除去部
１６  等化部
１７  復号部
５１  遅延部
５２，５４，５５  アップサンプル部
５３  位相回転部
５６，６０  乗算部
５７，６１  抽出部
５８，６２  ダウンサンプル部
５９，６３  位相回転部
６４，６５  減算部
【手続補正２】
【補正対象書類名】特許請求の範囲
【補正対象項目名】全文
【補正方法】変更
【補正の内容】
【特許請求の範囲】
【請求項１】
変調処理が施された複数のキャリアを多重した伝送信号を受信し、当該伝送信号を復調する受信装置であって、
受信した時間領域の前記伝送信号からシンボル毎に有効シンボル期間分の伝送信号を切り出し、切り出した有効シンボル期間分の伝送信号を周波数領域の復調データに変換する変換部と、
前記復調データに基づいて周波数領域の伝送路応答データを推定し、推定した前記伝送路応答データに基づいて前記復調データを等化して周波数領域の等化データを算出する等化部と、
シンボル毎に、前記等化データ及び前記伝送路応答データに基づいて、除去対象のシンボルの前及び後の少なくとも一方のシンボルの信号成分が当該除去対象のシンボルの前記有効シンボル期間分に混入することに起因するシンボル間干渉及び除去対象のシンボルの信号成分が前記有効シンボル期間分に満たないことに起因するキャリア間干渉の少なくとも一方に係る干渉成分を表す干渉データを算出し、前記干渉データに基づいて前記復調データに対して前記干渉成分の除去処理を施す干渉除去部と、
を備える受信装置。
【請求項２】
前記干渉除去部は、
Ｎは１より大きい数であり、Ｔｕは有効シンボル期間の時間幅であるとし、一のシンボルに対応する前記等化データに対して遅延処理及びアップサンプル処理を施して離散周波数間隔が１／（Ｎ×Ｔｕ）の第１等化データを生成して出力する遅延アップサンプル部と、
前記一のシンボルに対応する前記伝送路応答データに対してアップサンプル処理を施して離散周波数間隔が１／（Ｎ×Ｔｕ）の第１伝送路応答データを生成するアップサンプル部と、
前記第１等化データと前記第１伝送路応答データとをキャリア毎に乗算して第１復調データを生成する乗算部と、
前記第１復調データに対して所定の通過特性に基づくフィルタ処理を施して当該第１復調データから遅延波によるシンボル間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データから前記干渉データを減算する除去部と、
を備える請求項１記載の受信装置。
【請求項３】
前記干渉成分生成部は、前記第１干渉データに対して前記ダウンサンプル処理に加え、キャリア毎にガードインターバル期間の時間幅に−1を乗算した値に基づく位相回転処理を施す
請求項２記載の受信装置。
【請求項４】
前記干渉除去部は、
Ｎは１より大きい数であり、Ｔｕは有効シンボル期間の時間幅であるとし、一のシンボルに対応する前記等化データに対してアップサンプル処理を施して離散周波数間隔が１／（Ｎ×Ｔｕ）の第１等化データを生成する第１アップサンプル部と、
前記一のシンボルに対応する前記伝送路応答データに対してアップサンプル処理を施して離散周波数間隔が１／（Ｎ×Ｔｕ）の第１伝送路応答データを生成する第２アップサンプル部と、
前記第１等化データと前記第１伝送路応答データとをキャリア毎に乗算して第１復調データを生成する乗算部と、
前記第１復調データに対して所定の通過特性に基づくフィルタ処理を施して当該第１復調データから遅延波によるキャリア間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データに前記干渉データを加算する除去部と、
を備える請求項１記載の受信装置。
【請求項５】
前記干渉除去部は、
前記一のシンボルに対応する前記等化データ又は前記第１等化データに対してキャリア毎にガードインターバル期間の時間幅に基づく位相回転処理を施して第２等化データを生成する位相回転部
を更に備え、
前記位相回転部が前記等化データに対して位相回転処理を施す場合には、前記第１アップサンプル部は前記等化データの代わりに前記第２等化データに対してアップサンプル処理を施して前記第１等化データを生成し、
前記位相回転部が前記第１等化データに対して位相回転処理を施す場合には、前記乗算部は前記第１等化データの代わりに前記第２等化データと前記第１伝送路応答データとをキャリア毎に乗算して前記第１復調データを生成し、
前記干渉成分生成部は、前記第１干渉データに対して前記ダウンサンプル処理に加え、キャリア毎にガードインターバル期間の時間幅に−1を乗算した値に基づく位相回転処理を施す
請求項４記載の受信装置。
【請求項６】
前記干渉除去部は、
一のシンボルに対応する前記等化データに対して遅延処理を施して遅延等化データを出力する遅延部と、
前記遅延等化データから前記一のシンボルに対応する前記等化データを減算し、減算結果を表す差分等化データを生成する差分部と、
Ｎは１より大きい数であり、Ｔｕは有効シンボル期間の時間幅であるとし、前記差分等化データに対してアップサンプル処理を施して離散周波数間隔が１／（Ｎ×Ｔｕ）の第１差分等化データを生成する第１アップサンプル部と、
前記一のシンボルに対応する前記伝送路応答データに対してアップサンプル処理を施して離散周波数間隔が１／（Ｎ×Ｔｕ）の第１伝送路応答データを生成する第２アップサンプル部と、
前記第１差分等化データと前記第１伝送路応答データとをキャリア毎に乗算して差分復調データを生成する乗算部と、
前記差分復調データに対して所定の通過特性に基づくフィルタ処理を施して当該差分復調データから遅延波によるシンボル間干渉及び遅延波によるキャリア間干渉に係る第１干渉成分を抽出し、当該第１干渉成分を表す第１干渉データを生成する抽出部と、
前記第１干渉データに対してダウンサンプル処理を施して前記干渉成分を表す前記干渉データを生成する干渉成分生成部と、
前記一のシンボルに対応する前記復調データから前記干渉データを減算する除去部と、
を備える請求項１記載の受信装置。
【請求項７】
前記干渉除去部は、
前記一のシンボルに対応する前記等化データに対してキャリア毎にガードインターバル期間の時間幅に基づく位相回転処理を施して第１等化データを生成する位相回転部
を更に備え、
前記差分部は、前記一のシンボルに対応する前記等化データの代わりに前記第１等化データを用いて、前記遅延等化データから前記第１等化データを減算し、減算結果を表す前記差分等化データを生成し、
前記干渉成分生成部は、前記第１干渉データに対して前記ダウンサンプル処理に加え、キャリア毎にガードインターバル期間の時間幅に−1を乗算した値に基づく位相回転処理を施す
請求項６記載の受信装置。
【請求項８】
前記干渉除去部は、
前記差分復調データに対して所定の通過特性に基づくフィルタ処理を施して当該差分復調データから先行波によるシンボル間干渉及び先行波によるキャリア間干渉に係る第２干渉成分を抽出し、当該第２干渉成分を表す第２干渉データを生成する第１抽出部と、
前記第２干渉データに対してダウンサンプル処理を施して先行波によるシンボル間干渉及び先行波によるキャリア間干渉に係る第３干渉成分を表す前記第３干渉データを生成する第１干渉成分生成部と、
前記除去部による処理の結果得られた第１復調データに対して遅延処理を施して第１遅延復調データを出力する第１遅延部と、
前記第１遅延復調データと前記第３干渉データとを加算する第１除去部と、
を更に備える請求項６記載の受信装置。
【請求項９】
前記一のシンボルに対応する前記伝送路応答データに対して遅延処理及びアップサンプル処理を施して離散周波数間隔が１／（Ｎ×Ｔｕ）の第２伝送路応答データを生成して出力する遅延アップサンプル部と、
前記第１差分等化データと前記第２伝送路応答データとをキャリア毎に乗算して第１差分復調データを生成する第１乗算部と、
前記第１差分復調データに対して所定の通過特性に基づくフィルタ処理を施して当該第１差分復調データから先行波によるシンボル間干渉及び先行波によるキャリア間干渉に係る第２干渉成分を抽出し、当該第２干渉成分を表す第２干渉データを生成する第１抽出部と、
前記第２干渉データに対してダウンサンプル処理を施して先行波によるシンボル間干渉及び先行波によるキャリア間干渉に係る第３干渉成分を表す前記第３干渉データを生成する第１干渉成分生成部と、
前記除去部による処理の結果得られた第１復調データに対して遅延処理を施して第１遅延復調データを出力する第１遅延部と、
前記第１遅延復調データと前記第３干渉データとを加算する第１除去部と、
を更に備える請求項６記載の受信装置。
【請求項１０】
前記干渉除去部は、
供給される第１遅延復調データを一のシンボルに対応する前記伝送路応答データで除算して第１等化データを生成する除算部と、
前記第１等化データ及び前記一のシンボルに対応する前記伝送路応答データに基づいて遅延波によるシンボル間干渉に係る第１干渉成分を算出し、前記一のシンボルに対応する前記等化データ及び前記一のシンボルに対応する前記伝送路応答データに基づいて遅延波によるキャリア間干渉に係る第２干渉成分を算出し、当該第１干渉成分から当該第２干渉成分を減算して前記干渉成分を算出して前記干渉データを生成する干渉成分生成部と、
前記一のシンボルに対応する前記復調データから前記干渉データを減算して第１復調データを出力する減算部と、
前記第１復調データに対して遅延処理を施して次シンボル用の前記第１遅延復調データを前記除算部へ供給する遅延部と、
を備える請求項１記載の受信装置。
【請求項１１】
前記干渉除去部は、周波数領域の前記等化データを時間領域の等化信号に変換し、周波数領域の前記伝送路応答データを時間領域の伝送路信号に変換し、前記等化信号及び前記伝送路信号に基づいて前記干渉成分を表す干渉信号を算出し、前記干渉信号に基づいて前記復調データに対して前記干渉成分の除去処理を施す
請求項１記載の受信装置。
【請求項１２】
前記復調データと前記干渉除去部による前記除去処理によって得られた第１復調データとの受信品質を比較し、受信品質の良い方を選択して出力する選択部
を更に備える請求項１記載の受信装置。
【請求項１３】
前記干渉除去部は、
前記等化データに対して硬判定処理を施して前記除去処理を行う
請求項１記載の受信装置。
【請求項１４】
直列に多段接続されている前記等化部及び前記干渉除去部を有する処理ブロックを有する
請求項１記載の受信装置。
【請求項１５】
変調処理が施された複数のキャリアを多重した伝送信号を受信し、当該伝送信号を復調する受信装置であって、
受信した時間領域の前記伝送信号をシンボル毎に周波数領域の復調データに変換する変換部と、
シンボル毎に、前記復調データを供給される遅延伝送路応答データで除算して等化データを生成する除算部と、
シンボル毎に、前記等化データ及び供給される前記遅延伝送路応答データに基づいてシンボル間干渉及びキャリア間干渉の少なくとも一方に係る干渉成分を表す干渉データを算出し、前記干渉データに基づいて前記復調データに対して前記干渉成分の除去処理を施して第１復調データを生成する干渉除去部と、
前記第１復調データに基づいて周波数領域の伝送路応答データを推定し、推定した前記伝送路応答データに基づいて前記復調データを等化して周波数領域の等化データを算出する等化部と、
前記伝送路応答データに対して遅延処理を施して次シンボル用の前記遅延伝送路応答データを前記除算部及び前記干渉除去部へ供給する遅延部と、
を備える受信装置。
【請求項１６】
変調処理が施された複数のキャリアを多重した伝送信号を受信し、当該伝送信号を復調する受信装置であって、
受信した時間領域の前記伝送信号をシンボル毎に周波数領域の復調データに変換する変換部と、
シンボル毎に、前記復調データから、供給される遅延波によるシンボル間干渉に係る干渉成分を表す遅延干渉データを減算して第１復調データを生成する第１干渉除去部と、
前記第１復調データに基づいて周波数領域の伝送路応答データを推定し、推定した前記伝送路応答データに基づいて前記第１復調データを等化して周波数領域の等化データを算出する等化部と、
シンボル毎に、前記等化データ及び前記伝送路応答データに基づいて遅延波によるシンボル間干渉に係る干渉成分を算出し、当該干渉成分を表す干渉データを生成するとともに、前記第１復調データに対して干渉除去処理を施す第２干渉除去部と、
前記干渉データに対して遅延処理を施して次シンボル用の前記遅延干渉データを第１干渉除去部へ供給する遅延部と、
を備える受信装置。
【請求項１７】
変調処理が施された複数のキャリアを多重した伝送信号を受信し、当該伝送信号を復調する集積回路であって、
受信した時間領域の前記伝送信号からシンボル毎に有効シンボル期間分の伝送信号を切り出し、切り出した有効シンボル期間分の伝送信号を周波数領域の復調データに変換する変換回路と、
前記復調データに基づいて周波数領域の伝送路応答データを推定し、推定した前記伝送路応答データに基づいて前記復調データを等化して周波数領域の等化データを算出する等化回路と、
シンボル毎に、前記等化データ及び前記伝送路応答データに基づいて、除去対象のシンボルの前及び後の少なくとも一方のシンボルの信号成分が当該除去対象のシンボルの前記有効シンボル期間分に混入することに起因するシンボル間干渉及び除去対象のシンボルの信号成分が前記有効シンボル期間分に満たないことに起因するキャリア間干渉の少なくとも一方に係る干渉成分を表す干渉データを算出し、前記干渉データに基づいて前記復調データに対して前記干渉成分の除去処理を施す干渉除去回路と、
を備える集積回路。
【請求項１８】
変調処理が施された複数のキャリアを多重した伝送信号を受信し、当該伝送信号を復調する受信装置において行われる受信方法であって、
受信した時間領域の前記伝送信号からシンボル毎に有効シンボル期間分の伝送信号を切り出し、切り出した有効シンボル期間分の伝送信号を周波数領域の復調データに変換する変換ステップと、
前記復調データに基づいて周波数領域の伝送路応答データを推定し、推定した前記伝送路応答データに基づいて前記復調データを等化して周波数領域の等化データを算出する等化ステップと、
シンボル毎に、前記等化データ及び前記伝送路応答データに基づいて、除去対象のシンボルの前及び後の少なくとも一方のシンボルの信号成分が当該除去対象のシンボルの前記有効シンボル期間分に混入することに起因するシンボル間干渉及び除去対象のシンボルの信号成分が前記有効シンボル期間分に満たないことに起因するキャリア間干渉の少なくとも一方に係る干渉成分を表す干渉データを算出し、前記干渉データに基づいて前記復調データに対して前記干渉成分の除去処理を施す干渉除去ステップと、
を有する受信方法。
【手続補正３】
【補正対象書類名】図面
【補正対象項目名】全図
【補正方法】変更
【補正の内容】
【図１】
2009107347.tif 000029
【図２】
2009107347.tif 000030
【図３】
2009107347.tif 000031
【図４】
2009107347.tif 000032
【図５】
2009107347.tif 000033
【図６】
2009107347.tif 000034
【図７】
2009107347.tif 000035
【図８】
2009107347.tif 000036
【図９】
2009107347.tif 000037
【図１０】
2009107347.tif 000038
【図１１】
2009107347.tif 000039
【図１２】
2009107347.tif 000040
【図１３】
2009107347.tif 000041
【図１４】
2009107347.tif 000042
【図１５】
2009107347.tif 000043
【図１６】
2009107347.tif 000044
【図１７】
2009107347.tif 000045
【図１８】
2009107347.tif 000046
【図１９】
2009107347.tif 000047
【図２０】
2009107347.tif 000048
【図２１】
2009107347.tif 000049
【図２２】
2009107347.tif 000050
【図２３】
2009107347.tif 000051
【図２４】
2009107347.tif 000052
【図２５】
2009107347.tif 000053
【図２６】
2009107347.tif 000054
【国際調査報告】
2009107347.tif 000055
2009107347.tif 000056
2009107347.tif 000057
2009107347.tif 000058